(57)【要約】      （修正有）【課題】スループットを最大化し、及び／又は費用を最小化する多入力多出力（ＭＩＭＯ）システムを提供する。【解決手段】ヘッドエンドユニット３０において、少なくとも第１の信号部分、第２の信号部分、第３の信号部分及び第４の信号部分を処理するように構成されたフロントエンドと、第１の周波数の第１の信号部分、第２の周波数の第２の信号部分、第３の周波数の第３の信号部分及び第４の周波数の第４の信号部分を共通の第５の周波数に変換するように構成された無線周波数集積回路と、前記第１、第２、第３及び第４の信号部分を出力信号に組み合わせるように構成されたベースバンドプロセッサとを含む。【選択図】図２ａ
2019118117.tif 000002
【特許請求の範囲】
【請求項１】
多入力多出力（ＭＩＭＯ）通信システムであって、
ｉ）送信のために望ましい入力信号を受信し、前記入力信号は非ダイバースであり、
ｉｉ）前記入力信号を少なくとも第１の信号部分、第２の信号部分、第３の信号部分及び第４の信号部分に多重化し、
ｉｉｉ）前記第１の信号部分を第１の周波数で、前記第２の信号部分を第２の周波数で、前記第３の信号部分を第３の周波数で、及び前記第４の信号部分を第４の周波数で送信し、前記第１、第２、第３及び第４の周波数のそれぞれはダイバースであるように構成された信号プロセッサを含む通信システム。
【請求項２】
前記信号プロセッサは、有線通信媒体及び光通信媒体の少なくとも１つを介して送信するために前記第１、第２、第３及び第４の信号部分を結合するようにさらに構成された請求項１に記載の通信システム。
【請求項３】
前記有線通信媒体及び前記光通信媒体の少なくとも１つを介して送信された後で前記第１、第２、第３及び第４の信号部分を受信し、
空間的にダイバースな無線周波数（ＲＦ）送信のために前記第１、第２、第３及び第４の信号部分を相関させるように構成された終端局をさらに含む請求項２に記載の通信システム。
【請求項４】
前記空間的にダイバースなＲＦ伝送は、前記第１、第２、第３及び第４の信号部分が相関され、各信号部分が共通周波数で送信されるようにすることを特徴とする請求項３に記載の通信システム。
【請求項５】
前記終端局は、前記第１の信号部分の前記第１の周波数を前記共通周波数に変換し、前記第２の信号部分の前記第２の周波数を前記共通周波数に変換し、前記第３の信号部分の前記第３の周波数を前記共通周波数に変換し、及び前記第４の信号部分の前記第４の周波数を前記共通周波数に変換するように構成された変換器を含む請求項４に記載の通信システム。
【請求項６】
前記終端局は、前記第１の信号部分、前記第２の信号部分、前記第３の信号部分及び前記第４の信号部分をそれぞれ送信する第１のアンテナ、第２のアンテナ、第３のアンテナ及び第４のアンテナを含み、前記第１、第２、第３及び第４のアンテナは空間的にダイバースである請求項４に記載の通信システム。
【請求項７】
前記終端局は、複数の利用可能な周波数から前記共通周波数を選択するように構成され、前記複数の利用可能な周波数は発信元に応じて選択され、前記共通周波数は前記入力信号の発信元に関連した利用可能な周波数のうちの少なくとも１つから選択されるようにされる請求項４に記載の通信システム。
【請求項８】
前記信号プロセッサは、前記有線通信媒体及び前記光通信媒体のうちの少なくとも１つに送信する前に、前記第１の信号部分、前記第２の信号部分、前記第３の信号部分及び前記第４の信号部分の少なくとも１つを遅延させるようにさらに構成された請求項２に記載の通信システム。
【請求項９】
前記有線通信媒体の少なくとも１つを介して送信された後、前記第１、第２、第３及び第４の信号部分を受信し、
前記第１、第２、第３及び第４の信号部分を前記入力信号を表す出力信号に処理し、前記出力信号は非ダイバースであるように構成された終端局をさらに含む請求項２に記載の通信システム。
【請求項１０】
前記信号プロセッサは、セルラー通信システムから前記入力信号を受信するように構成され、前記入力信号は前記セルラー通信システムを介して送信されたセルラー信号から得られる請求項１に記載の通信システム。
【請求項１１】
前記信号プロセッサは、インターネットサービスプロバイダ（ＩＳＰ）から前記入力信号を受信するように構成され、前記入力信号は前記ＩＳＰを介して送信されたデータから得られる請求項１に記載の通信システム。
【請求項１２】
前記信号プロセッサは、ケーブルテレビサービスプロバイダシステムから前記入力信号を受信するように構成され、前記入力信号は前記ケーブルテレビサービスプロバイダシステムを介して送られたテレビジョン送信から得られる請求項１に記載の通信システム。
【請求項１３】
信号送信を容易にする方法であって、
送信のために望ましい入力信号を受信し、
前記入力信号を少なくとも複数の信号部分に多重化し、
前記多重化の後で前記複数の信号部分のそれぞれを変調マッピングし、
前記変調マッピングの後で前記複数の信号部分のそれぞれを直交周波数分割多重化（ＯＦＤＭ）処理し、
前記ＯＦＤＭ処理後に有線通信媒体及び光通信媒体の少なくとも１つを介して長距離送信のために前記複数の信号部分のそれぞれを送信し、異なる中心周波数で前記複数の信号部分のそれぞれを送信することを含むことを含む方法。
【請求項１４】
非ダイバース状態で前記入力信号を受信することをさらに含む請求項１３に記載の方法。
【請求項１５】
デジタル状態で前記入力信号を受信することをさらに含み、前記変調マッピングは前記入力信号のデジタル状態をコンステレーションシンボルにマッピングすることを含む請求項１３に記載の方法。
【請求項１６】
前記ＯＦＤＭ処理は、前記複数の信号部分のそれぞれを実際のスペクトルに関連付けることを含む請求項１３に記載の方法。
【請求項１７】
前記変調マッピングの後で前記ＯＦＤＭ処理の前に、前記複数の信号部分のそれぞれを空間的に多重化することをさらに含み、前記空間的な多重化は前記複数の信号部分の他の１つに対して前記複数の信号部分の少なくとも１つを遅延させることを含む請求項１３に記載の方法。
【請求項１８】
前記有線通信媒体の少なくとも１つを介して送信された後で前記複数の信号部分のそれぞれを受信し、
共通周波数での空間的なダイバース無線周波数（ＲＦ）伝送のために前記複数の信号部分のそれぞれを相関させることをさらに含む請求項１３に記載の方法。
【請求項１９】
発信元デバイスと宛先デバイスとの間の携帯電話の通話を容易にする方法であって、
前記携帯電話の通話の少なくとも一部の表す入力信号を受信し、
前記入力信号を少なくとも複数の信号部分に多重化し、
有線通信媒体及び光ファイバ通信媒体の少なくとも１つを介した長距離送信のために複数の信号部分のそれぞれを送信し、異なる中心周波数で前記複数の信号部分のそれぞれを送信し、
前記有線通信媒体及び前記光ファイバ通信媒体の少なくとも１つを介して送信された後で前記複数の信号部分のそれぞれを受信し、
前記宛先デバイスへの空間的なダイバース無線周波数（ＲＦ）のために前記複数の信号部分のそれぞれを相関させ、前記複数の信号部分を共通周波数で送信することを含む方法。
【請求項２０】
前記宛先デバイスに関連するサービスプロバイダを同定し、
前記サービスプロバイダの同定に基づいて前記共通周波数を選択することをさらに含む請求項１９に記載の方法。
【請求項２１】
多入力多出力（ＭＩＭＯ）信号プロセッサであって、
少なくとも第１の信号部分、第２の信号部分、第３の信号部分及び第４の信号部に入力信号を多重化するように構成されたベースバンドプロセッサと、
第１の信号部分を第１の周波数で、第２の信号部分を第２の周波数で、第３の信号部分を第３の周波数で、第４の信号部分を第４の周波数で送信し、前記第１、第２、第３及び第４の周波数はそれぞれ異なるように構成された無線周波数集積回路（ＲＦＩＣ）とを含む信号プロセッサ。
【請求項２２】
有線通信媒体及び光通信媒体の少なくとも１つを介して送信するために前記第１、第２、第３及び第４の信号部分を結合して出力信号にするように構成されたフロントエンドをさらに含む請求項２１の信号プロセッサ。
【請求項２３】
前記フロントエンドは、前記第１、第２、第３及び第４の信号部分を結合して前記出力信号にするコンバイナを含む請求項２２に記載の信号プロセッサ。
【請求項２４】
前記フロントエンドは、前記出力信号をフィルタする第１のフィルタを含む請求項２２に記載の信号プロセッサ。
【請求項２５】
前記フロントエンドは、前記出力信号を増幅する第１の増幅器を含む請求項２４に記載の信号プロセッサ。
【請求項２６】
前記第１のフィルタ及び前記第１の増幅器はマスターコントローラから受信した命令の機能として制御可能であり、前記マスターコントローラは前記第１のフィルタについて通過帯域を、前記第１の増幅器について利得及びチルトの量を設定する請求項２５に記載の信号プロセッサ。
【請求項２７】
前記ＲＦＩＣは、デジタル同位相及び直交位相成分に従い第１、第２、第３及び第４の信号部分のそれぞれを分離するためのデジタルインターフェースを含み、前記デジタルインターフェースは前記第１の信号部分について第１のデジタル同位相及び直交位相成分を、前記第２の信号部分について第２のデジタル同位相及び直交位相成分を、前記第３の信号部分について第３のデジタル同位相及び直交位相成分を、並びに前記第４の信号部分について第４のデジタル同位相及び直交位相成分を出力するようにする請求項２１に記載の信号プロセッサ。
【請求項２８】
前記ＲＦＩＣは、第１、第２、第３及び第４のデジタル同位相及び直交位相成分のそれぞれを対応する第１、第２、第３及び第４のアナログ同位相及び直交位相成分に変換する別個のデジタルアナログ変換器（ＤＡＣ）を含む請求項２７に記載の信号プロセッサ。
【請求項２９】
前記ＲＦＩＣは、第１の発振器、第２の発振器、第３の発振器及び第４の発振器を含み、前記第１の発振器は前記第１の信号部分が前記第１の周波数で送信されることを容易にし、前記第２の発振器は前記第２の信号部分が前記第２の周波数で送信されることを容易にし、前記第３の発振器は前記第３の信号部分が前記第３の周波数で送信されることを容易にし、前記第４の発振器は前記第４の信号部分が前記第４の周波数で送信されることを容易にする請求項２８に記載の信号プロセッサ。
【請求項３０】
前記ＲＦＩＣは、前記アナログの第１、第２、第３及び第４の同位相及び直交位相成分のそれぞれについて別個のミキサを含み、各ミキサは前記第１、第２、第３及び第４の発振器の１つを超えないもので動作して対応する第１、第２、第３及び第４の周波数での前記第１、第２、第３及び第４の同位相及び直交位相成分の対応する１つの送信を容易にし、各同位相及び直交位相成分は、その後で結合されて前記第１、第２、第３及び第４の周波数で送信される前記第１、第２、第３及び第４の信号部分を形成する請求項２９に記載の信号プロセッサ。
【請求項３１】
前記第１、第２、第３及び第４の発振器は、マスターコントローラから受信した命令の機能として対応する前記第１、第２、第３及び第４の周波数に制御可能である請求項２９に記載の信号プロセッサ。
【請求項３２】
前記信号プロセッサは、セルラー通信システムから前記入力信号を受信するように構成され、前記入力信号はセルラー通信システムを介して送信されたセルラー信号から得られる請求項２１に記載の信号プロセッサ。
【請求項３３】
前記信号プロセッサは、インターネットサービスプロバイダ（ＩＳＰ）、アプリケーションサービスプロバイダ又はオーバーザトップサービスプロバイダから入力信号を受信するように構成され、前記入力信号は前記サービスプロバイダのひとつを介して送信されたデータから得られる請求項２１に記載の信号プロセッサ。
【請求項３４】
前記信号プロセッサは、ケーブルテレビサービスプロバイダシステムから前記入力信号を受信するように構成され、前記入力信号は前記ケーブルテレビサービスプロバイダシステムを介して搬送されたテレビジョン送信から得られる請求項２１に記載の信号プロセッサ。
【請求項３５】
信号送信を容易にする方法であって、
送信のために望ましい入力信号を受信し、
前記入力信号を少なくとも複数の信号部分に多重化し、
前記多重化の後で前記複数の信号部分のそれぞれを変調マッピングし、
前記変調マッピングの後で前記複数の信号部分のそれぞれを直交周波数分割多重化（ＯＦＤＭ）処理し、
複数の局部発振器のそれぞれに命令して前記ＯＦＤＭ処理の後で１つを超えない前記複数の信号部分の混合を容易にし、各信号部分を混合して異なる中心周波数を持つようにすることを含み、
前記混合の後で有線通信媒体及び光通信媒体の少なくとも１つを介して長距離送信のために前記複数の信号部分それぞれを送信することを含む方法。
【請求項３６】
前記混合の後で前記長距離送信の前に前記複数の信号部分を増幅して結合することをさらに含む請求項３５に記載の方法。
【請求項３７】
請求項３６に記載の方法は、マスターコントローラから受信した命令の機能として前記複数の信号部分を動的に増幅することをさらに含み、前記動的な増幅は前記複数の信号の対応する１つが移動することを意図する経路に関連付けられた損失の機能としての前記複数の信号部分の１つ以上のための利得及び／又はチルト（周波数依存利得）によって特徴付けられ、対応する信号経路が変更されたときに対応する利得及び／又はチルトを最初に設定した後で前記複数の信号部分の少なくとも１つのために前記利得及び／又はチルトを調整することを含む請求項３６に記載の方法。
【請求項３８】
多入力多出力（ＭＩＭＯ）信号プロセッサであって、
少なくとも第１の信号部分及び第２の信号部分に入力信号を多重化するように構成されたベースバンドプロセッサと、
前記第１の信号部分を第１の周波数で、及び前記第２の信号部分を第２の周波数で送信するように構成され、前記第１の信号部分を混合する第１の発振器及び前記第２の信号部分を混合する第２の発振器を含む無線周波数集積回路（ＲＦＩＣ）と、
前記第１の信号部分及び前記第２の信号部分を結合し、無線周波数（ＲＦ）コンバイナに与えられる出力のための出力信号にされるように構成されたフロントエンドとを含む信号プロセッサ。
【請求項３９】
前記第１及び第２の発振器は、前記第１及び第２の信号部分の混合を容易にし、異なる中心周波数を有するようにする請求項３８に記載の信号プロセッサ。
【請求項４０】
前記第１及び第２の発振器の異なる中心周波数はマスターコントローラから受信した命令に応じて選択可能であり、異なる中心周波数を動的にかつ別個に選択可能であるようにする請求項３９に記載の信号プロセッサ。
【請求項４１】
多入力多出力（ＭＩＭＯ）リモートアンテナユニットであって、
入力信号を少なくとも第１の信号部分、第２の信号部分、第３の信号部分及び第４の信号部分に分離するように構成され、前記第１の信号部分は第１の周波数であり、前記第２の信号部分は第２の周波数であり、前記第３の信号部分は第３の周波数であり、及び前記第４の信号部分は第４の周波数であり、前記第１、第２、第３及び第４の周波数のそれぞれが異なるスプリッタと、
第１の変換器、第２の変換器、第３の変換器及び第４の変換器であって、前記第１、第２、第３及び第４の変換器のそれぞれは前記第１、第２、第３及び第４の信号部分のそれぞれ１つを後続する無線送信のために第５の周波数に変換するように構成されたものと、
前記入力信号を搬送する有線通信媒体を介して送信される周波数情報の機能として前記第５の周波数を決定するように構成されたエンジンであって、前記第１、第２、第３及び第４の変換器のそれぞれに命令して前記第１、第２、第３及び第４の信号部分を前記第５の周波数にそれぞれ変換するエンジンとを含むリモートアンテナユニット。
【請求項４２】
前記第１、第２、第３及び第４の変換器は、第１の発振器、第２の発振器、第３の発振器及び第４の発振器の１つを含み、それぞれの発振器は前記エンジンによって独立して制御可能であり複数の周波数で動作する請求項４１のリモートアンテナユニット。
【請求項４３】
前記エンジンは、前記第１、第２、第３及び第４の発振器のそれぞれを制御し、第６、第７、第８及び第９の周波数でそれぞれ動作させ、前記第１、第２、第３及び第４の信号部分の前記第５の周波数への変換を容易にするようにする請求項４２に記載のリモートアンテナユニット。
【請求項４４】
第５の周波数への変換に従い、前記第１、第２、第３及び第４の信号部分を増幅するように動作可能な利得機構をさらに含む請求項４１に記載のリモートアンテナユニット。
【請求項４５】
前記利得機構は、前記第１、第２、第３及び第４の信号部分をそれぞれ増幅する第１の増幅器、第２の増幅器、第３の増幅器及び第４の増幅器を含み、各増幅器は独立して制御可能であり複数の増幅の量を提供する請求項４４に記載のリモートアンテナユニット。
【請求項４６】
前記エンジンは前記第１、第２、第３及び第４の増幅器によって提供される増幅の量を制御し、前記第１、第２、第３及び第４の増幅器によって提供される増幅が前記エンジンから受信した命令に依存して周期的に変化するようにされた請求項４５に記載のリモートアンテナユニット。
【請求項４７】
第１のアンテナポート、第２のアンテナポート、第３アンテナポート及び第４のアンテナポートのそれぞれ１つから送信された第１のビーム、第２のビーム、第３のビーム及び第４のビームのステアリングを容易にするように動作可能なビーム成形機構をさらに含み、それぞれのアンテナポートは前記第５の周波数への変換に従い前記第１、第２、第３及び第４の信号部分のそれぞれ１つの無線送信を容易にする請求項４１のリモートアンテナアンテナ。
【請求項４８】
前記第１、第２、第３及び第４のアンテナポートの１つにそれぞれ関連した第１のデュプレクサ、第２のデュプレクサ、第３のデュプレクサ及び第４のデュプレクサをさらに含み、それぞれのデュプレクサはアップリンク及びダウンリンクトラフィックを分離するように構成され、前記第１、第２、第３及び第４の信号部分はダウンリンクトラフィックである請求項４１に記載のリモートアンテナユニット。
【請求項４９】
第５の変換器、第６の変換器、第７の変換器及び第８の変換器をさらに含み、前記第５、第６、第７及び第８の変換器のそれぞれは第５、第６、第７及び第８の信号部分のそれぞれ１つを第１０、第１１、第１２及び第１３の周波数の１つに変換するように構成され、前記第５、第６、第７及び第８の信号部分は前記第１、第２、第３及び第４のデュプレクサのそれぞれ１つを介して送信されたアップリングトラフィックである請求項４８に記載のリモートアンテナユニット。
【請求項５０】
前記第５、第６、第７及び第８の変換器は、第５の発振器、第６の発振器、第７の発振器及び第８の発振器の１つを含み、それぞれの発振器は複数の周波数で動作するエンジンによって別個に制御可能な請求項４９に記載のリモートアンテナユニット。
【請求項５１】
前記エンジンは、前記第５、第６、第７及び第８の発振器のそれぞれを制御して前記第１０、第１１、第１２及び第１３の周波数で動作させ、前記第１、第２、第３及び第４の信号部分の第１４の周波数への変換を容易にするようにする請求項５０に記載のリモートアンテナユニット。
【請求項５２】
前記第１４の周波数への変換に従い前記第５、第６、第７及び第８の信号部分をそれぞれ増幅する第５の増幅器、第６の増幅器、第７の増幅器及び第８の増幅器をさらに含み、それぞれの増幅器は前記エンジンによって別個に制御可能であり、複数の増幅の量を提供する請求項５１に記載のリモートアンテナユニット。
【請求項５３】
前記第１４の周波数への変換に従い前記第５、第６、第７及び第８の信号部分を組み結合するように構成されたコンバイナをさらに含む請求項５１のリモートアンテナユニット。
【請求項５４】
前記エンジンは、前記入力信号を搬送する前記有線通信媒体を介して送信された伝送マップを傍受し、前記伝送マップは周波数情報を含む請求項５１に記載のリモートアンテナユニット。
【請求項５５】
プロセッサで動作可能な複数の命令を有する非一時的なコンピュータ可読媒体であって、リモートアンテナユニットの制御を容易にし、多入力多出力（ＭＩＭＯ）無線シグナリングを容易にするものであって、前記非一時的なコンピュータ可読媒体は、
入力信号の搬送を容易にするために有線通信媒体を介して送信された送信マップを決定し、前記入力信号は前記有線通信媒体を介して少なくとも第１の信号部分、第２の信号部分、第３の信号部分及び第４の信号部分として搬送され、前記第１の信号部分は第１の周波数であり、前記第２の信号部分は第２の周波数であり、前記第３の信号部分は第３の周波数であり、及び前記第４の信号部分は第４の周波数であり、前記第１、第２、第３及び第４の各周波数は異なり、
前記リモートアンテナユニットの一部として含まれる第１の変換器、第２の変換器、第３の変換器及び第４の変換器を制御し、伝送マップ内で指定されたパラメータに応じて、無線通信媒体を介してＭＩＭＯ無線送信するために前記第１、第２、第３及び第４の信号部分のそれぞれ１つを第５の周波数に変換するために十分な命令を含む非一時的なコンピュータ可読媒体。
【請求項５６】
第１、第２、第３及び第４の発振器のそれぞれを独立に制御し、第６、第７、第８及び第９の周波数でそれぞれ動作するようにし、前記送信マップで指定されたパラメータに応じて、前記第１、第２、第３及び第４の信号部分を前記第５の周波数に変換することを容易にするために十分な命令をさらに含む請求項５５に記載の非一時的なコンピュータ可読媒体。
【請求項５７】
第１、第２、第３及び第４の増幅器のそれぞれによって提供される増幅を独立に制御し、前記伝送マップ内で指定されたパラメータに応じて前記第５の周波数への変換に従い前記第１、第２、第３及び第４の信号部分の対応する１つの利得をそれぞれ調整するために十分な命令をさらに含む請求項５５の非一時的なコンピュータ可読媒体。
【請求項５８】
第１のアンテナポート、第２のアンテナポート、第３のアンテナポート及び第４のアンテナポートのそれぞれ１つから送信された第１のビーム、第２のビーム、第３のビーム及び第４のビームのステアリングを容易にするように動作可能なビーム形成機構を制御し、それぞれのアンテナポートは前記第５の周波数への変換に従い前記第１、第２、第３及び第４の信号部分のそれぞれ１つの無線送信を容易にするために十分な命令をさらに含む請求項５５の非一時的なコンピュータ可読媒体。
【請求項５９】
多入力多出力（ＭＩＭＯ）システムであって、
有線通信媒体を介して送信するために入力信号を少なくとも第１の信号部分及び第２の信号部分に分離するように構成され、前記第１の信号部分は第１の周波数であり、前記第２の信号部分は前記第１の周波数とは異なる第２の周波数である信号プロセッサと、
無線通信媒体を介して少なくとも第１及び第２の信号部分をデバイスに無線送信するように構成されたリモートアンテナユニットであって、有線通信媒体を介して搬送された送信マップ内で指定されたパラメータに応じて前記無線通信媒体を介した伝送の前に、前記第１及び第２の信号部分のそれぞれ１つを第５の周波数に変換するように構成された第１の変換器及び第２の変換器を制御するように構成されたエンジンを含むリモートアンテナとを含むシステム。
【請求項６０】
前記第１及び第２の変換器は第１の発振器及び第２の発振器の１つを含み、前記エンジンは、前記第１、第２、第３及び第４の発振器のそれぞれを制御し、第６、第７、第８及び第９の周波数でそれぞれ動作させ、前記第１、第２、第３及び第４の信号部分の前記第５の周波数への変換を容易にするようにする請求項５９のシステム。
【請求項６１】
多入力多出力（ＭＩＭＯ）ユーザ機器（ＵＥ）であって、
少なくとも第１の信号部分、第２の信号部分、第３の信号部分及び第４の信号部分を処理するように構成されたフロントエンドと、
第１の周波数の第１の信号部分、第２の周波数の第２の信号部分、第３の周波数の第３の信号部分、第４の周波数の第４の信号部分を共通の第５の周波数に変換するように構成された無線周波数集積回路（ＲＦＩＣ）と、
前記第１、第２、第３及び第４の信号部分を出力信号に結合するように構成されたベースバンドプロセッサと含むユーザ機器。
【請求項６２】
前記フロントエンドは、有線通信媒体を介して搬送された周波数ダイバース信号として前記第１、第２、第３及び第４の信号部分を受信する有線インターフェースを含む請求項６１のユーザ機器。
【請求項６３】
前記フロントエンドは、空間的なダイバース信号として無線通信媒体を介して搬送された前記第１、第２、第３及び第４の信号部分を受信する第１のポート、第２のポート、第３のポート及び第４のポートを含む複数の無線ポートを含み、前記ポートのそれぞれはそこに無線送信された前記第１、第２、第３及び第４の信号部分の有効部分を受信する請求項６１に記載のユーザ機器。
【請求項６４】
前記フロントエンドは、有線通信媒体を介して搬送されたときに、前記第１、第２、第３及び第４の信号部分を周波数ダイバース信号として受信する有線インターフェースを含み、
前記フロントエンドは、無線通信媒体を介して搬送されるときに、空間的なダイバース信号として前記第１、第２、第３及び第４の信号部分を受信する第１のポート、第２のポート、第３のポート及び第４のポートを含む複数の無線ポートを含み、前記ポートのそれぞれはそこに無線で送信された前記第１、第２、第３及び第４の信号部分の有効部分を受信する請求項６１に記載のユーザ機器。
【請求項６５】
前記フロントエンドは、前記第１、第２、第３及び第４の信号部分が前記有線インターフェース又は無線ポートで受信されたかどうかに依存して信号経路を前記フロントエンドを介して有線経路から無線経路に切り替えるように動作可能な１つ以上のスイッチを含む請求項６４に記載のユーザ機器。
【請求項６６】
前記スイッチは、クレードルへの接続が判定されたときに前記有線経路に切り替え、クレードルとの接続が判定されないときに無線経路に切り替えるように自動的に動作可能である請求項６５に記載のユーザ機器。
【請求項６７】
前記フロントエンドは、前記第１、第２、第３及び第４の信号部分のそれぞれについて前記ＲＦＩＣへの出力を含む請求項６１に記載のユーザ機器。
【請求項６８】
前記ＲＦＩＣは、前記出力のそれぞれのための周波数変換器を含み、前記周波数変換器のそれぞれは独立に制御可能な局部発振器を含み、前記第１、第２、第３及び第４の信号部分の前記第５の周波数への周波数変換を容易にする請求項６７に記載のユーザ機器。
【請求項６９】
ハイブリッドファイバ同軸（ＨＦＣ）ネットワークと動作可能であって、無線及び有線のシグナリングを容易にする多入力多出力（ＭＩＭＯ）ユーザ機器（ＵＥ）であって、前記ユーザ機器は、
有線信号を前記ＨＦＣネットワークにインターフェースするための有線通信インターフェース及び無線信号を前記ＨＦＣネットワークにインターフェースするための無線インターフェースを有し、前記インターフェースされた無線及び有線信号のための無線及び有線信号経路を含むフロントエンドと、
前記有線及び無線信号経路について周波数変換された信号を生成するように構成された無線周波数集積回路（ＲＦＩＣ）と、
それに接続されたデバイスに前記周波数変換された信号をインターフェースするように構成されたベースバンドプロセッサとを含むユーザ機器。
【請求項７０】
前記無線インターフェースは複数の無線ポートを含む請求項６９に記載のユーザ機器。
【請求項７１】
前記フロントエンドは、前記無線ポートのそれぞれのための周波数帯域スイッチを含み、それぞれの周波数帯域スイッチは少なくとも第１及び第２の周波数帯域の間で動作可能であり、対応する周波数帯域内で無線信号のインターフェースを容易にする請求項７０に記載のユーザ機器。
【請求項７２】
前記フロントエンドは、前記有線及び無線シグナリング経路を通るアップリンク及びダウンリンク信号をそれぞれインターフェースするために少なくとも１つのアップリンクポート及び少なくとも１つのダウンリンクポートを含む請求項６９に記載のユーザ機器。
【請求項７３】
前記フロントエンドはそれぞれのアップリンクポート及びそれぞれのダウンリンクポートに関連したスイッチを含み、前記スイッチは無線位置と有線位置との間で動作可能であり、前記無線位置は対応する前記アップリンクポート及びダウンリンクポートの１つを前記無線経路の１つに接続し、前記有線位置は前記対応する前記アップリンク及びダウンリンクポートの１つを前記有線経路の１つに接続する請求項７２に記載のユーザ機器。
【請求項７４】
前記フロントエンドは、クレードルへの接続が判定されたときに前記有線経路に切り替え、クレードルとの接続が判定されないときに無線経路への切り替えるようにスイッチを自動的に動作可能であるように設定する請求項７３に記載のユーザ機器。
【請求項７５】
前記ＲＦＩＣは、前記ポートのそれぞれのための周波数変換器を含み、前記周波数変換器のそれぞれは独立に制御可能な局部発振器を含み、周波数変換を容易にする請求項７２に記載のユーザ機器。
【請求項７６】
ハイブリッドファイバ同軸（ＨＦＣ）ネットワークで動作可能であって、前記ＨＦＣネットワークの有線通信媒体を介して送信された周波数ダイバース有線信号から生成されたダウンリンク空間ダイバース無線シグナリングの処理を容易にする多入力多出力（ＭＩＭＯ）ユーザ機器（ＵＥ）であって、前記ユーザ機器は、
空間ダイバース無線信号を受信する複数の無線ポートを有するフロントエンドと、
共通の周波数で受信した受信無線信号の関数として前記フロントエンドから出力された信号を周波数変換するように構成された無線周波数集積回路（ＲＦＩＣ）と、
それに接続されたデバイスに前記周波数変換された信号をインターフェースするように構成されたベースバンドプロセッサとを含むユーザ機器。
【請求項７７】
前記フロントエンドは、前記無線ポートのそれぞれのための周波数帯域スイッチを含み、それぞれの周波数帯域スイッチは少なくとも第１及び第２の周波数帯域の間で動作可能であり、対応する周波数帯域内で無線信号のインターフェースを容易にする請求項７６に記載のユーザ機器。
【請求項７８】
前記フロントエンドは、前記ＲＦＩＣで無線ポート信号のそれぞれに関連する信号をそれぞれインターフェースする少なくとも１つの出力を含む請求項７６に記載のユーザ機器。
【請求項７９】
前記ＲＦＩＣは、前記出力のそれぞれのための周波数変換器を含み、前記周波数変換器のそれぞれは独立に制御可能な局部発振器を含み、周波数変換を容易にする請求項７８に記載のユーザ機器。
【請求項８０】
前記フロントエンドは、前記無線ポートのそれぞれのためのダイプレックスフィルタを含み、前記ダイプレックスフィルタは前記受信した無線信号が前記ＲＦＩＣに導かれ、前記ＲＦＩＣから受信したアップリング無線信号を導き対応するポートから送信されるようにすることを可能にする請求項７９に記載のユーザ機器。
【請求項８１】
無線シグナリングを容易にする方法であって、
第１のデバイスへの送信に望ましい第１の信号を決定し、
前記第１の信号を少なくとも第１の部分、第２の部分、第３の部分及び第４の部分に分離し、前記第１、第２、第３及び第４の部分のそれぞれは、少なくとも、それぞれが異なる周波数で変調されている周波数ダイバースであり、
有線通信媒体を介した前記第１、第２、第３及び第４の部分の送信を容易にし、前記第１、第２、第３及び第４の部分の少なくとも１つは第１のリモートアンテナユニットで受信され、前記第１、第２、第３及び第４の部分の少なくとも１つは第２のリモートアンテナユニットで受信され、前記第１及び第２のリモートアンテナユニットは受信した第１、第２、第３及び第４の部分の１つ以上を無線通信媒体を介して前記第１のデバイスに送信するように構成されたことを含む方法。
【請求項８２】
前記第１、第２、第３及び第４の部分は、前記無線通信媒体を介して後続して送信されたときより、前記有線通信媒体を介してより大きい距離を移動するように送信を容易にしたことをさらに含む請求項８１に記載の方法。
【請求項８３】
利用可能な複数のリモートアンテナユニットから前記第１及び第２のリモートアンテナユニットを選択し、前記第１、第２、第３及び第４の部分を前記第１のデバイスに送信することを容易にすることをさらに含む請求項８１に記載の方法。
【請求項８４】
前記第１のデバイスの第１の位置に対して前記複数のリモートアンテナユニットのそれぞれについて空間ダイバーシティを判定し、空間ダイバーシティに少なくとも一部に基づいて前記複数のリモートアンテナユニットから前記第１及び第２のリモートアンテナユニットを選択することをさらに含む請求項８３に記載の方法。
【請求項８５】
前記第１の位置に対して前記複数のリモートアンテナユニットのそれぞれの角度位置を計算することによって空間ダイバーシティを判定することをさらに含む請求項８４に記載の方法。
【請求項８６】
角度閾値より大きい関連する角度位置を有することに少なくとも一部基づいて前記第１及び第２のリモートアンテナユニットを選択することをさらに含む請求項８４に記載の方法。
【請求項８７】
利用可能な複数のリモートアンテナユニットから前記第１及び第２のリモートアンテナユニットを選択し、前記第１、第２、第３及び第４の部分を前記第１のデバイスに送信することを容易し、前記第１のデバイスの第１の位置に対する前記複数のリモートアンテナユニットのそれぞれについてのビーム形成機能を判定し、前記第１及び第２のリモートアンテナユニットはビーム形成機能に少なくとも一部が基づいて選択されることをさらに含む請求項８１に記載の方法。
【請求項８８】
無線シグナリングを前記第１の位置に導くことを容易にするために十分なビーム形成機能を有する前記複数のリモートアンテナユニットの少なくとも２つから前記第１及び第２のリモートアンテナユニットを選択することをさらに含む請求項８７に記載の方法。
【請求項８９】
第１及び第２のリモートアンテナユニットのそれぞれにビーム形成命令を提供し、前記ビーム形成命令は、前記第１の位置に無線シグナリングを導くことを容易にするために十分なように、そこから放出された無線シグナリングの振幅及び位相又は遅延を制御することをさらに含む請求項８８の方法。
【請求項９０】
前記第１の位置から第２の位置への動作に基づいて前記無線シグナリングの増幅及び位相又は遅延を調整するために、前記第１及び第２のリモートアンテナユニットのそれぞれに更新されたビーム形成命令を提供し、前記無線シグナリングが前記第１の位置よりも前記第２の位置に導かれるようにする請求項８９に記載の方法。
【請求項９１】
前記第１及び第２のリモートアンテナユニットに前記第１、第２、第３及び第４の部分を第１の周波数で送信するように命令することをさらに含む請求項８１に記載の方法。
【請求項９２】
請求項９１に記載の方法であって、
第２のデバイスで無線受信するために望ましい第２の信号を決定し、
前記第２の信号を少なくとも第５の部分、第６の部分、第７の部分及び第８の部分に分離し、前記第５、第６、第７及び第８の部分のそれぞれは、少なくとも、それぞれが異なる周波数で変調されている周波数ダイバースであり、
前記有線通信媒体を介した前記第５、第６、第７及び第８の部分の伝送を容易にし、前記第５、第６、第７及び第８の部分の少なくとも１つは前記第１のリモートアンテナユニットで受信され、前記第５、第６、第７及び第８の部分の少なくとも１つは前記第２のリモートアンテナユニットで受信され、前記第１及び第２のリモートアンテナユニットは前記受信した前記第５、第６、第７及び第８の部分の１つ以上を前記無線通信媒体を介して第２の周波数で無線送信するように構成され、前記第２の周波数は前記第１、第２、第３及び第４の部分を無線送信するのに用いられる第１の周波数とは異なるようにすることをさらに含む方法。
【請求項９３】
無線シグナリングを容易にする方法であって、
第１のデバイスへの送信に望ましい第１の信号を判定し、前記第１の信号は有線通信媒体を部分的に介した第１のデバイスへの送信について少なくとも第１の部分、第２の部分、第３の部分及び第４の部分に分離され、
前記第１、第２、第３及び第４の部分の１つ以上を前記第１のデバイスに無線送信するのを容易にするために十分な機能を有する前記有線通信媒体に接続された複数のリモートアンテナユニットを判定し、
前記複数のリモートアンテナユニットの相対的な無線通信機能に基づいて、前記第１、第２、第３及び第４の部分の１つ以上を前記第１のデバイスに無線で送信するために、前記複数のリモートアンテナユニットの少なくとも第１のリモートアンテナユニット及び第２のリモートアンテナユニットを判定し、前記相対的な無線通信機能は前記第１のデバイスと無線通信する前記複数のリモートアンテナユニットのそれぞれの機能を表すことを含む方法。
【請求項９４】
前記第１のデバイスの第１の位置に対して前記複数のリモートアンテナユニットのそれぞれについて空間ダイバーシティを判定し、空間ダイバーシティに少なくとも一部に基づいて前記複数のリモートアンテナユニットから前記第１及び第２のリモートアンテナユニットを選択することをさらに含む請求項９３に記載の方法。
【請求項９５】
前記第１の位置に対して前記複数のリモートアンテナユニットのそれぞれの角度位置を計算することによって空間ダイバーシティを判定することをさらに含む請求項９４に記載の方法。
【請求項９６】
角度閾値より大きい関連する角度位置を有することに少なくとも一部基づいて前記第１及び第２のリモートアンテナユニットを選択することをさらに含む請求項９４に記載の方法。
【請求項９７】
前記第１のデバイスの第１の位置に対して前記複数のリモートアンテナユニットのそれぞれについてビーム形成機能を決定し、前記第１及び第２のリモートアンテナユニットはビーム形成機能に少なくとも一部基づいて選択されることをさらに含む請求項９３に記載の方法。
【請求項９８】
無線シグナリングを前記第１の位置に導くことを容易にするために十分なビーム形成機能を有する前記複数のリモートアンテナユニットの少なくとも２つから前記第１及び第２のリモートアンテナユニットを選択することをさらに含む請求項９７に記載の方法。
【請求項９９】
第１の周波数で前記少なくとも第１及び第２のリモートアンテナユニットから第１、第２、第３及び第４の部分のそれぞれを送信することをさらに含み、前記第１の周波数は前記有線通信媒体を介して送信される前記第１、第２、第３及び第４の部分の周波数と異なり、前記第１、第２、第３及び第４の部分のそれぞれは、前記有線通信媒体を介して送信されるときに周波数ダイバースである請求項９３に記載の方法。
【請求項１００】
無線シグナリングを容易にするシステムであって、
部分的に有線通信媒体を介して第１のデバイスに伝送するために望ましい第１の信号を少なくとも第１及び第２の部分に分離するように構成され、前記少なくとも第１及び第２の部分は周波数ダイバースである信号プロセッサと、
前記少なくとも第１及び第２の部分を第１のデバイスに無線で通信することを容易にする十分な機能を有し、前記少なくとも第１及び第２の部分を非周波数ダイバース無線信号に変換する十分な機能を含む複数のリモートアンテナユニットとを含み、
前記信号プロセッサは、前記複数のリモートアンテナユニットの第１のリモートアンテナユニット及び第２のリモートアンテナユニットを判定し、前記複数のリモートアンテナユニットの相対的な無線通信機能に基づいて、前記第１及び第２の部分のそれぞれの１つを無線で送信するようにするシステム。
【発明の詳細な説明】
【技術分野】
【０００１】
関連出願の相互参照
この出願は、２０１３年２月１６日に出願された米国特許出願第１３／７６９２８８号及び２０１３年７月１１日出願された米国仮出願第６１／８４５３４０号の利益を主張し、これらの開示は、参照により本明細書にその全体が組み込まれる。
【０００２】
技術分野
本発明は、多入力多出力（ＭＩＭＯ）又はマルチパス通信を容易にできるようにするような、しかしこれらに限定されない通信システム及び信号プロセッサに関する。
【背景技術】
【０００３】
無線通信システムは、マルチパス通信を容易にするために多入力多出力（ＭＩＭＯ）技術を使用することがある。ＭＩＭＯシステムのマルチパス機能は、単一パスシステムを超える容量まで効果的に増加させるために、データが、複数の送信デバイスと複数の受信デバイスとの間でマルチパスを介して同時に送信されることを可能にしている。
【図面の簡単な説明】
【０００４】
【図１】図１は、本発明の非限定的な一態様による多入力多出力（ＭＩＭＯ）通信システムを示している。
【図２ａ】図２ａは、本発明の非限定的な一態様により、有線シグナリングモードを容易にするときの通信システムの動作を概略的に示している。
【図２ｂ】図２ｂは、本発明の非限定的な一態様により、有線シグナリングモードを容易にするときの通信システムの動作を概略的に示している。
【図３】図３は、本発明の非限定的な一態様による周波数選択マップを示している。
【図４ａ】図４ａは、本発明の非限定的な一態様により、無線シグナリングモードを容易にするときの通信システムの動作を概略的に示している。
【図４ｂ】図４ｂは、本発明の非限定的な一態様により、無線シグナリングモードを容易にするときの通信システムの動作を概略的に示している。
【図５ａ】図５ａは、本発明の非限定的な一態様により、拡張空間ダイバーシティを有する無線シグナリングを容易にするときの通信システムの動作を概略的に示している。
【図５ｂ】図５ｂは、本発明の非限定的な一態様により、拡張空間ダイバーシティを有する無線シグナリングを容易にするときの通信システムの動作を概略的に示している。
【図６ａ】図６ａは、本発明の非限定的な一態様により、拡張空間ダイバーシティを有する無線シグナリングを容易にするときの通信システムの動作を概略的に示している。
【図６ｂ】図６ｂは、本発明の非限定的な一態様により、拡張空間ダイバーシティを有する無線シグナリングを容易にするときの通信システムの動作を概略的に示している。
【図７】図７は、本発明の非限定的な一態様によるシグナリングを容易にするように構成された信号プロセッサを示している。
【図８】図８は、本発明の非限定的な一態様によるシグナリングを容易にするように構成された信号プロセッサを示している。
【図９】図９は、本発明の非限定的な一態様によるシグナリングを容易にするように構成された信号プロセッサを示している。
【図１０】図１０は、本発明の非限定的な一態様によるシグナリングを送信するための方法のフローチャートを示している。
【図１１】図１１は、本発明の非限定的な一態様により検討されるような空間ダイバーシティを示す図である。
【図１２】図１２は、本発明の非限定的な一態様により、無線シグナリングを容易にするときの信号プロセッサを制御する方法のフローチャートを示している。
【図１３】図１３は、本発明の非限定的な一態様によるリモートアンテナユニットを示している。
【図１４】図１４は、本発明の非限定的な一態様により、無線シグナリングを容易にするためにリモートアンテナユニットを制御する方法のフローチャートを示している。
【図１５】図１５は、本発明の非限定的な一態様によるユーザ機器（ＵＥ）を示している。
【図１６】図１６は、本発明の非限定的な一態様によるユーザ機器（ＵＥ）を示している。
【図１７】図１７は、本発明の非限定的な一態様によるユーザ機器（ＵＥ）を示している。
【図１８】図１８は、本発明の非限定的な一態様によるユーザ機器
【図１９】図１９は、本発明の非限定的な一態様によるユーザ機器（ＵＥ）を示している。
【図２０】図２０は、本発明の非限定的な一態様によるユーザ機器（ＵＥ）を制御する方法のフローチャートを示している。
【発明を実施するための形態】
【０００５】
必要に応じて、本発明の詳細な実施形態が本明細書に開示されるが、開示された実施形態は、様々な代替の形態で実施することができる本発明の単なる例示であることを理解されたい。図面は、必ずしも原寸に比例していない。いくつかの特徴は、特定の構成要素の詳細を示すために誇張され又は最小化されている。したがって、本明細書に開示された特定の構造及び機能の詳細は限定するものと解釈されるべきではなく、本発明を様々に採用する当業者に教示する単に代表的な基礎としてとして解釈されるべきである。
【０００６】
図１は、本発明の非限定的な一態様による多入力多出力（ＭＩＭＯ）通信システム１０を示している。システム１０は、信号プロセッサ１２と、終端局（ＥＳ）、ユーザ機器（ＵＥ）、アクセスポイント（ＡＰ）又は他のデバイスの１つ以上との間の電子シグナリングを容易にするように構成されてもよい。信号プロセッサ１２は、実質的に任意の種類の伝送を促進するように構成してもよい。すなわち、ケーブル、衛星、又は放送テレビジョンサービスプロバイダ、セルラーサービスプロバイダ、及び高速データサービスプロバイダ、インターネットサービスプロバイダ（ＩＳＰ）など、しかしこれらに限定されない多数のシステムオペレータ（ＭＳＯ）に関連したシグナリングを含んでいる。システム１０は、第１のフィード１４、第２のフィード１６、（７個の独立したフィードを表す）第３のフィード１８をサポートする信号プロセッサ１２に関して示されているが、多かれ少なかれフィードは送信のために受信されてもよい。各フィード１４、１６、１８は、ベースバンド又は他の適切な信号としてローカル又はリモートの供給元デバイス／エンティティから信号プロセッサ１２に通信されたデータを含んでもよい。各フィードは伝送について信号プロセッサ１２で処理してもよく、これに代わって、各フィードについて別個の又は独立の信号プロセッサを含む信号プロセッサ１２で処理してもよい。第１及び第２のフィード１４、１６はセルラー関連のシグナリング（例えば携帯電話に関連するシグナリング）に関連してもよく、第３のフィード１８はケーブル関連のシグナリング（例えばテレビ番組及び／又はインターネットデータのダウンロードの配信に関連するシグナリング）に関連してもよい。マスターコントローラ２０は、スタンドアロン構成部分として含まれてもよく、及び／又は本明細書中で検討する操作を容易にするために例示する構成部分の１つに統合されてもよい。
【０００７】
終端局ＥＳは、ユーザが通信システム１０を介して伝送されたシグナリングと直接又は間接にインターフェースすることを容易にするために十分な機能を有する電子的に操作可能なデバイスに対応している。終端局のＥＳは、ゲートウェイ、ルータ、コンピュータ、移動電話、携帯電話、メディア端末アダプタ（ＭＴＡ）、ボイスオーバーインターネットプロトコル（ＶｏＩＰ）対応デバイス、テレビ、セットトップボックス（ＳＴＢ）、ネットワークアドレス変換器（ＮＡＴ）等であってもよい。例示的な非限定的な目的のために、第１の終端局２２は有線タイプのデバイスとして示され、無線及び／又は有線接続を介してテレビ又は他のデバイスにシグナリングを出力するように構成されたホームゲートウェイ又はセットトップボックスなどであり、第２の終端局２４は無線タイプのデバイスとして示され、リモートアンテナユニット、無線コンピュータ、テレビ又は携帯電話などであり、任意に、無線及び／又は有線接続を用いてシグナリングをインターフェースするのに十分な機能を有する。このような第１及び第２の終端局２２、２４の使用は、ユーザが第１及び第２の終端局２２、２４に関連する位置の間を移動しながらテレビ番組にアクセスを続けるのを容易にするため有益であってもよい。コンテンツへの継ぎ目のないアクセスは異なる終端局又は終端局の機能を用いることによって提供されてもよく、例えば、第２の終端局２４の無線機能は１つの位置で使用してもよく、第１の終端局２２の有線機能は他の位置で使用されてもよい。
【０００８】
本発明は、無線と有線通信との相違を考慮する。有線通信は、いかなる種類の電子信号の交換に対応してもよく、電線、同軸ケーブル、光ファイバ又は他の結合された媒体は関連するシグナリングの少なくとも一部を容易にする又はそうでなければ導くために使用され、通信デバイス／プロセッサの外で交換されるシグナリングを含む。有線通信は、ケーブルテレビ配信システム又はインターネット又は非インターネットベースのデータ通信システムに関連するファイバ／ケーブルバックボーンを少なくとも部分的に介して搬送されるものを含むが、必ずしもこれに限定されない。無線通信は、いかなる種類の電子信号の交換に対応してもよく、アンテナ、アンテナポート又はデバイスの他の送信タイプは無線周波数（ＲＦ）信号としてシグナリングの少なくとも一部を通信するために使用され、無線リンクを介して又はバインドされていない又は空気媒体を介するように、任意で米国特許出願に記載されたような手法による。無線通信は、衛星通信、セルラー通信及びＷｉ−Ｆｉ通信を含むが、必ずしもこれらに限定されない。有線及び無線通信並びに対応する媒体の使用は、本発明を特定の種類の媒体、プロトコル、又は標準のいずれにも限定することを意図するものではなく、代わりに、例えばバインドされた及びバインドされていないもののような２つの種類の通信の間の差異に留意する。
【０００９】
通信システム１０を介して送信するために望ましい信号は、信号プロセッサ１２に関連するヘッドエンドユニット３０で受信され、その後、ファイバノード３２への１つ以上のファイバによって搬送されてもよい。ファイバノード３２は、ケーブルテレビ配信システム３４の一部であってもよく、そこから複数の同軸ケーブは異なる地理的領域へのさらなる配信を容易にすることができ、任意にスプリッタ及び／又は増幅器を用いてもよい。同軸ケーブルは、（長方形で示される）複数のタップを含むことが示され、それを介して様々な終端局ＥＳが接続され、ヘッドエンドに関連する有線シグナリング及び／又は他のシグナリング、例えば、他の種類のコンテンツ及び／又はデータ送信に関連したシグナリングを受信してもよい。第１の終端局２２はタップの１つに接続されていることが示され、ローカルに接続された第１のユーザ機器（ＵＥ）３８に送信される信号のインターフェースを容易にする。ＨＦＣを介したＬＴＥを使用して、終端局２２とＵＥ３８との間の通信は、直接ではなく、信号プロセッサ１２を介して行うことができる。終端局２２とＵＥ３８との間の通信は、ＷｉＦｉ又はＭｏＣＡ又はイーサネット（登録商標）のような通信の他の手段が使用されている場合には直接行うことができる。終端局２２とＵＥ３８との間の通信は、ＬＴＥを使用して、ＨＦＣを介するが別個のシステムを介して行うこともでき、終端局２２は信号プロセッサ機能及びＵＥ３８機能をこのローカルな「ＨＦＣネットワークを介したホームＬＴＥ」の終端局として有してもよい。第１の終端局２２は、ＵＥ３８への有線及び／又は無線通信のための周波数ダイバース信号の処理を容易にするように構成されてもよく、ＵＥ３８はテレビであることが示されているが、携帯電話、タブレット等のいずれの他のタイプのデバイスであって、有線及び無線通信の１つ又は両方を用いてテレビ又はデータシグナリングにアクセスするために十分な機能を有するものであってもよい。第１の終端局２２は、周波数ダイバースシグナリングを出力シグナリングストリームに変換することによって、第１のＵＥ３８に伝送される信号のインターフェースを容易にするように構成されてもよい。
【００１０】
第３の終端局４０は、第２の終端局２４との無線シグナリングを容易にするように構成されていることが示されている。第３の終端局４０は、有線分散システム３４を介して搬送される前記周波数ダイバース信号を空間的なダイバース信号又は他の適切なタイプのＲＦ信号に変換するように構成されてもよい。第３の終端局４０は、Ｗｉ−Ｆｉアクセスポイント、ルータ、セルラータワー、基地局等の一部として含まれてもよい。無線シグナリングを出力する第３の終端局４０の機能は、ライセンシング又は他の制限が前記第３の終端局４０からどのように前記無線信号を送信することができるのかを制限する場合に有益であってもよく、例えば、周波数の使用制限は、前記第３の終端局４０によって前処理されることなく前記分散システム３４を介して前記第２の終端局２４へ搬送される前記周波数ダイバース信号の出力を阻んでもよい。第３の終端局４０は、前記分散システム３４を介して搬送される前記周波数ダイバース信号を前記第２の終端局２４で使用するためにライセンスされた他の周波数特性を有する適切な無線信号に前処理するように構成されてもよい。
【００１１】
第３の終端局４０は、受信した有線シグナリングを第２の終端局２４に関連する任意の制限に適切な無線シグナリングに変換するように構成されてもよい。第３の終端局４０は、ユーザが異なる種類のデバイスを介してコンテンツにアクセスする、及び／又は他の無線送信周波数及び通信媒体の使用を容易にするために有用であり得る。第３の終端局４０は、対応するシグナリングストリームの発信元に割り当てられた周波数範囲に応じて空間的ダイバース信号の出力を容易にするように構成されてもよい。第２の終端局２４は、空間的なダイバースシグナリングを処理するために十分な機能を有するハンドセット、携帯電話又は他のデバイスであってもよく、例えば携帯電話の発呼のインターフェースを容易にするようなものである（追加の処理は第２の終端局２４においてなされてもよく、前記シグナリングストリームに望ましい前記電話の発呼又は他の操作を容易にする）。第４の終端局４２は、第２の終端局２４との無線でインターフェースされて搬送されたシグナリングを容易にするように構成されてもよく、例えば以下でより詳細に説明するような方法で前記インターフェースされた無線信号の空間的なダイバーシティを向上させる。
【００１２】
図２ａ〜２ｂは、本発明の非限定的な一態様により有線シグナリングモードを容易にするときの通信システム１０の動作を模式的に図示している。有線シグナリングモードは、信号プロセッサ１２が、入力信号４４を受信し、有線通信媒体３４の少なくとも一部を介した送信のために入力信号を処理し、第１の終端局２２が送信されたシグナリングを出力信号４６になるように処理することに対応している。出力信号４６は、その後、最終的な使用のために第１のＵＥ３８又は他のデバイスに送信してもよい。信号プロセッサ１２は、基地局、ｅＮｏｄｅＢ、信号プロセッサ又は前記通信システムを介してシグナリングを伝送するように構成された他の処理要素（例えば、フィード１４、１６、１８の１つ）から前記入力信号を受信するように構成されてもよい。基地局は、インターネットサービスプロバイダ、ケーブルテレビソーシングエンティティ、携帯電話プロバイダ又は送信のために前記信号プロセッサ１２にデータを提供する機能のある他のソースに関連してもよい。入力信号４４は、データを表現するのに十分なベースバンド信号、非連続波（ＣＷ）タイプの信号及び／又は他のシグナリング及び／又はストリーミングの形態であってもよく、例えばバイナリデータのビット／バイト及び変化する電圧又は光の強度であってもよい。）任意に、入力信号４４は、少なくとも、周波数ダイバースシグナリング及び／又は空間的ダイバースシグナリングを用いる送信のために分割されるのとは逆に単一のストリーム／信号内で搬送されている点において、非ダイバース信号であってもよい。
【００１３】
通信システム１０は、ソーシングエンティティに関連する発信元アドレスからの入力信号４４（入力データ、メッセージ、ビデオ、オーディオ等）の第１のＵＥ３８（又は他の終端局）に関連する宛先アドレスへの伝送を容易にするように構成されてもよい。本発明は、１つ以上の考慮している通信媒体を介して中間信号の長距離送信を提供する前に、入力信号４４を中間信号に変換するように構成された信号プロセッサ１２を考慮し、中間信号が他の信号プロセッサ、例えば中間信号を出力信号４６に変換する第１の終端局２２の信号プロセッサ４８で再処理できるようにする。このように、出力信号４６は、第１の信号プロセッサ１２で処理される前に、入力信号４４と同じ形態を取ってもよい。任意に、第２の信号プロセッサ４８は、信号の別の種類として出力信号４６を生成するように構成されてもよい。信号４６は、信号プロセッサ４８から出てくるときに周波数又は空間ダイバースでなくてもよく、例えば信号４６は、逆空間又は周波数ダイバース信号を再生成するために１２のような他のプロセッサを要してもよい。これは、ＨＦＣアクセスネットワークを介してより大きな通信範囲に拡張するホーム「ＬＴＥオーバーＨＦＣ」を実施することが最もありそうであろう。周波数又は空間ダイバース信号を拡張する他の方法は、終端局４０に類似の終端局を使用し、プロセッサ４８に類似の信号プロセッサを使用することなく空間又は周波数ダイバース信号に変換することを含んでもよい。第２の信号プロセッサ４８は、第１のＵＥ３８のシグナリング機能を評価し、第１のＵＥ３８の機能で動作するように出力信号４６の特性を調整するように構成してもよい。
【００１４】
第１の信号プロセッサ１２は、符号語多重化デバイス５２を含んでもよい。符号語多重化デバイス５２は、入力信号４４を複数の信号部分５４、５６、５８、６０に多重化するように構成してもよい。符号語多重化デバイス５２は、入力信号４４を第１の信号部分５４、第２の信号部分５６、第３の信号部分５８及び第４の信号部分６０に多重化する非限定的な目的のために構成されることが示されている。符号語多重化デバイス５２は、パリティ情報を追加することによって堅牢性を追加できるように、信号部分５４、５６、５８、６０内で／を用いて符号化を容易にするように構成されてもよい。符号語多重化デバイス５２は、各信号部分５４、５６、５８、６０に追加ビットを加えてもよく、１つ以上の信号部分５４、５６、５８、６０が通信間に失われた場合に発信元信号を再構築する堅牢性及び機能を増加させる。非常に良好な環境では、符号語多重化デバイス５２により提供される処理は当然することができるが、特にＭＩＭＯの多くのアプリケーションでは実際には符号語を備えた付加的な堅牢性を必要としてもよい。４つの信号部分５４、５６、５８、６０の使用が有益であると思われるが、これは、特定の実装がＭＩＭＯ動作を容易にすることを考慮し、分割部分が４つの独立なアンテナポートに対応するからである。符号語多重化デバイス５２は、入力信号４４を信号部分５４、５６、５８、６０のそれぞれに分割し、各信号部分５４、５６、５８、６０は入力信号４４の少なくとも別の部分を搬送するように構成してもよい。
【００１５】
信号プロセッサ１２は、複数の変調マッピングデバイス６２、６４、６６、６８を含んでもよい。変調マッピングデバイス６２、６４、６６、６８は、コンステレーションシンボルに関して第１、第２、第３及び第４の信号部分５４、５６、５８、６０の受信された１つをフォーマットするように構成してもよい。マッピングデバイス６２、６４、６６、６８は、例えば、デジタルストリームを取ってもよいし、情報を異なるコンステレーションシンボルを規定する座標値に変換してもよい。コンステレーションシンボルは、有線通信３４を介した長距離送信のスケジューリングを容易にするために通信システム１０内で使用される送信機構に対応してもよく、コンスタレーションシンボルは、例えば、その開示が本明細書にその全体が参考として援用される米国特許出願第１２／９５４０７９号明細書で開示されたＭＡＰに関連している。このようにして、変調マッピングデバイス６２、６４、６６、６８は、システム１０内の実際の送信のために符号語多重化デバイス５２から受け取ったデータの操作を容易にするように構成してもよい。変調マッピングデバイス６２、６４、６６、６８は、符号語多重化器５２から出力されたビット／バイトを特定の期間及び／又は周波数又は通信媒体３４を介した送信に関連する他の座標にマップ又はそうでなければ関連付けるように構成されてもよい。
【００１６】
信号処理プロセッサ１２は、複数の直交周波数分割多重化（ＯＦＤＭ）処理デバイス７０、７２、７４、７６を含んでもよい（本明細書ではＯＦＤＭ処理デバイスが一例として含まれるが、他のタイプのマルチキャリア又は単一キャリア処理デバイスが使用されてもよい）。ＯＦＤＭ処理デバイス７０、７２、７４、７６は、複数のサブキャリアを介して第１、第２、第３及び第４の信号部分５４、５６、５８、６０の受信した１つの送信を容易にするように構成してもよい。ＯＦＤＭ処理デバイス７０、７２、７４、７６は、複数の狭帯域サブキャリアの独立した１つを使用して各信号部分５４、５６、５８、６０を送信することを容易にするように構成してもよい。変調マッピングデバイス６２、６４、６６、６８から得られたコンステレーションシンボルは、特定のサブキャリアがマップされてもよい複数の値を規定するように使用してもよい。複数の狭帯域のサブキャリアの使用は、単一の広帯域搬送波の実装と比較して、特定の無線環境において有益であってもよい。原理的には、広帯域キャリア周波数は周波数又は空間ダイバース情報を搬送するためにも使用されることができるが、複数の狭帯域サブキャリアの例はより良い性能を提供できるようにする可能性が高い環境特性に基づいて使用される。ＯＦＤＭ処理デバイス７０、７２、７４、７６は、各信号部５４、５６、５８、６０について変調マッピングデバイス６２、６４、６６、６８によって提供された理論的なマッピングを信号プロセッサ１２を超えて実際に送信された対応する信号を規定するようになる特定のパラメータを有する実際の信号ストリーム（スペクトル）に変換するように構成してもよい。このように、ＯＦＤＭ処理デバイス７０、７２、７４、７６は、変調マッピングデバイス６２、６４、６６、６８に関連するバイナリ表現を実際のスペクトル（例えば、変換器８０、８２、８４、８６によって受信した信号）にマップするように構成してもよい。
【００１７】
信号プロセッサ１２は、変換デバイス８０、８２、８４、８６を複数含んでもよい。変換デバイス８０、８２、８４、８６は、受信した第１、第２、第３及び第４の信号部分５４、５６、５８、６０に関連するシグナリングを受信周波数から所望の出力周波数に変換するように構成されてもよい。変換デバイス８０、８２、８４、８６は、第１、第２、第３及び第４の信号部分５４、５６、５８、６０のそれぞれを異なる周波数に変換することが示され、それらは、対応して第１の周波数（Ｆ１）、第２の周波数（Ｆ２）、第３の周波数（Ｆ３）及び第４の周波数（Ｆ４）として図示されている。符号語多重化デバイス５２から出力された各信号部分５４、５６、５８、６０の異なる周波数への変換は、周波数ダイバーシティを提供するのに有用であってもよい。周波数ダイバーシティは、媒体３４を介した複数の周波数多重信号の同時の送信を可能し、それによって、媒体１１０を介する複数の空間多重化信号よりも多くのデータが伝送することを可能にしてもよい。ＨＦＣ環境では、理想に近いか、真の直交性又はダイバーシティが達成されてもよいが、無線媒体を介する空間ダイバーシティはそれほど効率的でない。
【００１８】
図３は、本発明の１つの非限定的な態様による周波数選択マップ９０を示している。周波数変換マップ９０は、信号プロセッサを８０、８２、８４、８６を用いて行う周波数変換の選択を容易にするために使用してもよい。周波数選択マップ９０は、通信媒体３４内の上流側及び下流側への伝送を容易にするために割り当てられた複数の周波数間隔を含んでもよい。周波数の追加の間隔は、上流／下流の周波数間の下落及びその他の干渉を防ぐため、上流と下流の関連する周波数の間の遷移境界として確保しておいてもよい。マッピングテーブルは、特定のフィード１４、１６、１８について確保された一定の周波数範囲を示すため、下流側の間隔の各１つ内のフィード基準（Ｆ１、Ｆ２、Ｆ３、Ｆ４、Ｆ５、Ｆ６、Ｆ７、Ｆ８、及びＦ９）を含むことが示されている。通信システム１０の１つの非限定的な構成は、互いに干渉することなく通信媒体を介して下流に同時に伝送される９つのフィードを考慮する。
【００１９】
潜在的にサポート可能なフィード１４、１６、１８のそれぞれは、マッピング戦略、ライセンス戦略又は動作要件に依存する間隔の特定の１つに割り当ててもよい。各フィード１４、１６、１８の周波数は、対応する入力信号４４の発信元によって判定してもよい。信号プロセッサ１２は、マッピングテーブル９０のどの部分がその発信元の信号の伝送をサポートするために割り当てられたかの同定を容易にするために、対応する入力信号４４で受信した付加情報から発信元を同定してもよい。６９０から７７０ＭＨｚの範囲のダウンストリーム周波数スペクトルの第１の間隔は、第１のフィード１４の発信元に関連するシグナリングをサポートするために割り当てられている。７７０から８５０ＭＨｚの範囲のダウンストリーム周波数スペクトルの第２の間隔は、第２のフィード１６の発信元に関連するサポートシグナリングを割り当てられている。他のフィード１８に割り当てられた下流周波数スペクトルの対応する間隔は、図示されたＦ３、Ｆ４、Ｆ５、Ｆ６、Ｆ７、Ｆ８及びＦ９の名称の１つを参照して示されている。
【００２０】
第１のフィード１４を処理するとき、各対応する信号部分５４、５６、５８、６０の変換を容易にするために割り当てられた変換デバイス８０、８２、８４、８６は、選択マップの対応する間隔、すなわち、６９０〜７７０ＭＨｚ内から４つの異なる出力周波数を選択するように構成されてもよい。６９０〜７７０ＭＨｚの間隔内の各変換器８０、８２、８４、８６について選択された特定の周波数は、中心周波数の間隔を最大にするために決定することができ、例えば、第１の周波数（Ｆ１）は７１０ＭＨｚに対応してもよく、第２の周波数（Ｆ２）は７３０ＭＨｚに対応してもよく、第３の周波数（Ｆ３）は７５０ＭＨｚに対応してもよく、第４の周波数（Ｆ４）は７７０ＭＨｚに対応してもよい。選択マップ９０における間隔は、所望の周波数間隔を容易にするために、特定の中心周波数オフセットに調整することができ、例示的な非限定的な目的のためには２０ＭＨｚに対応するように選択される。信号プロセッサ１２は、第２のフィード１６の同時の送信をサポートするためにデバイスの別のセットを含んでもよく、対応する変換器は７９０ＭＨｚ、８１０ＭＨｚ、８３０ＭＨｚ及び８５０ＭＨｚで第２のフィードに関連する信号部分を出力するように構成してもよい。（追加のフィードをサポートするために使用されるデバイスは表示されていないが、任意に追加のフィードをサポートするために含まれる追加の重複で図２に示されているデバイスを重複するようにしてもよい。）
【００２１】
信号プロセッサ１２は、本明細書に記載したように変換デバイス８０、８２、８４、８６とともに他の信号プロセッサから、又はＣＡＴＶネットワークを介して送られる他のサービスからの他のプロセッサから信号部分５４、５６、５８、６０を受け取るように構成されたコンバイナ９２を含むように構成されてもよい。コンバイナ９２は、通信媒体３４を介した送信について受信周波数ダイバース信号を集約するように構成してもよい。コンバイナ９２は、レーザ送信機（図１の光送信機／受信機（ｏｐｔ．Ｔｘ／Ｒｘ）を参照）に送信して光媒体を介した後続する変調を容易にするため、及び／又はハイブリッドファイバ同軸（ＨＦＣ）又は他の有線通信媒体３４への直接の送信のために、受信した第１、第２、第３及び第４の信号部分５４、５６、５８、６０を準備するように構成されてもよい。レーザ送信機は、通信媒体３４の１つ以上のファイバ及び／又は同軸部分を介した送信のために後続して変調される単一／共通入力としてコンバイナ９２からシグナリング（ｈ１１、ｈ２２、ｈ３３、ｈ４４）を受信するように構成されてもよい。通信媒体３４は、第１の終端局２２における後続の受信について信号部分５４、５６、５８、６０の長距離送信を容易にするために使用してもよい。この種類の周波数ダイバースシグナリングの長距離送信は、入力４４で信号プロセッサに受信された非周波数ダイバースシグナリングを処理して得られ、シグナリングのスループットを最大にするために有用であってもよい。
【００２２】
第２の信号プロセッサ４８は、プロセッサ、複数のダウンコンバータデバイス、複数のＯＦＤＭ処理デバイス又は別のマルチキャリア又は単一キャリア処理デバイス、複数の変調デマッピングデバイス、及び符号語逆多重化デバイスを含んでもよい。これらのデバイスは、出力信号４６の生成を容易にするために、信号プロセッサ１２に関して上述したものと逆の操作を容易にするように構成されてもよい。信号プロセッサ１２、４８は考慮する信号送信を容易にするために種々のデバイスを含むことに関して記載されているが、信号プロセッサ１２、４８は他の電子機器、機能、ハードウェア、プロセッサ、又は考慮する信号操作を達成するために十分な機能を有するインフラストラクチャのタイプを含んでもよい。第１の終端局２２は、特に、第１のＵＥ３８への出力信号４６の通信を容易にするために、出力ポート又は他のインターフェースを含んでもよい。このように、通信システム１０は、信号プロセッサ１２と第１の終端局２２との間の有線シグナリングを容易にするように構成されてもよい。図２は、例示の目的で下流方向に対するシグナリングを記載するが、同様であるが上流方向に行く逆のセットの構成成分は上流へのシグナリングを容易にするために逆又は反対の同様の処理を容易にするために含まれてもよい。
【００２３】
図４ａ〜４ｂは、本発明の１つの非限定的な態様に従って無線信号を容易にするときに通信システム１０の動作を概略的に図示している。無線信号は、出力信号１０６への変換のための第２の信号プロセッサ１０４への送信について、第１の信号プロセッサ１２で受信した入力信号１００が（４つの同等な部分ｈ１１、ｈ２２、ｈ３３、ｈ４４を有するものとして例示の目的で示されているレーザ送信機への単一／共通出力に結合される）中間信号に変換される点において、図２に関して記載されたシグナリングと同様である。図４に関連する図示は、少なくとも、中間信号が少なくとも無線媒体１１０を介して第１及び第２の信号プロセッサ１２、１０４の間の距離の少なくとも一部を通る点において。図２とは相違している。特に、図４は、中間信号が最初は有線通信媒体３４を介して、その後で無線通信媒体１１０を介して送信されるシナリオを図示し、信号が第２の終端局２４での無線受信のためにヘッドエンドユニット３０から第３の終端局４０を介して移動することに対応してもよい（図１を参照）。
【００２４】
図４に示す構成は、多くの用途及び応用を有しもよく、携帯電話サービス、又は少なくとも部分的に無線又は無線周波数シグナリングに依存する他のサービスを含み、例えばプロバイダが少なくとも部分的に有線通信媒体３４を介したシグナリング伝送に関連した一定の利益を獲得することを望むようなものである。少なくとも部分的に有線通信媒体３４に依存する機能は、スループットを最大化し、無線媒体を介してのみ送信されると発生することがある干渉又は他のシグナリング損失を最小化するように、対応するシグナリング（中間信号）の長距離送信を容易にすることにおいて有益であってもよい。第３の終端局４０は、第１及び第２の終端局２２、２４の間に含まれてもよく、有線通信媒体３４と無線通信媒体１１０とのインターフェースを容易にする。任意に、第３の終端局４０は、有線通信媒体３４の使用を最大化するために、できる限り第２の終端局２４の近くに配置してもよく、及び／又は第３の終端局４０は、無線通信を最大化するために、第１の終端局２２の一部として含まれてもよい。
【００２５】
図４に示した第１及び第２の信号プロセッサ１２、１０４は、図２に示された対応する信号プロセッサと同様に構成されてもよい。同一の参照番号を有する図４に図示された要素は、特に断らない限り、図２に関して上述したものと同様の方法で実行するように構成されてもよい。図４の第１及び第２の信号プロセッサ１２、１０４は、少なくとも部分的に無線通信を容易にするための追加のデバイスを含んでもよく、それは空間多重化及びマッピングデバイス１１６及びその対応する逆１１６’と称される。空間多重化デバイス１１６は、変調マッピングデバイス６２、６４、６６、６８からの信号出力部の空間ダイバーシティを容易にするように構成されてもよい。空間多重化及びマッピングデバイス１１６は、互いから各信号部分５４、５６、５８、６０の各信号部分を空間的に分離することを容易にするために、信号部分５４、５６、５８、６０の１つ以上に遅延を追加するか、又はこれらの信号部分を異なる方法で修正するように構成されてもよい。これは、アンテナ１１８、１２０、１２２、１２４の空間ダイバーシティを向上させるために有用であってもよく、信号部分５４、５６、５８、６０を送信するために個別に使用されてもよい。
【００２６】
第３の終端局４０は、コンバイナ９２から周波数ダイバースシグナリング出力を受信するように構成されてもよい。第３の終端局４０は、受信した周波数ダイバースシグナリングを空間ダイバースシグナリングに変換することをようにするために十分な変換デバイス１２８、１３０、１３２、１３４又は追加の特徴を含んでもよい。第３の終端局４０は、受信した信号部分のそれぞれについて１つの変換デバイス１２８、１３０、１３２、１３４を含んでもよく、すなわち、第１の信号部分５４について第１の変換器１２８、第２の信号部分５６について第２の変換器１３０、第３の信号部分５８について第３の変換器１３２、第４の信号部分６０について第４の変換器１３４である。各変換器１２８、１３０、１３２、１３４は、媒体３４上の周波数ダイバーシティを媒体１１０上の空間ダイバーシティに変換するために受信した信号部分の周波数を共通周波数に変換するように構成してもよい。共通周波数は入力信号１００の発信元によってライセンスされた周波数、例えば携帯電話サービスプロバイダによって購入された無線周波数範囲、及び／又は第２の終端局２４への後続する無線伝送を容易にするために十分であるようにさもなければ指定された他の周波数範囲に対応してもよい。第２の終端局２４は、第２のＵＥで信号部分を空間的に受信するのを容易にするように、受信した空間ダイバース信号のそれぞれについて別個のアンテナ及び別個の能動変換器デバイスを含んでもよい。図４は、例示の目的で下流方向に対応するシグナリングを記載しているが、上流方向へ進む同様であるが逆のセットの構成部分も上流へのシグナリングを容易にして反対の又は逆の順序の類似の処理を容易にするために含められてもよい。
【００２７】
図５ａ〜５ｂは、本発明の非限定的な一態様による高められた空間ダイバーシティを有する無線シグナリングを容易にするときの通信システム１０の動作を概略的に示している。無線シグナリングは、少なくとも、第１の信号プロセッサ１２で受信された入力信号１００が、ここでその後で出力信号１０６に変換される第２の信号プロセッサ１０４への伝送のために（４つの同等な部分ｈ１１、ｈ２２、ｈ３３、ｈ４４を有するとして例示的な目的で示されたレーザ送信機への単一／共通出力に結合される）中間信号に変換される点において、図２及び４に関して記載されたシグナリングに類似してもよい。図５に関連する図示は、少なくとも、中間信号が１つに代わって２つのリモートアンテナユニットによって無線媒体１１０を介して第１及び第２の信号プロセッサ１２、１０４の間の距離の少なくとも一部を通る点において、図４と異なっている。図５は、中間信号が、最初に有線通信媒体３４を介し、その後に無線通信媒体１１０を介して送信されるシナリオを示し、第２の終端局２４での無線受信について第３の終端局４０及び第４の終端局４２を介してヘッドエンドユニット３０から移動するシグナリングに対応している（図１を参照）。図５は、第３の終端局４０が第４の終端局４２とは物理的から異なるか又は空間的に相違する場所にいるために、無線信号のための強化された空間ダイバーシティを提供している。
【００２８】
本発明の非限定的な一態様は、少なくとも図４に示した第３の終端局４０からのみ送信される無線シグナリングと比較して、そこから送信される無線信号の空間ダイバーシティを高めるために第３及び第４の終端局４０，４２は物理的に離間されることが考慮される。第４の終端局４２は、有線媒体３４の複数の、周波数ダイバース部分を使用して第２の終端局２４に信号を伝送する信号プロセッサ１２の機能を実現するため、第３の終端局４０ではなく異なるトランク、ケーブル、ファイバーライン等に接続されることを示されている。信号プロセッサ１２は、２つ以上の終端局が第２の終端局と無線シグナリングを通信することを望むと判定するときに、任意の数の終端局から選択するように構成されてもよい。２つ以上の終端局は、任意に、第２の終端局により近くても、及び／又は同じトランク又はフィードに接続されてもよい他の終端局を含んでもよく、例えば限定されることなく第５の終端局１４０である（図１を参照）。このようにして、第２の終端局での受信のために所望のシグナリングは、共通して信号プロセッサから発信され、その後、再結合された第２の終端局２４で共通して受信される前に、有線通信媒体３４及び無線通信媒体１１０の異なる部分を通ってもよい。図５は、例示の目的で下流方向に対するシグナリングを記載するが、同様であるが上流方向に行く逆のセットの構成成分は上流へのシグナリングを容易にするために逆又は反対の同様の処理を容易にするために含まれてもよい。
【００２９】
図６ａ〜６ｂは、本発明の非限定的な一態様による高められた空間ダイバーシティを有する無線シグナリングを容易にするときの通信システム１０の動作を概略的に示している。無線シグナリングは、少なくとも、第１の信号プロセッサ１２で受信された入力信号１００が、ここでその後で出力信号１０６に変換される第２の信号プロセッサ１０４への伝送のために（４つの同等な部分ｈ１１、ｈ２２、ｈ３３、ｈ４４を有するとして例示的な目的で示されたレーザ送信機への単一／共通出力に結合される）中間信号に変換される点において、図２、４及び５に関して記載されたシグナリングに類似してもよい。図６に関連する図示は、少なくとも、中間信号がビーム形成を用いて無線媒体１１０を介して第１及び第２の信号プロセッサ１２、１０４の間の距離の少なくとも一部を通る点において、図５と異なっている。図６は、第１及び第２の終端局４０のそれぞれで受信した中間信号がビームフォーマによって複製され、重複した信号は４つの無線信号の送信に用いるために追加のポートに出力されるシナリオを図示している。追加の無線信号は、ビーム形成を容易にするために十分な位相、遅延又は振幅調整で複製されてもよい。図６は、例示の目的で下流方向に対するシグナリングを記載するが、同様であるが上流方向に行く逆のセットの構成成分は上流へのシグナリングを容易にするために逆又は反対の同様の処理を容易にするために含まれてもよい。
【００３０】
信号プロセッサ１２は、入力信号を処理して複数の周波数ダイバース信号（例えば、ｈ１１、ｈ２２、ｈ３３、ｈ４４）、特にＨＦＣインフラストラクチャを介した送信に適するものにすることによって、ＭＩＭＯ関連のシグナリングを容易にするように構成されてもよい。ＨＦＣインフラストラクチャを介した送信に続いて、信号は任意にさらなる無線送信のために処理されてもよく、例えば無線送信を容易にする前に周波数ダイバース、ＭＩＭＯ関連の信号を共通周波数に変換することによる。空間ダイバーシティは、遅延及び／又は他の調整及び変換を追加することによって共通周波数を共有する周波数変換された信号に容易にしてもよく、すなわち、ＨＦＣインフラストラクチャを介して搬送される信号、及び／又は無線伝送の前に同じ入力信号から得られたＭＩＭＯ信号の異なる部分を異なる、空間的ダイバースリモートアンテナユニット４０、４２に導くことによる。任意に、周波数ダイバース、ＭＩＭＯ信号は異なる種類のリモートアンテナユニット又は異なる送信機能を有するリモートアンテナユニットに送信されてもよく、例えば、図５は２つの変換器及び２つのアンテナポートを有する第３の終端局４０と、４つの変換器及び４つのアンテナポートを有する第４の終端局４２とを図示している。
【００３１】
リモートアンテナユニット４０、４２、又は特にそれに関連する変換器は、対応するアンテナポートを介した伝送のために受信したシグナリングを変換するように構成されてもよい。各アンテナポートは、変換された、ＭＩＭＯ信号（ｈ１１、ｈ２２、ｈ３３、ｈ４４）の１つを送信し、実効的に複数の信号の伝送になるように構成されてもよく、例えば、信号ｈ１１は、信号ｈ１１が受信するユーザ機器２４に含まれる複数のアンテナポートで受信されるため、複数の信号ｇ１１、ｇ１２、ｇ１３、ｇ１４を実効的に作成する。リモートアンテナユニット４０、４２は、複数のＭＩＭＯ信号を同時に放出するように構成されてもよく、例えば異なるフィードに関連したＭＩＭＯ信号及び／又は図示されたユーザ機器２４の他の普通の機器で受信するように意図されたＭＩＭＯ信号のようなものである。リモートアンテナユニット４０、４２は、そこから放出された無線信号のビーム形成又はさもなければ成形に十分な機能を含んでもよく、例えば互いに重複することから又は他の送信されたシグナリングと過度に干渉することを防ぐようなものである。ビーム形成は、複数のアンテナアレイ又は図示されたアンテナのそれぞれに関連したアンテナポートの選択を用いて実装されてもよく、例えば開示の全体が参照により本明細書に組み込まれる米国特許出願第１３／９２２５９５号明細書に関連した処理及び教示に従うようなものである。
【００３２】
図７は、本発明の非限定的な一態様によるシグナリングを容易にするように構成された信号プロセッサを示している。信号プロセッサ１５０は、少なくとも、入力信号４４が送信のために第１の信号（ｈ１１）及び第２の信号（ｈ２２）に処理されることが示されている点において、２×２のＭＩＭＯ信号プロセッサとみなしてもよい。信号プロセッサ１５０は、集約／分散構成要素として有線ケーブルネットワークにおいてヘッドエンド又はハブの位置３０に位置する信号プロセッサ１２の１つであってもよく、集約ネットワークをアクセス又はローカル分散ネットワークに相互接続することを容易にする（例えば、有線ネットワーク３４及び／又は無線ネットワーク１１０）。信号プロセッサ１５０は、ケーブルネットワーク３４を介した有線送信、及び任意に後続する無線ネットワーク１１０を介した無線送信のための信号の処理を容易にするように構成された複数のデバイスを含んでもよい。（複数のデバイスはダウンリンク通信、すなわち、ヘッドエンドから発信する通信及びその後で終端局へ下流方向に通る通信を容易にすることに関連したものに関する例示的で非限定的な目的で図２、図４及び図５に示されている。）デバイスは、例示的で非限定的な目的で、ベースバンドプロセッサユニット１５２、無線周波数集積回路（ＲＦＩＣ）１５４及びフロントエンド１５６の３つの基本的な構成要素に配置されて示されている。
【００３３】
ベースバンドプロセッサ１５２ユニットは、後続の送信のために信号プロセッサで受信した入力信号を処理することに関連する様々なデバイス（例えば、デバイス５２、６２、６４、６６、６８、７０、７２、７４、７６及び／又は１１６）を含んでもよい。ベースバンドプロセッサ１５２は、ベースバンド、非ＣＷ信号又はさもなければ空間及び／又は周波数ダイバーシティを欠く信号であってもよい入力信号を処理して周波数ダイバース信号にしてもよい（例えば、図２に従って、又は（例えば、２つのリモートアンテナが十分に離間されている場合のように）十分な空間ダイバーシティが提供されてもよい、及び（図４〜６に従い構成されたときのように）周波数及び空間ダイバース信号にされる他の状況で構成されたときである。ベースバンドプロセッサユニット１５２は、意図された周波数にアップコンバートするためのデジタル変調ＲＦ信号への変換前にデジタル形式で個別のデータ経路を生成するように構成してもよい。あるリモートアンテナの実装のようにベースバンドプロセッサ１５２をＲＦＩＣ１５４及びフロントエンド１５６とは別の位置に有するのではなく、本発明の非限定的な一態様では、それらを同じ位置に有し、任意に、電子素子技術連合評議会（ＪＥＤＥＣ）仕様（ＪＥＳＤ２０７）インターフェース１５８又は送信／受信（Ｔｘ／Ｒｘ）デジタルインターフェース１６０への接続部品として同等以上の十分なインターフェースを有することを考慮する。ＪＥＳＤ２０７インターフェース１５８は、デジタル化されたＲＦでその間を搬送するための光ファイバリンクを使用してベースバンドプロセッサを接続する必要性を排除してもよい。
【００３４】
任意に、ベースバンドプロセッサ１５２は、高次の変調の機能、及びロングタームエボリューション（ＬＴＥ）ペイロード又はＨＦＣ周波数割当、エンドデバイス及びアンテナ要素位置情報（ＨＦＣドメイン３４で中に使用される）を含む他の無線ペイロード内の情報を運ぶ機能を利用してもよい。この情報は、有線と無線のセグメントにわたってシグナリングを容易にするシステムの機能を増強するために使用してもよい。また、ＬＴＥプロトコルへの依存は、少なくともダウンリンクシグナリング、システムのセットアップ及びリンクの保守を容易にするために、複数のパケットデータ制御チャネル（ＰＤＣＣＨ）のような制御チャネルの使用を可能にしてもよい。出力チャンネルｈ１１、ｈ２２は、無線環境における堅牢性を確保するために低次変調のみ（ＱＰＳＫ又はＢＰＳＫ）に指定してもよい。しかし、ケーブル環境では、無線アプリケーションで使用される３つのシンボルの代わりにＰＤＣＣＨの１つのシンボルを使用して制御チャネルのオーバーヘッドを低減することができることがあり、これらのチャネルの変調次数を増加させ、ＨＦＣプラントのより良いチャネル特性を活用することによって、効率を大幅に向上することができることがある。さらに、本発明は、現在のところＬＴＥプロトコルで指定されたサイクリックプレフィックス（ＣＰ）の長さを変更するための更新を提案している。各ＯＦＤＭシンボルの前に挿入されたＣＰは、少なくとも予想されるシンボル間干渉の様々な程度を考慮してＣＰの長さの数を指定するＬＴＥと比較して、効率を改善するために、ケーブル環境において低減することができる。
【００３５】
少なくともダウンリンク方向に、ＲＦＩＣ１５４は、デジタルデータ経路信号を使用し、続いて所望の周波数にアップコンバートするために適切なデジタルアナログ変換器（ＤＡＣ）１６４、１６６、１６８、１７０を介してそれらを導く構成要素であってもよい。このＲＦＩＣは、独立した局部発振器（ＬＯ）１７２、１７４を採用し、各経路のシンセサイザ１７６、１７８（ｈ１１、ｈ２２）を送信するために、本発明に従って構成されてもよい。別個の発振器を使用することは、周波数の直交性を向上させるために、異なる周波数で複数の独立して配置されたデータ経路を可能にすることにおいて、有益であってもよく、例えば、ＯＦＤＭ７０からのデータ経路出力は、ＯＦＤＭ７２からのデータ経路出力の周波数（Ｆ２）とは異なる周波数（Ｆ１）に変換することができてもよい。（少なくとも図示のように接続するとき、両方の経路（ｈ１１、ｈ２２）に共通の発振器は、別個の周波数Ｆ１、Ｆ２で生成することができないであろう。）フィルタ１８０、１８２、１８４、１８６は、例えば帯域内及び直交部分が発振器１７２、１７４と協働して動作するＲＦミキサに達する前にノイズ、干渉又は他の信号成分を除去することを容易にするように、後続のフロントエンドの前の信号をフィルタするために、同相部分（ｈ１１（同相）、ｈ２２（同相））及び直交部分（ｈ１１（直交）、ｈ２２（直交））について含まれていてもよい。任意に、フィルタ１８０、１８２、１８４、１８６は調整可能であってもよく、例えば、ＯＦＤＭ周波数が変化するときのＯＦＤＭ７０、７２からの信号の周波数に従う。互いに隣接する信号を多重化し、それによって鋭いロールオフフィルタを必要とする代わりに、独立した発振器１７２、１７４を周波数の周波数直交性、すなわち信号間隔を維持するために使用することができ、任意に、保護帯域及び／又はフィルタの使用なしに直交信号キャリアの置換を可能にする。ＲＦＩＣは、総容量を最大化するために９０度移相器１８７、１８９を用いて同位相及び直交位相である信号を生成するように構成してもよい。移相器１８７、１８９は、入力としてローカル発振器信号を受信し、位相が９０度ずれている２つの局部発振器信号出力を生成する。これらの構成成分は、直交振幅変調（ＱＡＭ）信号の生成を可能する。本発明は、一例として、ＱＡＭ信号の送信を記述するが、ＱＡＭベースの伝送に限定されない。
【００３６】
フロントエンドデバイス１５６は、ダウンリンク方向の同軸媒体（ＲＦ分散・結合ネットワーク）への信号ｈ１１、ｈ２２を集約し、駆動するように構成されてもよい。有線通信媒体３４に接続したフロントエンド１５６を用い、本発明は、無線で送信される場合に信号が配信される必要があるよりも、低い電力レベルで信号プロセッサ１５０から信号を配信することを考慮する。特に、考慮されるケーブルの実装では、シグナリング電力を維持するために、すなわち、ＲＦ分散・結合ネットワークからのシグナリング出力（ｈ１１、ｈ２２）を比較的低い電力レベルで増幅し、及び／又はＲＦ結合ネットワークから放出された信号電力がほぼ一定に留まるように、ファイバ及び／又はトランク内の増幅器１８８（図１を参照）を使用し、シグナリング電力が所定レベル内に留まるようにしてもよい。例えば、電力レベルは、ＲＦ分配及び結合ネットワークからの光送信機への２０ＭＨｚの信号の（ｈ１１、ｈ２２）出力は約−２５ｄＢｍであってもよいが、マクロセルからのような、アンテナに出力される同様の無線シグナリングは、例えば約４０ｄＢｍよりも大きい必要があってもよい。本発明で考慮されている既存の増幅器を活用する機能及び既存のＨＦＣプラント３４の機能は出力シグナリング電力要件を最小化するために使用することができ、それによって、設計の影響（すなわち、より低い利得）設計の影響（すなわち、より低い利得）を向上させ、より低い実装コストを提供する。
【００３７】
ダウンリンクの増幅器１９２、１９４、１９６及び／又はフィルタ１９８、２００、２０２は、異なる電力レベルでのシグナリングに対応する出力を容易にするために制御可能であり、例えば、第１の増幅器１９２の増幅は、第２の増幅器１９４及び／又は出力増幅器１９６と異なっていてもよい。例えば、第１及び第２の増幅器１９２、１９４の増幅はシグナリング周波数及び対応する終端局又はリモートアンテナユニットに通じる経路に応じて設定してもよく、すなわち、第３の終端局４０への信号の増幅は、第４の終端局４２への信号の増幅より大きいても小さくてもよい。媒体３４において、終端局４０に信号を搬送するために使用されるチャネル周波数は、増幅器１９２、１９４の対応する制御で補償してもよい終端局４２に信号を搬送するチャネル周波数より減衰していてもよい。経路ごとに増幅を制御する機能は、対応する出力（例えば、第３及び第４の終端局４０、４２）で受信したときに信号がほぼ平坦であることを確保するために、有線通信媒体３４内の対応する経路の損失、減衰、及び／又は他のシグナリング特性を考慮して対応するシグナリングの傾斜を設定するために有益であってもよい。出力増幅器１９６は、シグナリング電力レベルの改善を容易にするために同様に調整可能であり、例えば、第１及び第２の増幅器１９２、１９４より大きい及び／又はより精密でない増幅器を使用してＲＦコンバイナへのシグナリング出力（ｈ１１、ｈ２２）を共通に増幅し、それは、第１及び第２の増幅器１９２、１０４及び／又はより費用効果がある構成のより小さい／より精密な／正確な個別の使用を可能にするために有用であってもよい。
【００３８】
第１及び第２の増幅器１９２、１９４は、任意に、対応する第１及び第２のフィルタ１９８、２００に連携して動作してもよい。第１及び第２のフィルタ１９８、２００は、下流の同期、サイドローブ、不要な隣接チャネルのエネルギーの除去を容易にし、及び／又は信号の歪み及び／又は対応するシグナリングが通過する特定のデータ経路の他の特性を補償するために、制御可能である。コンバイナ又は他の加算デバイス２０２は、第１及び第２の増幅器１９２、１９４からの信号（ｈ１１、ｈ２２）出力を結合するように構成されてもよく任意で個別に調整された及び／又はフィルタされた後でもよい。バルク弾性波（ＢＡＷ）などのバンドパスフィルタ２０４は、占有信号スペクトルの外に生成してもよいＯＦＤＭサイドローブ（７０、７２）のエネルギーを最小化／抑制するために使用してもよく、例えば通過帯域の範囲内のシグナリングを通過させ、その外側のシグナリングを阻止することによる。ＢＡＷ２０４は、出力増幅器１９６と同様に、出力シグナリングを共通にフィルタするために、第１／第２の増幅器及びフィルタ１９２、１９４、１９８、２００のダウンストリームに位置する追加成分であってもよく、より小さい／より精密／正確な第１及び第２のフィルタ１９８、２００及び／又はより費用効果的な構成の使用を可能にするために有用であってもよい。ＢＡＷフィルタ２０４又は同等のフィルタは、本明細書のシステムに隣接するスペクトルを占有する媒質３４内に共存するサービスを保護するために使用することができる。
【００３９】
アップリンク方向では、信号プロセッサ１５０は終端局ＥＳからの受信信号を処理するように構成することができ、例示的な目的で信号ｈ１１として示され、ダウンリンク上で送信されるｈ１１信号とは異なっていてもよい。信号プロセッサ１５０は、ダウンリンクに２×２のＭＩＭＯ、及び１×１、又は例示的に非ＭＩＭＯをサポートし、非限定的な目的のためにアップリンクで同様のＭＩＭＯ機能が提供されてもよい。入力信号（Ｈ１１）は、第３及び第４の増幅器２０８、２１０と、第３及び第４のフィルタ２１２、２１４とを用いて処理することができる。第３及び第４の増幅器／フィルタ２０８、２１０、２１２、２１４は、適切な信号回復を容易にするために、制御及び／又は調整可能であってもよい。複数の調整は、下流のシグナリングについて時間をかけて発生してもよく、上流の調整も同様に動的な場合がある。状態情報は、第３及びさらなる増幅器／フィルタの所望の調整を容易にするために、特定の調整パラメータを追跡及び制御するために維持してもよく、及び／又はデータ又は他の情報を受信シグナリングに含めてもよい。アナログデジタル変換器（ＡＤＣ）２１６、２１８は、アップストリームＲＦ信号をデジタル化するために使用してもよく、例えばフロントエンドデバイス１５６は同軸媒体からのアップリンクの信号ｈ１１を集約し駆動するように構成されてもよい。ダウンリンクの別個の発振器とシンセサイザとは対照的に、着信シグナリング（ｈ１１）をベースバンドプロセッサからの出力（すなわち、周波数７０、７２）及び／又は他の所望の周波数の共通の変換を容易にするため、恐らくＳＩＳＯ（又は１×１のＭＩＭＯ）構成で動作するように構成されたアップリンクは単一の発振器とシンセサイザ２２０、２２２を含んでもよい。周波数ダイバーシティを必要とする媒体３４における２×２のＭＩＭＯ又はこれより大きいＭＩＭＯ次数のアップリンク構成の場合には、複数の局部発振器を使用してもよい。
【００４０】
図８は、本発明の非限定的な一態様によるシグナリングを容易にするように構成された信号プロセッサ２５０を示している。信号プロセッサ２５０は、少なくとも、ベースバンドプロセッサからの信号の入力及び出力が単一の信号プロセッサ２５０を介したアップリンク及びダウンリンク伝送の間に第１の信号（ｈ１１）、第２の信号（ｈ２２）、第３の信号（ｈ３３）及び第４の信号（ｈ４４）に処理されてもよい点において、４×４ＭＩＭＯ信号プロセッサとみなしてもよい。信号プロセッサ２５０は、図８に示されるシグナリングプロセッサ１５０と同様に構成されてもよく、特に、増幅器、フィルタ、コンバイナ、デジタルアナログ変換器及び発振器／シンセサイザの使用に関してそうである（参照符号は省略しているが、構成要素の動作は、上述のように制御することができ、関連した動作は、当業者に知られている対応する回路の指定に応じて理解することができる）。信号プロセッサ２５０は、考慮するＭＩＭＯ動作を容易にするために、異なる及び／又は制御可能な周波数で動作可能なそれぞれＦ１、Ｆ２、Ｆ３、Ｆ４、Ｆ５、Ｆ６、Ｆ７及びＦ８で指定される複数の発振器／シンセサイザを含んでもよい。ＲＦスプリッタ２５２は、ｈ１１、ｈ２２、ｈ３３、ｈ４４に相当する部分の着信（上流）シグナリングの分離を容易にするためにアップリンクに追加してもよい。（アップリンクでのＳＩＳＯ構成を示している図６とは異なり、この例ではアップリンクに４×４のＭＩＭＯを示している。）
【００４１】
図９は、本発明の非限定的な一態様によるシグナリングを容易にするように構成された信号プロセッサ２６０を示している。信号プロセッサ２６０は、上述の信号プロセッサ（１２、１５０、２５０）と共通のベースバンドプロセッサユニットを含んでもよいが、同じチップをＲＦＩＣとともに無線ユニットとして活用するように構成され、フロントエンドチップはＨＦＣ環境のためにカスタマイズされている。図９において、すべてのＬＴＥＭＩＭＯデータ経路及び集約キャリアの集約スペクトルの広帯域生成が単一ステップで発生している（例えば、複数の信号成分（ダウンリンク方向にｈ１１（同相）＋ｈ２２（同相）、同時にアップリンクへの（ｈ１１（同相）＋ｈ２２（同相））のような他の信号を受信する）。これは、ＭＩＭＯデータ経路及び集約ＬＴＥキャリアに関連する多数のチャネルを含むであろう非常に広いスペクトルを生成するために、非常に高いサンプリングレートのＤＡＣを必要としてもよい。例えば、ダウンリンクに４×４のＭＩＭＯを使用し、２つの２０ＭＨｚキャリアを集約するＬＴＥシステムは、２０ＭＨｚのチャネルが隙間なく連続的に配置されていることを仮定すると４×２×２０ＭＨｚ＝１６０ＭＨｚを占める。このスペクトルは、より高いランクのＭＩＭＯと高いキャリア集約が実施されていると仮定すると、より広くできる。より高いサンプリングレートのＤＡＣに加えて、送信／受信デジタルインターフェースでのデータ経路をインテリジェントに集約されることが求められる。
【００４２】
集約のこのタイプは、すべてのダウンリンク伝送が同期化され互いに直交することを確保するさらなる最適化のために有用である。直交性の要件は、米国特許出願第１３／８４１３１３明細書に記載された連続ＯＦＤＭ方式のように保護帯域の除去を可能にするが、その開示は本明細書にその全体が参照により援用される。効率で１０％の改善が実現され、１６０ＭＨｚの占有信号帯域幅は１４４ＭＨｚ（４×２×１８ＭＨｚ）に減少する。図８に示されたものは、ＲＦ周波数にアップコンバートされたチャネルの集約された１６０ＭＨｚ（又は保護帯域除去が適用されたときの１４４ＭＨｚ）のベースバンドである。さらに高いサンプリングレートは、全スペクトルを生成し、アップコンバージョンのプロセスを回避することができる。これらの異なる実装オプションは、システム全体のカスタマイズのコストに基づいた柔軟性を提供する。
【００４３】
図５に示されるように、信号プロセッサ１２は、任意により詳細な信号プロセッサ１５０、２５０、２６０（ベースバンド部は、構成が１×１、２×２、２×１、４×４、８×８等であるかどうかに依存して変化する複数の信号経路及び関連する構成要素を除いた各実施について実質的に同じであると考慮される）に関連する様々なＲＦＩＣ及びフロントエンド構成も、入力信号を複数の周波数ダイバース信号（例えばｈ１１、ｈ２２、ｈ３３、ｈ４４）に処理することによってＭＩＭＯ関連のシグナリングを容易にするように構成してもよく、特にＨＦＣインフラストラクチャを介して送信するため適するようにしてもよい。ＨＦＣインフラストラクチャを介した送信に従い、信号は任意にさらなる無線伝送のために処理されてもよく、例えば無線送信を容易にする前に周波数ダイバース、ＭＩＭＯ関連信号を共通周波数に変換することによる。空間ダイバーシティは遅延及び／又は他の調整を周波数ダイバース信号、すなわちＨＦＣインフラストラクチャを介して伝えられる信号に追加することによって、及び／又は無線伝送の前に同じ入力信号から得られたＭＩＭＯ信号の異なる部分を異なる、空間的ダイバースリモートアンテナに導くことによって容易にされてもよい。任意に、周波数ダイバース、ＭＩＭＯ信号は、異なる送信機能を有するリモートアンテナ又はリモートアンテナユニットの異なるタイプに送信されてもよく、例えば、図５は、２つの変換器を有する第３の終端局４０及び４つの変換器を有する第４の終端局４２を示している。
【００４４】
リモートアンテナユニット４０、４２、又は特にそれに関連する変換器は、対応するアンテナを介した伝送のために受信したシグナリングを変換するように構成されてもよい。各アンテナは、変換された、ＭＩＭＯ信号（ｈ１１、ｈ２２、ｈ３３、ｈ４４）の１つを送信し、実効的に複数の信号の送信になるように構成されてもよく、例えば、信号ｈ１１は、信号ｈ１１が受信するユーザ機器２４に含まれる複数のアンテナで受信されるため、複数の信号ｇ１１、ｇ１２、ｇ１３、ｇ１４を実効的に作成する。リモートアンテナユニット４０、４２は、複数のＭＩＭＯ信号を同時に放出するように構成されてもよく、例えば異なるフィードに関連したＭＩＭＯ信号及び／又は図示されたユーザ機器２４の他の普通の機器で受信するように意図されたＭＩＭＯ信号のようなものである。リモートアンテナユニット４０、４２は、そこから放出された無線信号のビーム形成又はさもなければ成形に十分な機能を含んでもよく、例えば互いに重複することから又は他の送信されたシグナリングと過度に干渉することを防ぐようなものである。ビーム形成は、複数のアンテナアレイ又は図示されたアンテナのそれぞれに関連したアンテナを用いて実装されてもよく、例えば開示の全体が参照により本明細書に組み込まれる米国特許出願第１３／９２２５９５号明細書に関連した処理及び教示に従うようなものである。
【００４５】
図１０は、本発明の非限定的な一態様による信号を伝送するための方法のフローチャート３００を示している。この方法は、非一時的なコンピュータ可読媒体、コンピュータプログラム製品、又はコンピュータ読取可能な命令、コード、ソフトウェア、ロジックなどを有する他の構築物において実施することができる。命令は、無線シグナリング（例えば、マスターコントローラ）を配信容易にするために本発明によって考慮される方法で信号プロセッサ及び／又は他のデバイス／構成要素の制御を容易にするため、エンジン、プロセッサ又はリモートアンテナユニットの他の論理的に実行可能なデバイス及び／又は本明細書に記載される他の１つ以上のデバイス／構成要素で実行可能であってもよい。この方法は、無線及び／又は有線通信媒体を長距離伝送される無線シグナリング、又は対応する中間シグナリングの一部に少なくとも関する例示的な非限定的な目的のためにもっぱら記載され、例えばケーブル又はハイブリッドファイバ同軸（ＨＦＣ）ネットワークであるが、必ずしも限定されない。長距離又は中間シグナリングは、最終的な無線シグナリング伝送よりも長い距離にわたって有線伝送を提供するために信号プロセッサで実行される処理又は他の制御で容易にしてもよく、それによって、無線送信に関連する経済性を低減し、一方、無線デバイスとの総合作用も容易にする（例えば、中央に位置する強力な信号プロセッサと中央から離れたより強力でない又はより高価でないリモートアンテナユニット）。
【００４６】
ブロック３０２は、単一のリモートアンテナユニットのセクタを使用してユーザ機器（ＵＥ）を走査することに関する。リモートアンテナユニットセクタは、有線送信信号を受信した後で無線信号に受信信号を変換することを容易にするために十分な機能を有するリモートアンテナユニット（及び局）によってカバーされた無線エリアに対応してもよい。走査は、無線通信媒体を介した伝送に従う無線信号を受信し、及び／又は無線通信媒体を介した後続する送信のために無線信号を送信することを望む、以下でデバイスと称される、ユーザ機器の１個以上を同定するために実施されてもよい。走査は、信号プロセッサに基づいて、有線通信媒体を介した送信及び／又は無線通信媒体を介した最初の送信を意図した入力信号を容易にするために実施されてもよい。この方法は、例示としての非限定的な目的で、専らダウンリンク又は下流へのシグナリングについて記載され、入力信号は信号プロセッサから発信され、最終的にはデバイスの１つで受信されるが、これは、本発明は同様の処理及び動作がアップリング又は上流への信号、すなわちデバイスの１つから発信する無線信号を容易にするために実行されることを完全に考慮するからである。走査は、信号の送信を望むデバイス及び関連するシグナリングを容易にすることに関連する信号プロセッサを同定してもよい。
【００４７】
ブロック３０４は、デバイスごとにリモートアンテナユニットセクタ接続品質を評価することに関し、１以上のデバイスとの無線シグナリングを容易にするために十分な機能を有するリモートアンテナユニットを同定する。評価は、無線シグナリングを容易にするために十分な接続品質を有する又は１つ以上のリモートアンテナユニットの各デバイスに関連付けるために編成されるか又は表にされてもよい。評価は、各リモートアンテナユニットに関連する無線ネットワーク又は無線サービスエリアへのアクセスを得ることに関連するハンドシェイク操作又は他の操作の一部としてデバイスとリモートアンテナユニットとの間で交換されるネットワーク信号又は他の無線信号に基づいてもよい（各リモートアンテナユニットの無線サービスエリア／ネットワークはより広い無線媒体を規定するために重複してもよい）。接続品質は、１つ以上のリモートアンテナユニットとの無線シグナリングを容易にするために、相対信号強度インジケータ（ＲＳＳＩ）、又は信号品質、完全性、又はデバイスの機能への他の影響に関連する他の因子に基づいてもよい。接続品質は、合格／不合格に基づいて評価することができ、例えば、少なくともデバイスが範囲内で移動するか、又はその送信機能を改善するまで（例えば、より大きな電力、又は利得、より小さな干渉など）、１以上のデバイスと無線接続を容易にするのに十分な機能を有するリモートアンテナユニットが同定され、十分な接続性を欠くものは省略されてもよい。その結果は、考慮する無線シグナリングの候補として利用可能なリモートアンテナユニットを同定するために後で使用できるように各デバイスについて表に作成されてもよい。
【００４８】
ブロック３０６は、無線信号の交換を望むデバイスのための機能又は他の特性を決定することに関する。デバイスの機能は、ＭＩＭＯ機能（例えば、デバイスは複数の無線信号の受信を容易にするために構成可能な複数のアンテナ又はアンテナアレイを有しているかどうか）、緯度及び経度（経緯度）、アンテナの種類や特性、電力性能、ビームフォーミング適性等の評価を含んでもよい。デバイス機能の評価は、一般的に、所望の無線性能に関連する方法で動作するリモートアンテナユニットの構成を容易にするために、デバイスの制御可能なパラメータ及び／又は限定を決定することに関する（例えば、いくつかの場合には信号の完全性に関する性能を評価することが望ましくてもよく、他の場合には信号範囲、電力等に関連する性能を評価することが望ましくてもよい）。所望の性能又は他の動作上の高速に依存し、例えばデバイスで利用可能な無線容量及び／又は信号速度であるがこれらに限定されず、デバイスの一定の機能は評価されてもよく、及び／又は関連するデータはデバイスから要求されてもよい。本発明は、複数の機能及び／又は特性を完全に考慮し、これらの特性のいずれもが評価され、後続の無線シグナリングがそれによって容易にされるようにしてもよい。
【００４９】
ブロック３０８は、デバイスの移動状態を決定することに関する。移動状態は、デバイスが静的、半静的、又は運動しているかどうかを特徴付けるために決定されてもよい。各デバイスに関連する緯度及び経度は、定期的に、デバイスが静止、準静止、又は運動の１つに入るかどうかを決定するために測定されてもよい。移動状態は、例示的な非限定的な目的のために静止、半静止、又は運動の１つであることに関し記載されるが、これは、本発明が任意の数の他の状態に従うデバイスの機能の評価を完全に考慮したためである。注意する状態は、対応するデバイスが現在位置に留まるようであるか（静止）、現在位置に比較的近くに留まり、無線信号が影響を受けないようであるか又は即時の変化を要することがないようである（準静止）、又は運動を保つか若しくは運動を始め、無線信号が影響を受けてもよい。例えば、無線デバイスと連続通信を維持する必要があるリモートアンテナユニットが、無線デバイスが運動しているために変化してもよいかどうかを評価するために有用であってもよい３個の閾値を説明するために記載される。移動状態又はそれらの対応する閾値は、動作設定及び／又は信号送信を変更するために信号プロセッサ及び／又はリモートアンテナユニットの機能、例えば、信号は無線通信媒体を介して複数のリモートアンテナユニットに運動デバイスと通信することを可能にするために十分高速に再処理されるかどうか、に基づいてもよい。移動状態は、ある状態から他の状態に運動状態の決定を変更することを容易にするために定期的に再評価することができる。
【００５０】
ブロック３１０は、無線範囲内のデバイスを有する、及び／又は近い将来に無線範囲内にデバイスを有する可能性が高いリモートアンテナユニットについてリモートアンテナユニットの機能を評価することに関する。リモートアンテナユニットの機能の評価は、無線シグナリングを容易にするために、少なくともリモートアンテナユニットの機能を評価することに限りデバイスに関して実行される評価と同様であってもよい。ブロック３１０は、有線通信媒体（ＨＦＣ）及びそれに関連する信号プロセッサについてスペクトルリソース／機能の評価も考慮する。これらの機能は、信号を運ぶために利用可能としてもよい有線通信媒体の一部に影響してもよく、例えば、有線通信媒体のいくつかの部分は帯域幅又は周波数の観点から既に最大にされてもよく、信号送信をサポートすることができない（それに関連するリモートアンテナユニットは候補から排除される）。有線通信媒体の周波数、帯域幅及び他の伝送に関連する特性及び／又は信号プロセッサは、有線通信媒体及び／又は無線通信媒体を介した付帯シグナリングの送信を容易にするときに用いられるデバイス及びシグナリングパラメータのそれぞれを用いて通信する１つ以上のリモートアンテナユニットを選択することに関連するものを含むシステム動作を監視するタスクを有するマスターコントローラ又は他のエンティティによってなされる複数の決定に影響してもよい。
【００５１】
ブロック３１２は、ブロック３１０において適切な候補であると同定されたリモートアンテナユニットの１つ以上との無線シグナリングを望むとしてブロック３０２で同定されたデバイスに関連付けすることに関する。関連付けは、ポートのレベル又はアンテナをベースとして実施してもよく、例えば、複数のリモートアンテナユニットが同じ又は複数のデバイス及び／又はリモートアンテナユニットの個別のアンテナ／ポートに関連付けされてもよく、及び／又はデバイスが互いに関連付けされてもよい。関連付けは、デバイスのそれぞれとの通信にさらに使用するための候補として同定される１つ以上のリモートアンテナユニットを選択し、選択されたリモートアンテナユニットの対応するアンテナ／ポートを対応するデバイスの対応物に関連付ける、すなわち、一対一ベースにすることに対応してもよい。本発明は、考慮する関連付けを決定するための任意の数の方法論を考慮し、１つのパラメータが他に有益であるものを含み、例えば、空間ダイバーシティは寿命のために好まれ、及び／又は周波数可用性のような限定に基づいてＨＦＣスペクトル等が関連付けに影響してもよい。利用可能なリモートアンテナユニットの数は変化してもよく、デバイスの静的又は運動するものに対するリモートアンテナユニットの関係も変化してよく、例えば、関連付けの決定は、相対的に動的であり、及び／又は頻繁に更新、及び／又は連続シグナリングを容易にするために調整を要し、及び／又は伝送の完了を可能にしてもよい。
【００５２】
本発明の１つの非限定的な態様は、少なくとも一部は空間ダイバーシティに基づいてデバイスとの無線通信を容易にするために用いられるリモートアンテナユニットを関連付ける及び／又は選択することを容易にすることを考慮する。空間ダイバーシティは、各リモートアンテナユニットと、それと通信することが選択された各デバイスとの相対的な空間配置によって特徴付けられてもよい。複数のリモートアンテナユニットが単一のデバイスと通信するように選択されたとき、パフォーマンスは、単一のデバイスに対するリモートアンテナユニットの空間ダイバーシティを最大化するか又は十分に確保することによって改善されてもよい。図１１は、本発明の非限定的な一態様によって意図されるような空間ダイバーシティを示す線図３２０を示している。線図３２０は、例示的なシナリオを示し、４つのリモートアンテナユニット３２２、３２４、３２６、３２８は、第１の位置３３０に位置する単一のデバイスとの通信を容易にするための候補に決定された。空間ダイバーシティ又は各リモートアンテナユニットの空間配置は、第１の位置３３０に対する角度配置に基づいてもよい。第１のリモートアンテナユニット３２２の角度配置は０°に対応することが示され、第２のリモートアンテナユニット３２４の角度配置は９０°に対応することが示され、第３のリモートアンテナユニット３２６の角度配置は１８０°に対応することが示され、第４のリモートアンテナユニット３２８の角度配置は２２５°に対応することが示されている。
【００５３】
マスターコントローラは、第１の位置３３０でデバイスと通信を容易にするときに用いられる第１、第２、第３及び第４のリモートアンテナユニット３２２、３２４、３２６、３２８の１つ以上を選択するときにこれらの角度配置の値を評価してもよい。マスターコントローラは、その後、利用可能なリモートアンテナユニット３２２、３２４、３２６、３２８に関する空間的ダイバーシティを評価し、任意にそれに基づいて、第１の位置３３０と無線シグナリングを容易にするために用いられるアンテナ３２２、３２８を選択するために、角度配置の値に依拠してもよい。無線シグナリングを容易にするために利用できるリモートアンテナユニット３２２、３２４、３２６、３２８の数に依存して、リモートアンテナユニット３２２、３２８を選択するときに任意の数の因子が重みづけされてよい。図示の例では、４つの比較的等間隔のリモートアンテナユニットが利用可能であり、選択されたアンテナはが例示的な非限定的な目的のために、第１及び第４のリモートアンテナユニット３２２、３２８に関して示されている。第１及び第４のリモートアンテナユニット３２２、３２８は、多くの理由によって選択されてもよく、例えば、第２及び第３のリモートアンテナユニット３２４、３２６に信号を配信するのに使用される媒体の部分よりより小さい帯域幅使用又はより小さい制限、第２及び／又は第３のアンテナ３２４、３２６が限定する使用等のスペクトル又は帯域幅の拘束を有する対応する信号を配信するために使用される無線通信媒体の一部に基づいてもよい。任意的に、特に複数のリモートアンテナユニットが利用可能なときに、選択を容易にするために関連する角度配置（Θ）の最小値又は閾値が使用されてもよく、例えば最小閾値の１００°が使用されてもよく、例えば、同様の経路（小さい相対角度）を有するリモートアンテナユニットの組み合わせが無効にされ、直角のリモートアンテナユニットの組み合わせが排除され、及び／又は閾値は利用可能なリモートアンテナユニットの数に依存して調整されてもよい。
【００５４】
無線シグナリングを容易にするように選択されたリモートアンテナユニット３２２、３２８は、リモートアンテナユニット３２２、３２４、３２６、３２８の動作の検討又は機能に基づいて決定することができる。リモートアンテナユニットのビーム形成機能３２２、３２４、３２６、３２８は、無線シグナリングを容易にするために利用可能なリモートアンテナユニットを選択するときに評価される１つの種類の動作の検討であってもよい。ビーム形成機能は、利用可能なリモートアンテナユニット３２２、３２４、３２６、３２８が性能を向上させるためにビーム３３２を導く又は無線シグナリングを第１の位置３３０に集中させることができるかどうかを決定するために評価してもよい。任意に、ビームが第１の位置を越えて集中される方向、すなわち、対応するリモートアンテナユニット３２２、３２４、３２６、３２８が、デバイスが第１の位置３３０から第２の位置３３４に移動する間に、連続ビーム又は無線シグナリング機能を維持できるかどうかが、ビーム形成の改善の一部として検討されてもよい。任意に、ビーム形成の検討は、角度配置／空間ダイバーシティの検討と連携して用いられてもよく、例えば、ビーム形成は、複数のリモートアンテナユニット３２２、３２４、３２６、３２８が等間隔か、さもなければ無線シグナリングを容易にするために適切に等しく又はほぼ等しく位置しているときにタイブレーカーとして使用されてもよく、それによって、選択されたリモートアンテナユニットはよりよい又は好ましいビーム形成機能を有してもよい。
【００５５】
ビーム形成及び／又は角度配置をベースとする評価に加えて、他の基準は利用可能なリモートアンテナユニットから使用されたリモートアンテナユニットを選択するために使用することもできる。アンテナポートのリソースは、各リモートアンテナユニットの好適なものとともに、トラフィックの量と、各リモートアンテナユニットに割り当てられる又は既に割り当てられた無線ユーザの集中を評価するために考慮される１つの因子であってもよい。特定のリモートアンテナユニットのユーザ輻輳トラフィックが、目標量から予想されるトラフィックよりも大きい場合には、それらのリモートアンテナユニットは、排除されるか又は順位が降格されることが望ましくてもよい。このようなトラフィック又は輻輳は総容量に比べてトラフィックの量として測定されてもよく、トラフィックはビット／秒として測定又は推定され、任意に、計算式を使用して４つのリモートアンテナユニットを選択し（所望の数は変更してもよい）、その後で４つのいずれかが閾値を超えると他に移動するために混雑を使用してもよい。電力レベル、各リモートアンテナユニットで利用できるアンテナアレイ又はポートの数、チャネル負荷、予備アンテナポート／要素と他の要素に利用できるアンテナ素子のような他のシグナリングなどの他の因子は、一定のリモートアンテナユニットの能力に影響を与えてもよく、無線シグナリングの所望のレベル及び／又は一定のリモートアンテナユニットが将来により大きな、有害な無線シグナリング需要を経験することがあり得る可能性を提供し続ける。
【００５６】
図５は、２つのリモートアンテナユニット４０、４２が選択され、２つの空間的に分離されたリモートアンテナユニット４０、４２の２つのポートを用いて拡張４×４のＭＩＭＯ無線通信を容易にするシナリオを示している。Ｔｘ１、Ｔｘ２、Ｔｘ３、Ｔｘ４としてラベル付けされた４つのポートは、対応するリモートアンテナユニット選択メトリックに基づいて、Ｎ個のリモートアンテナユニットから選択された４つのポートに対応してもよい。使用可能なリモートアンテナユニットから選択されたリモートアンテナユニットの選択メトリックはＮリモートアンテナユニットの複数のグループのために分析してもよい。リモートアンテナユニットメトリックの関数として決定された最低値又は複数の低い値のリモートアンテナユニットは、Ｎ個（すなわち２つ、４つ、等）のリモートアンテナユニットの最初の終了を決定するために使用されてもよい。各初期の組み合わせは、その後、所望の無線シグナリングを容易にするように実際に指示される前に、以下に記載のＭＩＭＯ行列操作法を用いてさらに分析してもよい。リモートアンテナユニットメトリックは、以下の式に基づいてもよい。
【００５７】
リモートアンテナユニット選択メトリック＝
【００５８】
【数１】
2019118117.tif 000003
【００５９】
ここで、Ｎ＝存在するリモートアンテナユニットの数、ｉ＝１からＮまで変化するリモートアンテナユニットのインデックス、Ｇｉ＝ｉ番目のリモートアンテナユニットのアンテナ利得、ＰＭＡＸｉ＝ｉ番目のリモートアンテナユニットが送信できる最大電力、ｄｉ＝無線シグナリングを望むデバイスからｉ番目のリモートアンテナユニットまでの距離、θｉ＝度で表したデバイスからｉ番目のリモートアンテナユニットまでの角度（総和を追加する目的で、角度は、デバイスの周囲に円形に繰り返すことができるようにθＮ＋１＝θ１及びθ０＝θＮとされる）。リモートアンテナユニット選択行列は、距離、利得及び電力に応じて調整された角度配置に基づいてリモートアンテナユニットのそれぞれの組み合わせについての値を生成し、より低い値がより良い候補を表し、角度配置が理想的ではない場合、例えば、距離、利得及び電力の間に十分な関係が存在する場合でさえもより低い値が達成されることを可能にする。このように、いくつかの条件は、デバイスが近いデバイスより大きい利得及び電力能力を有すると、デバイスからさらに遠くの位置デバイスを寄り良い候補にすることを許容してもよい。
【００６０】
リモートアンテナユニット選択行列の計算に従い、追加の因子は、どのリモートアンテナユニットの１つ以上がデバイスと無線通信を容易にするための最良の候補であるか決定する際に考慮してもよい。これは、無線通信を容易にする適合性を示すのに十分なメトリックを有する各リモートアンテナのアンテナグループ分けのための伝達関数の解析を含んでもよい。各送信アンテナのインデックスをｉ、各受信アンテナのインデックスをｊとすると、各データ経路ｇｉ，ｊの伝達関数は、伝達関数行列及び単一入力単一出力（ＳＩＳＯ）システムに比べてデータ経路の間で非相関度が容量の実効的な乗算を可能にするかどうかを決定するために使用してもよい。図５に比べて、バックグラウンドノイズ項（第１、第２等）を含む以下の伝達関数は、式が解け、単一入力単一出力（ＳＩＳＯ）システムに比べて容量の乗算が可能であるかどうかを決定することを容易にするために使用してもよい。
【００６１】
【数２】
2019118117.tif 000004
【００６２】
すべてのデータ経路が無相関でない場合、この伝達関数行列はより小さい階数行列に減少する。以下の式は、３つのリモートアンテナユニットからのデータ経路が相関し、したがって、この行列の階数が４から２に減少し、最大の容量はＳＩＳＯシステムの容量に係数２を乗算したものになるであろう。
【００６３】
【数３】
2019118117.tif 000005
【００６４】
データ経路の信号レベルがノイズレベルよりもはるかに大きくない場合には、制限された信号対雑音比（ＳＮＲ）は下位の変調をもたらす。１つの４ポートアンテナ４の送信機アンテナポートからの信号は、Ｔｘ１、Ｔｘ２、Ｔｘ３及びＴｘ４によって与えられてもよい。アンテナポートのそれぞれの４つのポートをアンテナで受信した信号は、Ｒｘ１、Ｒｘ２、Ｒｘ３及びＲｘ４によって与えられてもよい。これらの信号の伝達関数は、無線媒体を通るときに行列Ｈによって表してもよい。
【００６５】
【数４】
2019118117.tif 000006
【００６６】
この伝達関数は、ＭＩＭＯマトリックスであってもよく、送信を確認するために操作してもよい。マトリックスのｇｉｊ要素はｉ番目の送信アンテナポートからｊ番目の受信アンテナポートまでの利得を示している。４ポートのアンテナで受信された信号は、次式で与えられる。
【００６７】
【数５】
2019118117.tif 000007
【００６８】
ノイズは受信機で追加された可能性があるので、追加されたノイズを表す第１、第２、第３及び第４要素が含まれている。
【００６９】
どの別のリモートアンテナユニットとは別のアンテナポートのグループ／収集が最高の性能を提供するかを評価するために、選択された別のアンテナポートを使用した情報でＭＩＭＯ行列を評価してもよい。これは、上記で説明したように角度選択基準を満たしているアンテナポートの潜在的なグループをチェックし、その後で、ＭＩＭＯマトリクス（Ｈ）の行列式を計算することを含んでもよい。行列式がゼロであると、行列の階数はアンテナポートの数より低く、容量はアンテナポートの対応するグループ／収集のために最適ではなく、別のグループが選択されるべきである。行列式がゼロでないと、階数はアンテナポートの数に等しく、４つのアンテナポートの送信機及び４つのアンテナポートの受信機が４×４のＭＩＭＯをサポートできることを意味する。その後、アンテナポートの数から適切なＭＩＭＯ構成が知られ、選択の品質について次の決定を行うことができる。品質は、この対角行列の結果として得られた成分に応じたＭＩＭＯマトリックスの特異値行列として評価してもよい。（特異値と呼ばれる）最高の総和の値を有するアンテナポートのグループは、性能基準の観点から選択することができるアンテナポートのグループを提供してもよい。アンテナポートの可用性、トラフィック、輻輳のような他の基準も、アンテナポートのグループを選択する際に役割を果たすことができる。
【００７０】
上記のように、それぞれのサービスを受けるデバイスの対応するアンテナ／ポートを有する利用可能なリモートアンテナユニットの選択されたもの３２２、３２８のアンテナ／ポートを関連付けるプロセスは、任意の数の要因及び／又は変数に基づいてもよい。対応する関連付けが一定時間に決定又は設定されると、所望の関連付けを実施を容易にするために、マスターコントローラ、信号プロセッサ又は他のエンティティは、対応するリモートアンテナユニット３２２、３２８及びデバイスに命令を与えてもよい。これは、互いを識別し、関連するアンテナ／ポートとの通信を制限するために、リモートアンテナユニット及びデバイスに命令するために必要な各種の情報及びデータを送信することを含んでもよい。ビーム形成の場合には、命令は、リモートアンテナユニット及びビーム形成に依存するデバイスのためのビームフォーミングに関連するパラメータを制御又は設定することに関連するビームフォーミングの命令を含んでもよく、例えば、リモートアンテナユニット及びデバイスにそこから放出される無線シグナリングの振幅及び位相又は遅延に関して命令することによる。振幅及び位相又は遅延は、所望のビームの維持を容易にするために、例えば、ビームが隣接するリモートアンテナユニット／デバイスに影響を与えることなく所望のデバイスに到達することを保証するために、及び／又はデバイスが移動につれて異なる方向にビームをシフト又は配置することを容易にするために、動的に調整してもよい。
【００７１】
関連付けが行われ、対応する命令が送信されると、リモートアンテナユニットとデバイスとの間の無線シグナリング、及び有線通信媒体を介する対応する長距離伝送が、開始されてもよい。単一の通信に関連するマスターコントローラ、信号プロセッサ又は他のエンティティは、定期的に命令を更新し、及び／又は関連付けを変更してもよいが、これは、より多くのデバイスが無線シグナリングを必要し、及び／又は以前に無線シグナリングを必要としたデバイスが本発明で考慮されるような無線シグナリングをもはや必要としないからである。無線環境の動的な性質は、中断されずに継続する無線シグナリングに基づいて行われる動作を保証するために、すなわち、対応する携帯電話がサービスエリア内で移動する際に中断されないように携帯電話の通話を継続するようにユーザが無線デバイスの１つに携帯電話の通話を可能にするのに十分な速度で、実質的にリアルタイムの調節を必要としてもよい。更新された関連付け又は他のパラメータは、最初に／元からデバイスとの無線シグナリングの確立を担当するリモートアンテナユニット以外のリモートアンテナユニットの他のものをシフト又は分配もするために、それに関連付けられる無線シグナリングを可能にするのに十分な速度で行われてもよい。以下に述べるように、追加の処理は、無線シグナリングを容易にするために、無線シグナリングの維持、生成及び／又は終結、又はリモートアンテナユニット及び低位のデバイスの機能を調整する目的で、様々な動作の検討の評価を容易にするために実施されてもよい。
【００７２】
ブロック３４０は、どのデバイスがビーム形成に参加する資格があるかどうかを決定することに関する。ビーム形成の参加機能は、無線シグナリングを望む新たなデバイスがビーム形成をサポートするか、及び／又は既存の無線デバイス又は既存の無線シグナリングを有するデバイスがビーム形成を続ける、及び／又はビーム形成を開始することができるかどうかを評価してもよい。ブロック３４２は、ビーム形成を実行することができないデバイスの１つ以上を決定することに関する。形成が不能であると決定されたデバイスは、ビーム形成機能を有するデバイスを識別するために使用されるリスト又は他のテーブルから削除されてもよく、例えば、ビームフォーミング機能のために同じデバイスをチェックする必要性を排除するように、例えば、ビームフォーミング機能を欠くというデバイスの一意の識別子を維持及び相互参照し、そのデバイスがビーム形成の関連情報について再度チェックされる必要がないようにする。ブロック３４４は、ビーム形成機能を欠いたデバイスが非ビーム形成に関連するＭＩＭＯに参加することが可能であるかどうか、すなわち、デバイスが空間ダイバース無線信号の伝送を容易にし、共通信号から生成された複数の信号部分が共通の周波数でデバイスに搬送されるかどうかを決定することに関する。ブロック３４６は、そのようなＭＩＭＯ機能を欠いたデバイスを除去することに関する（ＭＩＭＯ機能を欠いたデバイスは、単一のリモートアンテナユニット又は非ＭＩＭＯシグナリングを用いて示すことができる）。
【００７３】
ブロック３４８は、デバイスがＭＩＭＯシグナリング及び／又は本明細書に記載のＭＩＭＯ関連の無線シグナリングを容易にする場合、デバイスをＭＩＭＯ参加リストにデバイスを追加及び維持することに関する。ＭＩＭＯ参加リストは、デバイス又は他のデバイスが同じ場所又はそれに近接した場所から新しい無線シグナリング又は他の通信を後で確立しようとするときに、記録されたデバイスの動作特性が必ずしも再評価する必要がないように、デバイス及びその関連機能を識別するのに有益であってもよい。この機能は、無線デバイスが、そのようなデバイスが新たな無線シグナリングの確立を試みるたびに必要な処理を改善するために、同じ場所又は相対的に同一のリモートアンテナユニットに繰り返し又は頻繁に使用されるときに、特に有益であってもよい。ブロック３５０は、デバイスのために同一のテーブルを更新するか、及び／又はビーム形成機能を有するリモートアンテナユニットのために新たなテーブルを生成することに関する。テーブルは、ビーム形成に関連する様々な動作機能を追跡するため、さらに任意に非ビーム形成の特性に関連のために使用してもよい。ブロック３５２は、より多くのデバイスがリスト／テーブルへの追加を必要とする、及び／又は使用可能なリモートアンテナユニットの１つ以上で製造する必要があるかどうかを評価することに関する。ブロック３０２は、無線シグナリングを必要とすると同定された付加的なデバイスを追加する目的のために戻ってもよい。追加のデバイスが検出されない場合には、評価は、確立されたパラメータ又は確立する無線シグナル伝達に関連する他の情報が更新を要するか否かについて、ブロック３５４で行うことができる。
【００７４】
ブロック３５６は、別の関連付けを必要とするパラメータを変更すること、及び／又は確立された関連付けに関連するパラメータ又は設定を調整することの決定に関する。関連付けは、リモートアンテナユニットとデバイスとの間のブロック３１２、及び／又は信号プロセッサとリモートアンテナユニットとの間の関連付けにおいて確立したものに関連してもよい。リモートアンテナユニットとデバイスとの間の関連付けは、任意の数の理由で変更されてもよく、例えば、デバイスがある場所から別の場所へ移動すると、デバイスは、シグナリングを終結し、アンテナ素子はビーム形成などをサポートするために利用可能になる。信号プロセッサとリモートアンテナユニットと間の関連付けは、同様の任意の数の理由で変更されてもよく、例えば、帯域が無線通信媒体の他の部分に利用可能になると、無線通信媒体の現に使用されている部分は高い優先度の処理に割り当てられ、適切なリモートアンテナユニット等に到達するように信号が無線通信媒体の異なる部分を介して送られるように、デバイスがサービスエリアのある部分から別の部分へ移動する。有線通信媒体及びそれを介して送信されるシグナリングは、継続的に変化してもよく、スケジューリングの考慮又はその他の動作要件のために、以前は利用できなかった周波数が利用可能になり、以前には利用可能であると決定されていた周波数が利用不可能になってもよい。このように、信号プロセッサは、そのような調整に応じて有線通信媒体を介して信号の配信を制御するために使用されるＭＡＰ又は他の命令セットを頻繁に更新することができ、例えば、ＨＦＣの特定の部分に使用される周波数は、定期的に更新されてもよい。
【００７５】
ブロック３５８は、新たな関連付け及び対応する命令を提供するマスターコントローラに、必要に応じて、リモートアンテナユニット、及びブロック３５６内の信号プロセッサに加えられた他の変更に従い通信するデバイスに関する。これは、リモートアンテナユニットに、ＨＦＣの着信周波数を無線媒体、いくつかの場合には関連したアンテナポート（関連付けがもはや有効でなければ、アンテナポートが解放されてもよい）の発信周波数に変換する準備をするように要求してもよい。本明細書で検討する信号送信はビーム形成及び／又は非ビーム形成の無線シグナリングによって容易にされてもよく、本明細書に記載されるビーム形成ステップ又は処理は、リモートアンテナユニットがビーム形成機能を欠く、及び／又はビーム形成に関連する追加の処理又は他の動作の拘束及び考慮を排除するために望ましい場合に排除されてもよい。ブロック３６０は、ビーム形成をサポートするリモートアンテナユニットが、関連する動作上の設定を変更する必要性をもたらしてもよい経験の条件を有しているかどうかを決定することに関する。ブロック３６２は、リモートアンテナユニットへのマスターコントローラが通信するビーム形成パラメータを含んでもよい。リモートアンテナユニットは、どのアンテナポートが各デバイスにビーム形成するために割り当てられているかの情報を受信してもよい。デバイスと遠リモートアンテナユニットの相対的な位置に基づいて、振幅及び位相又は遅延は、適切なビームを実現すること、及び／又は必要に応じてアンテナポートのビームパラメータの更新することを容易にするために、各アンテナポートに提供されてもよい。
【００７６】
ブロック３６４は、関連付けられたアンテナポートに最終的に対応する周波数でＭＩＭＯレイヤのデータを送信する信号プロセッサに関する。これは、信号プロセッサ、又はパイロット信号若しくは無線デバイスへの伝送のために望ましい入力信号に関連する信号部分の他の独立した信号を送るマスターコントローラを含んでもよい。そのような信号を送信する機能は、確立された又は事前に規定されたチャネル／周波数で発生する通信に関連した処理を確立するために有益であってもよく、新たなリモートアンテナユニット及び／又は新たなデバイスは、ハンドシェイク動作を実行する、又はリモートアンテナユニット及び／又は単一のプロセッサで最初に通信を確立するように予めプログラムすることができる。上述したように、本発明によって考慮されるシグナリングを伝送する方法は、複数のステップ、処理、考慮又は他の決定を含むものとして記載されている。本発明は、必ずしも指定された動作のそれぞれを実行させることなく、及び／又は上述したようなシーケンサの指定された動作を実行することなく、上記に従い信号処理を実施することを完全に考慮する。
【００７７】
任意に、本発明は様々なルール又は他の処理を上記決定とともに考慮し、以下の１つ以上を含む。
【００７８】
信号プロセッサの選択のルール：トラフィック、信号プロセッサの輻輳、スペクトルの可用性、チャネル負荷等に基づいて信号プロセッサを選択する
【００７９】
アンテナ選択のルール：ＵＥ及びリモートアンテナユニットのアンテナが偏波多重化をサポートしている場合は、同じリモートアンテナユニットから２偏波多重化アンテナポートのオプションが含まれる４×４のＭＩＭＯは。２偏波のそれぞれ２アンテナポートの２リモートアンテナユニットを使用して実施することができる
【００８０】
アンテナ選択のルール：リモートアンテナユニットを選択する：輻輳しないもので、ＵＥに近くＵＥから異なる方向にあるもの。可能であれば、階数及び性能を最適化するためにＭＩＭＯ行列を用いた選択を評価する
【００８１】
ＭＩＭＯ条件のルール：単一のリモートアンテナユニットからのＭＩＭＯ利得は、地理的に離れたリモートアンテナユニットのアンテナポートからのものに近いか又は等しいか？該当すれば、強化されたＭＩＭＯを実施しない。
【００８２】
リモートアンテナユニットユニットのルール：インテリジェントなスケジューリングがリモートアンテナユニットユニットに追加されると、ＭＩＭＯレイヤ割当間でリモートアンテナユニットアンテナポートへの迅速なスイッチが発生することがあり、他の動作は準静的である。
【００８３】
資格基準のルール：ＭＩＭＯ機能、良い関連付けの数＞ＭＩＭＯ順序、静止又は準静止、十分なＨＦＣ／ｅＮｏｄｅＢのリソース
【００８４】
ＵＥ選択のルール：容量の需要、アンテナのタイプ、サービスレベルに基づいてＵＥを選択する。ＵＥが一定の閾値（設計パラメータ）を超える速度で移動していると示されている場合には選択しない
【００８５】
本発明の１つの非限定的な態様では、中心の位置から、この中央の位置から制御されて情報を目標の無線受信機に運ぶリモートアンテナユニットまで信号を送信及び分配するために、どのようにケーブルネットワークが使用されるかが検討される。ＭＩＭＯ性能の強化は、複数の地理的に離れたアンテナリモートを使用して行われる。ケーブル分散ネットワーク環境では、これらのリモートアンテナユニットは無線送信機を備え、及びケーブル環境を通りながらダイバーシティを維持し、上述の機能を有している。ＭＩＭＯシステムにおける動作の１つの考慮されるモードにおいて、１つのリモートアンテナユニットがターゲット無線ユーザへ情報を搬送するために使用される。この実施は、非相関のより高い度合及びその結果のＭＩＭＯ利得に導くために空間多重化ブロックでの各独立データセットに従ういくつかの非相関処理に加えて、通過する無線環境における非相関の度合いに依拠する。そのようなシステムでは、ターゲット無線ユーザに対する最良の送信特性を有するリモートアンテナユニットのみが通信に使用される。本発明の一実施形態では、ケーブル分散ＬＴＥシステムを使用し、空間多重化ＬＴＥ信号であるが、地理的に分離されたアンテナリモートを介するものを生成する処理を使用する。アンテナポートのネットワーク配信の地理的分離によって得られたデータセット信号の非相関のため、空間ｊ多重化機能ブロックでの非相関データセットの需要は最小化される。実際には、この手法によって得られた空間ダイバーシティの向上は、単一のアンテナ位置からの空間ダイバーシティと組み合わせる基地局において伝統的に使用された空間多重ブロックによって達成されるものを超えることが予想され、これはアンテナの地理的な分離によって得られた非相関のためである。これは、アンテナと無線加入者との間の短い距離により空間ダイバーシティが減少するような小さなセルネットワークの場合に特に当てはまる。
【００８６】
この例では、リモートアンテナユニットへの独立したデータセットの分布は、アンテナポートの対の最小粒度で示されている。これらは、単一のアンテナポートに分配することもできるが、交差偏波又は他の偏波多重技術によって達成される非相関化の機能を活用するために対で示されている。しかし、空間ダイバース信号を受信する受信機の機能に依存して、任意の数のアンテナを使用することができ、より高次のＭＩＭＯをもたらす。リモートアンテナユニットと物理アンテナポートが選択される１つのメカニズムは、ケーブルネットワークにわたって分散した最適な物理アンテナポートにケーブル環境内の特定のチャネル周波数のマッピングを介してである。例えば、従来の携帯シナリオで動作し、別のリモートアンテナユニットは、ターゲット無線ユーザと通信するために使用するのに最適なアンテナポートを決定するために評価されるであろう。最高のものは、通信について選択されるであろう。本発明の一態様では、リモートアンテナユニットの性能に基づいたランキングは、ＵＥ又はワイヤレス端末デバイスの機能に基づいて、１つでなく複数のリモートアンテナユニットを選択するために活用されるであろう。ＵＥが４×４ＭＩＭＯの機能を持っている場合は、以下のような構成例のいずれかを使用してもよい。
【００８７】
１）各リモートアンテナユニットから使用される１つの物理アンテナポートで４つの最高性能のリモートアンテナユニットを使用する
【００８８】
２）各リモートアンテナユニットから使用される２つの物理アンテナポートで最高性能のリモートアンテナユニットを使用する各アンテナユニットの空間ダイバーシティは、各リモートアンテナユニットの同一位置の２つのポート間の偏波ダイバーシティを用いて活用することができる
【００８９】
３）１つのアンテナリモートから使用される２つの物理アンテナポートで最高性能のアンテナリモートを使用し、残りの２つのアンテナリモートは１つのアンテナポートでそれぞれ使用されている。２つのアンテナポートを有するアンテナリモートにおいて、空間的ダイバーシティは使用される２つのアンテナポート間の偏波ダイバーシティを用いて活用することができる。
【００９０】
どのセットのアンテナリモート及び物理アンテナポートが使用されるかの評価は、１つのアンテナリモートが単一のアンテナリモートの場合に依然として最適であるかどうかを評価するために使用されるであろう従来のシステムと同様の手法及び同様の頻度で発生するであろう。この開示の他の実施形態では、どのアンテナポートが使用されるかを検討する選択に追加の複雑さがある。トラフィックの検討、提供されるサービス、アプリケーションレベルの要件、チャネル利用及びリモートアンテナユニットの機能は、アンテナポート選択の処理に追加することができる基準のいくつかである。複数の基準が使用されるとき、大域的最適化処理が、すべての終端局について目標の要件を満たすようにこのケーブル分散アンテナシステムを構成するために実施されなければならない。単一のリモートアンテナユニットのみが使用されたＭＩＭＯシステムでは、したがって、すべての物理アンテナポートは同じ場所に配置され、高い性能を有するように物理ポートから物理経路への良好な空間ダイバーシティに依拠することをシステムに強制する。この性能は、要素ｈｉ，ｊを有するＭＩＭＯ伝送関数行列を介して測定され、行列は最大階数及び高い値を維持しなければならない。良好なマルチパス環境は、ＭＩＭＯ伝送関数の性能をある程度は改善する。しかし、最良の場合であっても、非相関の度合は限定され、達成することができる利得及び得られた変調次数は限定されている。短い経路の場合における非相関の度合は、より長い経路よりも低くなりがちである。地理的に分離された物理アンテナポートの使用は、非相関のデータ経路を有する自然な最適空間ダイバーシティ構成を提供する。本発明は、最適なＭＩＭＯ性能を達成するために、ケーブルネットワーク、及び地理的に別個の物理アンテナポートの使用を活用してもよい。
【００９１】
本発明の一態様は、現状のビーム形成を介し、アンテナ位置で局所的に抽出されたターゲット無線受信機の位置情報を活用し、分散アンテナシステムはＭＩＭＯ性能を最適化するためにどのように使用されるかを記載している。一態様では、リモートアンテナユニットとモバイルデバイス（ユーザ機器／ＵＥ）のハンドセットアンテナとの間のフィールドで典型的にみられる非対称アンテナ分布を使用することが提案される。ケーブル分散アンテナシステムの１つの提案された実施形態では、ＭＩＭＯ強化機構にビーム形成機能を追加することが意図されている。地理的に分離された物理的なアンテナポートを活用し、高性能の４×４のＭＩＭＯシステムの実施する重複アンテナを使用して４×４のＭＩＭＯシステムにおける８つの物理アンテナポートうちただ４の使用を可能にすることが提案されている。ビーム形成することなく４×４のＭＩＭＯを実施するために使用される追加の４つの物理アンテナポートは、ここでビーム形成を追加し、さらに４×４のＭＩＭＯの性能を向上させるために使用することができる。
【００９２】
ケーブル分配リソースを節約するためには、独立したデータセット情報をするためにのみにケーブル伝送媒体を使用することが有益である。データセットとともに、ターゲットの位置に関する情報及びリモートアンテナユニットの位置に関する情報（緯度と経度）は、リモートアンテナユニットサイトにおいて位置情報の傍受及び抽出のために設計された特別なＵＥデバイスを用いて抽出することがでる。この情報は、リモートアンテナユニット位置において局所的に得られ、追加のビーム形成処理はビームステアリングを生成するために未使用のアンテナポートを活用するために発生する。空間ダイバーシティからの利得の大半は既に達成され、システムの機能は４×４のＭＩＭＯに限定することができる。このように、ビーム形成／／ステアリングで追加の利得を得ることができる。これによって、非常に効率のよいＭＩＭＯ伝送関数行列が得られるが、これは、異なる位置から送信することによる空間ダイバーシティを介した非相関が、ビーム形成を介して達成された利得の増加に効果的に組み合わされたためである。ビーム形成を生成するために必要な情報を提供する位置情報は、帯域内で搬送することができ、無線電バイスを囲むエリアにおける異なるアンテナの信号強度から三角測量の機構を介して推定することができる。
【００９３】
図１２は、本発明の非限定的な一態様によって無線シグナリングを容易にするために信号プロセッサを制御する方法のフローチャート４００を図示している。この方法は、非一時的なコンピュータ可読媒体、コンピュータプログラム製品、又はコンピュータ読取可能な命令、コード、ソフトウェア、ロジックなどを有する他の構築物において実施することができる。命令は、無線シグナリングを配信容易にするために本発明によって考慮される方法で信号プロセッサ及び／又は他のデバイス／構成要素の制御を容易にするため、本明細書で記載される信号プロセッサ及び／又は他の１つ以上のデバイス／構成要素のプロセッサ又は論理的に実行可能なデバイスで実行可能であってもよい。この方法は、無線及び／又は有線通信媒体を長距離伝送される無線シグナリング、又は対応する中間シグナリングの一部に少なくとも関する例示的な非限定的な目的のためにもっぱら記載され、例えばケーブル又はハイブリッドファイバ同軸（ＨＦＣ）ネットワークであるが、必ずしも限定されない。長距離又は中間グナリングは、最終的な無線シグナリング伝送よりも大きな距離にわたって有線伝送を提供するのに十分な信号プロセッサで実行される処理又は他の制御を容易してもよく、それによって、有線伝送に伴う経済性を低減し、無線デバイスとの最終的な相互作用も容易にする。
【００９４】
ブロック４０２は、マスターコントローラ、又は有線媒体／ネットワークを介して特定のサービスエリアへの信号の伝送を容易にするために利用可能なリソースを収集又は決定する他の適切なエンティティに関する。マスターコントローラは、所望の周波数情報を含む帯域内メッセージ（信号）を傍受した後に制御メッセージを送信してもよい。リソースは、信号プロセッサからの有線シグナリングを伝送することに関連するデータ速度、周波数及び他のパラメータを表すデータ又はＲＦスペクトルに関して検討されてもよく、特定の動作拘束又は有線媒体の各部に関連付けられた他の変数に依存して変化してもよい。サービスエリアは、信号プロセッサの領域内のファイバノード又は他の有線トランクを通る地理的領域に対応してもよく、例えば、領域は、各タップに関連付けられ、又は終端局の１つでタップと相互接続する線を介して到達できる。地理的領域は、全地球測位システム（ＧＰＳ）のマーカ／ベクタ、緯度及び経度、及び／又は信号プロセッサからアクセス可能な有線領域を表すのに十分な他の参照を用いて識別してもよい。信号プロセッサと終端局との間で複数の有線経路が利用可能な場合、ユーザ機器又は他の終端点、重複又はマルチパスを決定するものは、それらとともに関連付けられる他のシグナリングパラメータとともに同定されてもよい。
【００９５】
ブロック４０４は、特定のサービスエリアの無線媒体／ネットワークを介した信号の伝送を容易にするために信号プロセッサに利用可能なリソースを収集又は決定することに関する。サービスエリアは、各終端局から到達可能な地理的領域に対応してもよく、例えば、各終端局の有線及び／又は無線の到達範囲は継続する信号の伝送を容易にする。継続する無線シグナリング、すなわち、タップ又はそれに線によって物理的に接続されたデバイスに関連する物理的位置を超えたシグナリングを容易にするのに十分なアンテナ又は他の機能を有する終端局は、リモートアンテナユニットと称されてもよい。リモートアンテナユニットに利用可能なスペクトルは、少なくとも、ビーム形成機能、データ機能、周波数、プロトコル及び／又は他の動作の制約及び無線インターフェースの対応する地理的位置及び対応する有効範囲／到達距離を同定することに限り、有線のスペクトルと同様の方法で同定することができる。任意に、重複するシグナリング領域、すなわち、複数の有線出力インターフェースによって到達可能な領域は、複数の無線信号によって到達可能であってもよい領域を同定するために識別されてもよく、例えば、特に無線終端局は、有線媒体の異なる部分を介して搬送される有線、中間シグナリングで到達可能であり、有線媒体のうちの異なる部分の２つ以上に取り付けられた複数の重複する無線アンテナから無線で到達可能であってもよい。
【００９６】
ブロック４０６は、終端局、ユーザ機器及び／又は有線対無線機能を有する終端局の１つからの無線シグナリングを受信するように意図された無線デバイスを決定することに関する。無線デバイスは、リモートアンテナユニットの１つ以上で交換されたシグナリングの機能として同定することができ、例えば、対応する無線ネットワークにアクセスしようとしたときに行われる登録又は認証の一部として信号を交換するときである（各リモートアンテナは、無線ネットワークをサポートし、及び／又は登録／認証時に与えられた権限に応じてそこから無線信号を受信するために使用可能な無線デバイスを調節するように構成されてもよい）。無線デバイスは、インターネットプロトコル（ＩＰ）アドレス、メディアアクセス制御（ＭＡＣ）アドレス又は別の無線デバイスを区別するのに十分な固有の他の識別子を用いて同定してもよい。機能、運用制約、メッセージング要件及びその他の情報に関する無線伝送は、各機器の無線機能を評価するために、無線デバイスを同定するときに収集してもよい。位置及び／又は移動に関する情報は、ＧＰＳ座標、緯度、経度、推測航法、シグナル強度（ＲＳＳＩ）などを用いて同定された無線デバイスについて決定されてもよい。任意に、収集された情報は、対応するサービスエリア内又は対応するサービスエリア内にありそうな無線デバイスのそれぞれについて名前、無線機能／制限、位置を同定するのに十分であってもよい。無線デバイスは、無線及び有線のデバイス間の関連付けのより大きい選択を提供してもよい無線デバイスに関連した無線及び有線機能でより広い受信領域及び終端局の大きなプールを有するＱＰＳＫ又はＢＰＳＫのような低次の変調を用いて同定してもよい。
【００９７】
ブロック４０８、４１０は、有線及び／又は無線シグナリングを容易にするために、サービスエリア内で利用可能なＨＦＣの有線ＲＦスペクトル及び無線ＲＦスペクトルの解析及び割当に関する。本発明は、有線シグナリングを容易にすることを考慮し、例えば、第１の終端局について、無線シグナリングも同時にサポートしている間に、例えば第２の終端局について、少なくとも無線シグナリングの一部は無線通信媒体を介して少なくとも一時的に中間、有線信号として搬送される。有線及び無線シグナリングのこの併用を容易にするために割り当てられたＲＦスペクトラムは、システムの帯域幅とスループットを最大化することを容易にするために、及び／又は無線シグナリング伴う運用制約に従って動的に選択され、すなわち、システムのある部分は、ＲＦスペクトルの特定の部分に専用のライセンス制限又は他の要件を有してもよい。任意に、ＲＦスペクトルは、対応するシグナリングが信号プロセッサから離れてダウンリンク（ＤＬ）に又はアップリンク（ＵＬ）方向に信号プロセッサに向けて移動し、及び／又は受信機（Ｒｘ）及び送信機（Ｔｘ）をベースとしているかどうかに応じて、異なって割り振られ及び／又は割り当てられてもよい。例えば、より多くの無線デバイスがサービスエリアの特定の部分に予想されると、より多くのスペクトル及び／又は他のシグナリングのリソースが、サービスの所望の品質を確保するために、サービスエリアの他の部分に比べてそのサービス領域に割り当てられてもよい。
【００９８】
ブロック４１２は、信号プロセッサのための制御パラメータを決定することに関する。信号プロセッサは、共通のＲＦポートを介して信号を送信してもよい。信号プロセッサは、どのリモートアンテナユニットの終端局、及びどの特定のアンテナが、信号の最終的な受信者としてターゲットとされているワイヤレスＵＥ終端局に関連付けられているかの知識を有しいてもよい。信号プロセッサは、ＵＥへのリモートアンテナユニット／アンテナ素子のマッピングに基づいて信号を送信するためのチャネル周波数を選択することができる。あるいは、信号プロセッサは、この知識を持っていないが、このメッセージを単にリモートアンテナユニットに送信する。制御パラメータは、利用可能なＲＦスペクトルの制約の範囲内で考慮される無線シグナリングを容易にするために、リモートアンテナへの命令及び／又は制御を容易するために使用されてもよい。無線制御パラメータは、一対一のグループ化を規定してもよく、単一の無線デバイスを用いるリモートアンテナ通信内の単一のアンテナ素子及び／又は一以上のリモートアンテナユニット内の多対一の２つ以上のアンテナ素子のグループ化は、強化された空間ダイバーシティを提供するため、個々の無線デバイスと通信し、すなわち、空間的に別のリモートアンテナを使用して同一の無線デバイスと通信する。無線制御パラメータは、一対一のグループ化又は一対他のグループ化を規定することによって、強化ＭＩＭＯ性能のためにビーム形成及びビーム形成及び空間ダイバーシティの組み合わせを使用する排他的な動作のため、ビームの生成に使用されてもよい。リモートアンテナグループは、サービスエリアの内外に移動する無線デバイスのための継続的なサービスを提供するために、一定の間隔で動的に割当及び再割当をしてもよい。推定されたトラフィック負荷に基づいて、有線及び無線機能を有する終端局の地理的位置及び／又は機能及び信号プロセッサの機能、信号プロセッサと１以上のリモートアンテナユニットとの間のペアリングが発生する。
【００９９】
ブロック４１４は、信号プロセッサのための有線制御パラメータを決定することに関する。有線制御パラメータは、アップリンク及び／又はダウンリンク方向に有線信号の送出の命令及び／又は制御を容易にするために使用することができる。制御パラメータは、無線信号を配信してリモートアンテナを選択させるために要する有線のみのシグナリング及び／又は中間シグナリングのためのスペクトルの一部の割り当てを容易にするために構築されてもよい。有線制御パラメータは有線終端局から発信された推定トラフィック負荷に基づいてもよく、ネットワークトポロジー、有線終端局の機能、チャネルの数及びこれらの終端局にトラフィックを搬送する周波数に関連する有線終端局位置が選択される。有線制御パラメータ及び無線制御パラメータは、現在及び将来のシグナリング要求を容易にするようなリソースの割当及び動的な調整を容易にするために、他のシステム負荷、帯域幅に対して調整され、バランスがとられてもよい。ＭＡＰ又はその他のネットワークに関連する制御構造は、所望の制御を実現するために、生成され、関連する信号プロセッサに分配されてもよい（複数の信号プロセッサは、フィードごとに、又はエンドデバイスごとに使用してもよい）。
【０１００】
ブロック４１６は、無線及び／又は有線の終端局を１つ以上の信号プロセッサに割り当てる為に十分なマッピング及び／又は他の情報を生成することに関する。信号プロセッサは、各デバイスに割り当てられた周波数及びチャネル並びに上記の指定された制御パラメータに応じたそのような周波数とチャンネルのその対応に基づいて、構築してもよい。マッピングは、シグナリングを必要とする各終端局のためのシグナリング責任を各利用可能な信号プロセッサに割り当ててもよく、例えば、伝送に望ましいフィードのそれぞれが少なくとも信号プロセッサで、任意に無線伝送が有線伝送にしたがときにはリモートアンテナで処理される。マッピングは、少なくとも、特定の信号プロセッサが複数の終端局と本質的に同時通信を容易にするのに十分な間隔でさまざまな終端局（例えば、ユーザ機器及び／又はリモートアンテナ）のためのシグナリングをサポートしてもよい点において、動的であってもよい。
【０１０１】
ブロック４１８は、トラフィック、受信する終端局を量、機能等などの現在の状況に基づいて信号プロセッサの構成することに関する。これらの条件は、定期的に評価し、変更が発生するように設定を調整してもよい。ブロック４２０は、所望の電力レベルを得てＨＦＣネットワークの光送信機を駆動するためにフロントエンドの利得及び／又は傾き（周波数依存利得）の制御及び調整に関する。ブロック４２２は、データの適切な量をチャネルに搬送するために、信号をベースバンドプロセッサにおける変調次数の制御及び選択に関する。これは、チャネル条件及び終端局（ＵＥ）及び信号プロセッサの機能に基づいて決定されてもよい。このように、ブロック４２０、４２２は、明細書で考慮される信号処理を容易にするために使用されている局所発振器及び／又は増幅器について、値の設定又は他の制御の実施を含んでもよい。関連する周波数、利得、チルト、損失等は、上述した信号プロセッサの留意すべき利益を達成するように、信号フィード及び／又は意図する終端点に依存して動的に調整されてもよい。任意に、複数の複数の信号成分（例えば、ｈ１１＋ｈ２２）を結合する機能を有する信号構成成分の場合には、代替のブロック４２４が関連するコントロールを容易にするために駆動されてもよい。ブロック４２４は、信号がこの集約がスペクトルのより効率的な使用をもたらす保護帯域を使用せずに行われた特定の周波数間隔に従い周波数同期されると、保護帯域又はその代替物を用いてなされる信号の集約を実行する。
【０１０２】
図１３は、本発明の１つの非限定的な態様によるリモートアンテナユニット５００を示している。リモートアンテナユニット５００は、他の終端局、ユーザ機器（ＵＥ）又は無線デバイス、例えば、第３の終端局４０及び第４の終端局４２との継続的な無線シグナリングを容易にするのに十分な機能を有する終端局の１つに対応してもよい。リモートアンテナユニット５００は、アンテナ搭載インテリジェントトランシーバシステムを使用して有線／ケーブル媒体に関連するシグナリングと無線媒体に関連するシグナリングとの遷移を提供するように構成されてもよい。リモートアンテナユニット５００は、集中型有線及び無線サービス並びに伝統的な無線サービスを可能にするように構成されてもよいです。このリモートアンテナユニット５００は、少なくともリモート無線ヘッドに比べて、低い複雑度を有し、無線アクセスネットワーク（ＲＡＮ）と同様に無線配信ネットワークの範囲の拡張を可能にしてもよい。リモートアンテナユニット５００は、有線通信媒体３４への接続を使用して中間有線シグナリング（すなわち、その後で無線シグナリングに変換することを意図するシグナリング）を受信するように構成されたカプラ５０２を含んでもよい。ダイプレクサ５０３は、周波数に基づいて信号選択及びガイダンスを容易にするように構成されてもよく、例えば、アップリンク及びダウンリンク信号を区別する。
【０１０３】
カプラ５０２は、リモートアンテナユニット５００内の他の構成要素への中間信号の一部の搬送を可能にするために使用してもよい。これらの中間信号は、周波数シフトによって、アンテナポートから信号を送出する前に振幅、遅延又は位相を調整することによって、リモートアンテナユニット５０においてさらに処理してもよい。これは、ＲＦ信号がベースバンドの光学系を使用して搬送される（すなわち、共通公衆無線インターフェース（ＣＰＲＩ）の高帯域幅を介する）従来のリモートアンテナユニットで発生する処理と比べて軽微なＲＦ処理を表している。デジタル化された中間のＲＦシグナリングの使用が考慮されると、ＲＦシグナリングの使用は、既存のプロＲＦ機能及びデバイスの使用を可能にするか又は維持するのに有益であってもよいが、例えば、ＨＦＣ／ケーブルネットワークで使用されるものに必ずしも限定されるものではない。リモートアンテナユニット５００は、インテリジェントデバイス５０４を含んでもよく、例示的な非限定的な目的のためにエンジンとしてラベルされ、アップリンク及びダウンリンクの経路並びに対応するシグナルを検出し、任意にケーブルＵＥの手法による。エンジン５０４は、アンテナ照明パラメータ及び他の無線シグナリングを送信するためにリモートアンテナユニット５００の制御を容易するのに十分な含まれた命令を計算するために、位置及び他の関連情報を傍受するように構成されてもよい。任意に、ビーム幅、所望のビーム及びヌル方向情報又は電力レベルのような付加的なビーム形成制御情報は、送信された無線シグナリングの意図された性能を達成するように決定されてもよい。エンジンからのリモートアンテナユニット５００の様々な制御可能なデバイス５０６への制御リンク（バス）５０６は、通信の命令又はこれに関連する動作の他の制御を容易にするために使用されてもよい。
【０１０４】
リモートアンテナユニット５００の制御できる態様の少なくとも一部は、送信（Ｔｘ）周波数（ｆｒｅｑ）制御、利得制御、受信ビーム制御、送信ビーム制御及び受信周波数制御としてラベル付けされている。これらの制御機能のそれぞれは、中間シグナリング（有線媒体３４を介したシグナリング）、から回収及び／又は信号プロセッサ１２及び／又はマスターコントローラ２０から送信された機能情報として、エンジン５０４を用いて制御することができる。エンジン５０４は、無線媒体１１０と有線媒体３４との間のインターフェースを容易にするために、本発明によって考慮される様々な信号操作の実施を容易にするために、この手法で動作してもよい。エンジン５０４は、現在のネットワークマップ又は他の動作の制約に応じて、関連の制御を動的に変えてもよく、任意に、複数のフィード及び／又は複数のアンテナポート５１０、５１２、５１４、５１６を介したシグナリングを容易にするために必要な実質的にリアルタイムの調節を達成するのに十分な方法によってもよい。ＭＡＰ情報は、ネットワークを介してシグナル伝送を容易にするように動作可能なシステムという題名の米国特許出願第１２／９５４０７９号に記載されたものに対応し、その開示の全体が本明細書中に援用により組み込まれる。４つのアンテナポート５１０、５１２、５１４、５１６は、例示的な、非限定的な目的で４×４のＭＩＭＯ通信を容易にするために単一のアンテナ素子（アンテナポートの数と特定のアンテナのためのアンテナ素子とは変えることができる）と関連付けられてもよいが、これは、多かれ少なかれアンテナポート５１０、５１２、５１４、５１６は本発明の範囲及び意図から逸脱することなく利用してもよいからである。
【０１０５】
本発明の１つの非限定的な態様は、リモートアンテナユニット５００が（例えば、その間に活性要素又はタップがない）光ノードから直接延びる同軸のセグメント内に配置され、したがって、１ＧＨｚの周波数範囲を超える有線ネットワークにおける上流と下流について使用される周波数を可能にするようなシナリオを考慮する。１ＧＨｚから３ＧＨｚまでの周波数範囲が使用されてもよく、１ＧＨｚ未満で動作するために必要なケーブルサービス及び他のアプリケーションに割り当てられてもよいスペクトルリソースの消費を回避する利益がある。任意に、既存のアクティブデバイス、つまりアンプが、システムが１ＧＨｚを超えて使用している送信チャネルを可能にするアンプ及びフィルタによって迂回されると、１〜３ＧＨｚの範囲内のシグナリングの使用がネットワークを介して有効にされてもよい。ＨＦＣネットワーク３４の硬い同軸部分へのカプラ５０２の取り付けは、最も近いアクティブノードへの減衰を最小にするという利益があってもよく、それは近くの光ノードであってもよく、したがって１〜３＋ＧＨｚ範囲の使用を容易にする。リモートアンテナユニット５００の比較的低い数が１−３ＧＨｚで動作することが求められると、特殊な高利得増幅器を使用し、同軸のセグメントにおいて過度にシステムのコストを増大させることなく光ノードに直接接続して配置することができる。
【０１０６】
リモートアンテナユニット５００は、増幅された、フィルタされた及び／又は周波数シフトされたダウンリンク及びアップリンクのデータ経路からなってもよい。デュプレクサ５２０、５２２、５２４、５２６は、同一のアンテナ素子の両方（ＵＬ及びＤＬ）方向の経路を接続するためにアンテナポート５１０、５１２、５１４、５１６の近くで使用してもよい（別個のアンテナポートは、アンテナ素子の同一の部分として示されている）。ビーム形成成分（加重ＲｘｎとＴｘｎとラベル付けされ、Ｒｆミキサ及び対応する信号遅延制御を使用して信号を修正する）は、アンテナポート５１０、５１２、５１４、５１６で使用されてもよく、ビームステアリング及びビームとヌルを整形するための重み係数乗算器の制御要素について考慮される調整可能な遅延成分の実施を容易にする。重み又は乗算係数及び遅延は、エネルギー（主ビーム）のほとんどは意図された標的に向けて集中され、最小放射エネルギー又はヌルが干渉源に向けられるように、放射パターンを形成するために使用されてもよい。遅延は、各アンテナ素子を横断する信号に対して個別に調整してもよく、例えば、無線信号は、意図された標的に到達したときに建設的に（同位相で）加わる。重み付け又は乗算係数は、ビームの整形及び不要な方向へのエネルギーの最小化に寄与する。リモートアンテナユニット５００は、周波数アジャイルであってもよく、例えば、無線動作周波数は、対応するライセンスされたスペクトル、例えば、無線動作周波数は、対応するライセンスされたスペクトル、すなわちリモートアンテナユニット５００のそれぞれ又はそれぞれからの使用について認可されたスペクトルに調整することができる。（いくつかのアンテナは異なるスペクトル使用のライセンスを活用してもよく、及び／又はスペクトル使用は送信された、ｈ１１、ｈ２２、ｈ３３、ｈ４４として放出されてｇ１１、ｇ１２、ｈ１３、ｈ１４等として効果的に受信されることが示された無線シグナリングを受信した無線デバイスに構成されたものに対応してもよい）。任意に複数の固定又は制御可能な増幅器５２８、５３０、５３２、５３４を含む利得制御機構は、他のＲＦリモートアンテナへの干渉を制限するために高密度の動作シナリオを補助するために含まれてもよく、例えば、ビーム形成パラメータ又は非ビーム形成パラメータ（例えば、無指向性又は固定方向のアンテナが使用される場合に干渉を防止／制限する）に応じて信号電力レベルを増加又は減少させることによる。
【０１０７】
利得制御機構は、エンジン５０４から対応する増幅器５２８、５３０、５３２、５３４に送信されたコマンドの機能として制御してもよい。利得制御を先行する信号処理は、有線媒体３４を介して搬送される周波数ダイバース信号を無線媒体１１０を介した伝送に十分な周波数を有する信号に変換するのを容易にするために、各経路（例えば、ｈ１１、ｈ２２、ｈ３３、ｈ４４）について周波数変換器５３６、５３８、５４０、５４２を使用する本発明に応じて構成されるようにしてもよい。変換器５３６、５３８、５４０、５４２は、それぞれが、異なる周波数で複数の独立に配置されたデータ経路の変換を可能にするように動作可能な独立した別個の発振器、送信シンセサイザ及びＲＦミキサを含むことが示されている。局部発振器のそれぞれは、マスタ発振器（図示せず）に周波数ロックされてもよく、周波数ロックを達成してＨＦＣ環境上の保護帯域なしの動作を可能にする。有線媒体３４を介して送信された信号は、少なくとも、対応するシグナリングプロセッサ変換器の１つ（例えば、８０、８２、８４、８６）から送信され、送信する前にリモートアンテナユニット５００で変換されてもよい点において、周波数ダイバースであってもよい（例えば、関連する変換器１２８、１３０、１３２、１３４に関し図４の手法による）。周波数変換器５３６、５３８、５４０、５４２は、同じ又は異なる周波数で信号ｈ１１、ｈ２２、ｈ３３、ｈ４４を出力するように独立して制御してもよい。ＭＩＭＯ及びビームフォーミング信号が同じＵＥ又はエンドデバイスに向けられている場合には、変換器５３６、５３８、５４０、５４２は同じ周波数の信号を出力する。ＭＩＭＯにおいては、有線信号が異なる有線チャネルから来ているので、無線ドメインにおいて同一の周波数で信号を配置するために、変換器５３６、５３８、５４０、５４２における混合周波数は異なることが必要であってもよい。ビーム形成では、各アンテナポート５１０、５１２、５１４、５１６に同じ有線信号が使用されてもよく、この場合、同一の混合周波数が変換器５３６、５３８、５４０、５４２のそれぞれに使用されてもよい。ｈ１１、ｈ２２、ｈ３３及びｈ４４が同一のＵＥに出力される場合には、それぞれの出力周波数が同じであってもよく（図４）、信号の一部が異なるＵＥに出力される場合には出力周波数が意図する受信者（図５）に応じて変化してもよい。周波数の独立な制御によってリソースをより効率的に使用することができ、これは、１つのリモートアンテナユニットが同時に２つのエンドデバイスに、異なるアンテナポートを介してサービスを提供すことができるためである。
【０１０８】
独立した局部発振器を使用すると、入力信号（ｈ１１、ｈ２２、ｈ３３、ｈ４４）の変化する周波数に調整を可能にすることができ、例えば、共通の出力周波数に変換するときに、各発振器は異なる混合周波数を使用してもよい。フィルタ／増幅器５４４、５４６、５４８、５５０は、後続の処理の前に信号をフィルタをするために使用されてもよく、例えば、信号がその後、さらなる処理のために増幅及び／又は渡される前にノイズ、干渉又は他の信号成分の除去を容易にし、例えば、さらに伝播及び／又は拡大される前にノイズを除去する。フィルタ５４４、５４６、５４８、５５０及びその後の利得コントローラ５２８、５３０、５３２、５３４は、信号がさらに、非干渉又はノイズ感受性の伝送を可能にするのに十分な直交性を有する変換器５３６、５３８、５４０、５４２から出力されるときに、省略される及び／又は操作なしで信号を通過させる制御されることができる任意の構成要素であってもよい。任意に、フィルタ５４４、５４６、５４８、５５０は、入力信号の周波数を所望の周波数に変換するように調整可能であってもよい。任意に、フィルタ５４４、５４６、５４８及び５５０は、チャネル（例えば、ｈ１１、ｈ２２、ｈ３３、ｈ４４）で発生する十分な直交性を排除し、干渉のない動作を生成するようにしてもよい。周波数多重化の代わりに、信号は互いに隣接し、それによって鋭いロールオフフィルタを必要とし、別個の発振器５３６、５３８、５４０、５４２は、サブキャリア間隔の正確に整数倍とは異なる信号のサブキャリアを配置することにより、直交性を維持するために使用してもよい。これは、保護帯域及び／又はフィルタを使用することなく、直交信号キャリアの配置を可能にしてもよい。
【０１０９】
スプリッタ５５２は、適切なものの変換器５３６、５３８、５４０、５４２への配信の前に、着信信号の分離を容易にするために含まれてもよい。スプリッタ５５２は、４×４のＭＩＭＯがアクティブな場合、変換器のそれぞれに信号を分割してもよい。スプリッタのブランチは、信号をより低いブランチの数に分割するときに未使用のままにしてよい。２×２のＭＩＭＯがアクティブであるときには、変換器５３６、５３８、５４０、５４２の２つのみが使用される。アクティブなブランチの異なる数は、他の所望の動作パラメータに依存して、変換器５３６、５３８、５４０、５４２のいずれか１つ以上に信号を分割するために使用してもよい。スプリッタ５５２は、有線媒体３４を介する伝送のために信号を結合して変調するように、アップリンク経路に含まれるＲＦコンバイナ５５４から別個に示されている。コンバイナ５５４は、上流への伝送のために結合された１つ以上の信号を有効にするために、エンジン５０４から受信した信号の機能として動作してもよい。上流の信号は、アンテナポート５１０、５１２、５１４、５１６で受信され、続いて、別々の変換器５６０、５６２、５６４、５６６及び（有線媒体３４の要求／構成に応じてエンジン５４０で制御可能である）アップリンクフィルのフィルタ及び／又はアンプのフィルタ／アンプ５７０、５７２、５７４、５７６で処理される無線信号に対応してもよい。アップリンクの変換器５６０、５６２、５６４、５６６は、独立して制御可能なシンセサイザ、発振器とＲＦミキサを含むことに関し、ダウンリンクの変換器５３６、５３８、５４０、５４２と同様に構成されてもよい。エンジン５０４は、有線媒体３４上に伝送する前に上流に移動する信号に周波数ダイバーシティを追加すること容易にするために、変換器５３６、５３８、５４０、５４２を制御してもよい。エンジン５０４は、ダウンリンク上で実行されるものの逆であるアップリンク上での動作を本質的に実行することができ、関連するビーム形成処理を実施することを含む。
【０１１０】
４つのアンテナポート５１０、５１２、５１４、５１６が示されているが、リモートアンテナユニット５００は、多かれ少なかれアンテナポート５１０、５１２、５１４、５１６に拡張することができる。対応するアンテナ素子の数は十分な要素及び適切な経路制御機構を提供するように選択されてもよく、専らＭＩＭＯのため、専らビーム形成及び／又は両方の結合のためにアンテナ要素の１つ以上を可能にする。エンジン５０４は、送信又は受信バーストごとに調節可能なビーム形成パラメータを生成することに加えて、リモートアンテナユニット５００の状態情報を提供することができ、アンテナ素子の遅延及び関連するステアリングビーム及びヌルを命令とした振幅重み付け成分を有効にするようなインテリジェントな通信デバイスとして機能してもよい。任意に、これらの制御メッセージは、中央の場所から無線プロトコルに帯域内で行うことができ、それによって既存の無線プロトコルを変更する必要がなくなる。リモートアンテナユニット５００はまた、有線チャネルが無線チャネルよりも有意に高い次数の変調をサポートするときのように、変調変換機能を含んでもよい。この機能は、入ってくる無線信号のアップリンクへの復号／復調及び高次変調への再符号化／再変調を容易にし、無線媒体３４を介したダウンリンクへの通信のためにスペクトルを保存するのに有益であってもよい。リモートアンテナユニット５００に関連する複雑さは、プラント（有線媒体）スペクトルのための削減によって相殺されてもよい。同様に、高次の変調を介してスペクトルの展開は、リモートアンテナユニット５００に遷移するように有線信号が高次変調で低帯域幅であるときにダウンリンクで使用することができる。リモートアンテナユニット５００は、広帯域信号に、及び／又は無線で伝送される前に無線媒体により適した低次の変調で、対応する変換を行ってもよい。
【０１１１】
図１４は、本発明の非限定的な一態様による、無線シグナリングを容易にするためにリモートアンテナユニットを制御する方法のフローチャート６００を示している。この方法は、非一時的なコンピュータ可読媒体、コンピュータプログラム製品、又はコンピュータ読取可能な命令、コード、ソフトウェア、ロジックなどを有する他の構築物において実施することができる。命令は、無線シグナリング（例えば、マスターコントローラ）を配信容易にするために本発明によって考慮される方法でシグナリングプロセッサ及び／又は他のデバイス／構成要素の制御を容易にするため、本明細書で記載される信号プロセッサ及び／又は他の１つ以上のデバイス／構成要素のプロセッサ又は論理的に実行可能なデバイスで実行可能であってもよい。この方法は、無線及び／又は有線通信媒体を長距離伝送される無線シグナリング、又は対応する中間シグナリングの一部に少なくとも関する例示的な非限定的な目的のためにもっぱら記載され、例えばケーブル又はハイブリッドファイバ同軸（ＨＦＣ）ネットワークであるが、必ずしも限定されない。長距離又は中間グナリングは、最終的な無線シグナリング伝送よりも大きな距離にわたって有線伝送を提供する信号プロセッサで実行される処理又は他の制御を容易してもよく、それによって、有線伝送に伴う経済性を低減し、無線デバイスとの最終的な相互作用も容易にする。
【０１１２】
ブロック６０２は、アップリンクとダウンリンクの走行信号に対して実行される処理に関連付けられた制御パラメータを受信するエンジンに関する。制御パラメータは、有線媒体３４を介して伝送される制御シグナリングからの命令に関連する回収によって決定してもよい。制御パラメータは、ダウンリンク（ＤＬ）及びアップリンク（ＵＬ）受信（Ｒｘ）及び送信（Ｔｘ）周波数を含むことが留意される。Ｒｘ及びＴｘの周波数は、典型的には、４×４のＭＩＭＯ動作中に異なる周波数で動作する各発振器（局部発振器（ＬＯ））でリモートアンテナの各変換器について周波数又は値を指定してもよい。周波数は、シンセサイザ、発振器及び／又はＲＦミキサのそれぞれのための周波数に関連する設定を含む、変換のための様々な動作パラメータを設定するために使用してもよい。周波数は、リモートアンテナ及び／又はその他へのシグナリングで運ばれるＭＡＰ又は他のデータセットに指定してもよい。ＭＡＰは、ネットワークトラフィック及び／又はＵＥにライセンスされたスペクトルの関数として、任意に、発振器ごとに、又は各発振器のための適切な周波数を決定するためにエンジンを可能にするのに適した任意の他の方法で、時間とともに変化する周波数を指定してもよい。各発振器の周波数及び／又は他の周波数調整コンポーネントを設定し、変更する機能は、様々な種類のデバイス及び／又は異なるスペクトルの制約の範囲内で無線シグナリングを容易にするためのリモートアンテナを可能にするのに有益であってもよい。
【０１１３】
ブロック６０４及び６０６は、リモートアンテナユニットのアンテナ素子及び発振器を構成することに関する。アンテナ素子は、各アンテナがアクティブとなるのはいつか、及びそれに対応する動作特性及び機能、例えば、ビーム形成のサポート、送信範囲、使用できる要素の数等を評価することを含んでもよい。エンジンは、アンテナの動作能力を決定し、ＭＡＰ内の指定された及び／又はその他の無線伝送のために必要なシグナリングに関連するスケジュールに応じて関連するコントロールを実施してもよい。アンテナの構成は、周波数又はＭＡＰ変化の他の動作設定などを制御及び調節してもよい。発振器の構成は、無線周波数ＭＡＰの割り当てに合わせて、発振器の各設定／調整することを含んでもよい。ブロック６０８は、所望の無線シグナリングを容易にするために、リモートアンテナユニットをさらに調整することに関する。さらなる調整は、発振器で行う周波数変換後の信号処理及び送信を容易にするために使用される増幅器及び／又はフィルタのパラメータを調整することを含んでもよい。１つのそのような調整は、ビーム形成パラメータ、シグナリング範囲又は無線シグナリングを容易にするために必要な他の変数に応じて増幅器の利得を調整することを含んでもよい。
【０１１４】
ブロック６１０は、リモートアンテナユニットのアンテナ素子の各々に対応する変更（又は照明）をサポートするすべての構成要素が構成されているかどうかを決定することに関する。複数のアンテナがＭＩＭＯシグナリング、すなわち、複数のアンテナからリモートアンテナへの協調無線送信を容易にするように構成されてもよく、それに関連するアンテナのそれぞれは関連する無線シグナリングを促進する前に構成される必要があってもよい。周波数及び／又は利得が各アンテナ素子のために、及び／又は各信号（例えば、Ｈ１１、Ｈ２２、Ｈ３３、Ｈ４４等）のために設定されると、ブロック６１２は無線シグナリングを受信するように意図されたＵＥの評価位置、移動又は他の変数の状態に関し、ビーム形成パラメータや無線シグナリングに関連するその他の設定を調整し、無線シグナリングを移動するＵＥに向け、及び／又は最適なビーム形成パラメータの達成に関連する他の調整を行う。エンジンは、登録パケット又はＵＥとの他のシグナリング交換、例えば、リモートアンテナユニットの無線ネットワークへのＵＥのアクセスを許可するかどうかの許可又は評価に関連するシグナリングからＵＥに関する情報を明らかにするように構成してもよい。任意に、エンジンは、所望のビーム形成、すなわち、ビームがＵＥに向けられていることを確保するためにその動き及び／又は位置を評価するように、ＵＥのために緯度及び経度の値を決定してもよい。リモートアンテナユニットは、ビームフォーミング機能を欠いているか、又は無指向性のデバイスである場合には、ブロック６１２は、ＵＥが無線シグナリング範囲内にあるか否かを判定することに関してもよい。
【０１１５】
ブロック６１４は、ダウンリンク及びアップリンク送信を同期することに関し、アンテナ照明パラメータの更新は伝送を最適化する必要がある。同期は、アンテナポート及び／又はリモートアンテナの他の制御設定の切り替えに対応してもよく、ＭＡＰ内に含まれるスケジューリング情報に応じて無線シグナリングを送信及び／又は受信する。各アンテナポートがアップリンク又はダウンリンク伝送のいずれかを容易に制限されている場合、同期は、複数のアンテナポートがアップリンク／ダウンリンクのシグナリングを容易にするために同期化を必要としてもよいようなＭＩＭＯシグナリングを容易にするために、アンテナポートの使用の調整に対応してもよい。アンテナ照明パラメータは、アップリンク／ダウンリンクのシグナリングを容易にするために必要に応じて更新することができ、すなわち、照明パラメータは、第１のＵＥにダウンリンク通信を容易にするように設定され、その後、第２の、異なるＵＥとのアップリンク通信を容易にするように調整されてもよい。ブロック６１６は、任意の方法に関し、同期に関連した情報及び調整された照明パラメータはリモートアンテナからマスターコントローラ及び／又は信号プロセッサに送信することができてもよい。このような情報の送信はアジャイル環境に有益であってもよく、そこでは、ＵＥが１つのリモートアンテナから別のものに急速に移行することができ、例えば、マスターコントローラ及び／又は単一のプロセッサは、サービスの損失／混乱を防ぐためにそのようなアジャイルのＵＥで無線シグナリングを容易にすることを準備及び／又は開始する他のリモートアンテナに命令する必要があってもよい。
【０１１６】
ブロック６１８は、アップリンク伝送のために受信された無線シグナリングを集約するために変調／周波数多重を行ってもよい。多重化は、さらなる有線シグナリングのために受信した無線シグナリングを準備するリモートアンテナに対応してもよい。リモートアンテナが同時に異なるＵＥからの無線信号を受信した場合、例えば、２つのＱＰＳＫ信号を、単一の１６ＱＡＭ信号に結合するように、関連する信号を１つのアップリング伝送に結合するリモートアンテナに関してもよい。リモートアンテナはＲＦコンバイナ又は他の多重化デバイスを含んでもよく、多重化又は有線伝送のための無線関連シグナリングを変換することに関連する処理を容易にする。リモートアンテナは、ＭＡＰ内の指定されたパラメータに応じてアップリンク、有線シグナリングの送信をスケジュールしてもよい。アップリンク信号は、関連する信号プロセッサで受信した後、さらにその後の伝送のために処理されてもよい。このように、本発明の非限定的な一態様は、ＨＦＣインフラストラクチャの機能を活用してもよく、無線発信シグナリング（リモートアンテナで受信されたシグナリング）及び終端シグナリング（リモートアンテナから送信されたシグナリング）の長距離、有線伝送をサポートする。
【０１１７】
図１５は、本発明の非限定的な一態様によるユーザ機器（ＵＥ）７００を示している。ＵＥ７００は、有線通信媒体３４と、例えば図１に示された終端局であるがこれに限られないユーザ機器との間の信号をインターフェースするように構成されたケーブルＵＥ又は他の有線ＵＥとみなされてもよい（例えば、図２ｂの信号プロセッサ４８）。ＵＥ７００は、顧客宅内機器（ＣＰＥ）モデム、セットトップボックス（ＳＴＢ）、テレビ又は存在に応じて伝送された信号を処理するように構成されたデバイスの実質的に任意の他の種類であってもよい。これらの信号は、上流及び下流スペクトルの別のチャネルに多重化することができるように、適切にフィルタされた周波数多重信号であってもよい。ケーブル環境では、上流と下流の周波数範囲が分割されることがあり、例えば、上流は５ＭＨｚから４２ＭＨｚまで又は６５ＭＨｚであるが、８５ＭＨｚ又は２０４ＭＨｚ以上に拡張することができ、下流の周波数範囲は５０ＭＨｚのから１ＧＨｚであるが、２５８ＭＨｚから１．２ＧＨｚ又は１．８ＧＨｚ以上に拡張してもよく、任意にプラントの更新に従う。ＵＥ７００は、少なくとも、ネットワーク側に交換される信号７０２がアップリンクとダウンリンク方向の両方に１つの入力信号の関数として生成された最初の信号（Ｈ１１）及び第２の信号（Ｈ２２）を含むことが示された点において、２×２のＭＩＭＯ信号プロセッサとみなされてもよい。
【０１１８】
ＵＥ７００は、有線通信媒体３４及び／又はデバイス側信号７０６に関連付けられているデバイスとの有線交換のための信号の処理を容易にするように構成された複数の構成要素を含んでもよい。構成要素は、例示的で非限定的な目的のために３つの基本的な構成要素であるベースバンドプロセッサユニット７０８、無線周波数集積回路（ＲＦＩＣ）７１０及びフロントエンド７１２に配置されることに関して示されていますベースバンドプロセッサ７０８ユニットは、上述したベースバンドプロセッサと同様であり、様々なデバイス（例えば、デバイス５２、６２、６４、６６、６８、７０、７２、７４、７６及び／又は１１６）を含んでもよく、アップリンクシグナリングの同様の処理を容易にし、ダウンリンクシグナリングの同等な、逆の処理を容易にする。ベースバンドプロセッサユニット７０８は、出力用のデジタル変調ＲＦ信号として個別のデータ経路を介して移動するダウンリンク信号を統合し、ＲＦＩＣ７１０で周波数変調のためのアップリンクシグナリングを処理するように構成されてもよい。ベースバンドプロセッサ７０８をＲＦＩＣ７１０及びフロントエンド７１２とは別の位置に有するのではなく、本発明の非限定的な一態様では、それらを同じ位置に有し、任意に、電子素子技術連合評議会（ＪＥＤＥＣ）仕様（ＪＥＳＤ２０７）インターフェース７１６又は送信／受信（Ｔｘ／Ｒｘ）デジタルインターフェース１７８への接続部品として同等以上の十分なインターフェースを有することを考慮する。ＪＥＳＤ２０７インターフェース１５８は、その間でデジタル化されたＲＦを搬送するための光ファイバリンクを使用してベースバンドプロセッサを接続する必要性を排除してもよい。
【０１１９】
少なくともダウンリンク方向において、ＲＦＩＣ７１０は、デジタルデータ経路信号を使用し、それらを適切なアナログデジタル（ＡＤＣ）変換器７２２、７２４、７２６、７２８を介して導き、その後に所望の周波数に変換してもよい。ＲＦＩＣ７１０は、独立した局部発振器（ＬＯ）７３０、７３２を採用し、各経路（ｈ１１、ｈ２２）のためのシンセサイザ７３４、７３６を受信するように本発明に従って構成されてもよい。独立した発振器の使用は、周波数の直交性を向上させるために異なる周波数で複数の独立して配置されたデータ経路を可能にするのに有益であってもよく、例えば、ＯＦＤＭ信号７２からのデータ経路出力の周波数（Ｆ２）とは異なる周波数（Ｆ１）から変換してもよいＯＦＤＭ信号７０からのデータ経路出力である。（少なくとも、図示のように接続するとき、両方の経路（ｈ１１、ｈ２２）に共通の発振器は、別々の周波数Ｆ１、Ｆ２に生成することができないであろう。）フィルタ７４２、７４４、７４６、７４８は、例えば帯域内及び直交部分が発振器７３０、７３２と協働して動作するＲＦミキサに達する前にノイズ、干渉又は他の信号成分を除去することを容易にするように、ベースバンドプロセッサ７０８への伝送の前の信号をフィルタするために、同相部分（ｈ１１（同相）、ｈ２２（同相））及び直交部分（ｈ１１（直交）、ｈ２２（直交））について含まれていてもよい。任意に、フィルタ７４２，７４４，７４６，７４８は調整可能であってもよく、例えば、ＯＦＤＭ周波数が変化するときにはＯＦＤＭ７０、７２からの信号の周波数に従う。ＲＦＩＣ７１０は、全容量を最大化するために、同位相及び直角位相である信号を生成するように９０度移相器７５０、７５２で構成されてもよい。移相器７５０、７５２は、入力として、ローカル発振器信号を受信し、位相が９０度ずれている２つの局部発振器の信号出力を生成する。
【０１２０】
フロントエンドデバイス７１２は、アップリンク方向への同軸媒体に信号ｈ１１を集約して駆動し、ダウンリンク方向の同軸媒体への信号ｈ１１、ｈ２２を受信するように構成されてもよい。有線通信媒体３４に接続するフロントエンド７１２を用い、本発明は、無線で送信される場合に必要とされるであろう信号よりも相対的に低い電力レベルでＵＥ７００からの信号を配信／受信することを考慮する。具体的には、考慮するケーブルの実施では、増幅器１８８（図１参照）はファイバ内で使用し、及び／又はシグナリング電力は特定のレベル内で維持するようにトランクしてもよく、すなわち、ＲＦ分布からのシグナリング出力（ｈ１１、ｈ２２）を増幅し、相対的に低い電力レベルでネットワークを組み合わせ、及び／又はＲＦ結合ネットワークから放出された信号電力がほぼ一定に留まるように確保する。電力レベルは、例えば、ＲＦ分布からの２０ＭＨｚの信号（ｈ１１、ｈ２２）出力であり、結合ネットワークから光送信機に約−２５ｄＢｍであり、マクロセルからのような同様の無線シグナリング出力に対し、約４０ｄＢｍのように高くする必要があってもよい。本発明で考慮されている既存のアンプ活用する機能及び既存のＨＦＣプラント３４の機能は出力シグナリング電力要件を最小化するために使用することができ、それによって、設計の影響（すなわち、より低い利得）設計の影響（すなわち、より低い利得）を向上させ、より低い実装コストを提供する。
【０１２１】
ＵＥ７００は、ダウンリンクで送信されるｈ１１信号と異なっていてもよい信号ｈ１１として例示的な目的のために示されたデバイス（図示せず）からのアップリンク信号を処理するように構成してもよい。ＵＥ７００は、同様のＭＩＭＯ能力がアップリンク上で提供することができるような例示的な、非限定的な目的のためにダウンリンクで２×２のＭＩＭＯ、アップリンクで１×１又はＳＩＳＯ（又は１×ＭＩＭＯ）をサポートするように示されている。デジタルアナログ変換器（ＤＡＣ）７６０、７６２は、アップストリームＲＦ信号を生成し、その後にそれらをアップコンバートするために使用することができ、例えば、フロントエンドデバイス７１２は、アップリンク方向に同軸媒体信号ｈ１１を駆動するように集約及び構成してもよい。ダウンリンクの別々の発振器とシンセサイザとは対照的に、ＳＩＳＯ（又は１×１のＭＩＭＯ）で動作するようにおそらく構成されたアップリンクは、単一の発振器とシンセサイザ７６４、７６６を含んでいてもよく、インターフェース７１８で生成されたインバンド部ｈ１１（同相）及び直交部Ｈ１１（直交）を有線通信媒体３４を介したアップリンク信号Ｈ１１の伝送のための所望の周波数に共通に変換することを容易にする。周波数ダイバーシティを必要とする媒体３４において２×２のＭＩＭＯ又はこれより大きいＭＩＭＯ次数のアップリンク構成の場合には、複数の局部発振器を使用してもよい。アップリンク信号（ｈ１１）は、増幅器７８０、７８２及びフィルタ７８４、７８６を用いて処理することができる。増幅器／フィルタ７８０、７８２、７８４、７８６は、適切な信号回復を容易にし、有線通信媒体３４の横断部分の特性に応じて増幅を調整するために制御及び／又は調整可能であってもよい。複数の調整は、下流のシグナリングのために時間をかけて発生してもよく、上流の調整は同様に動的であってもよい。状態情報は把握され、特定の調整パラメータを制御してもよく、及び／又はデータ又は他の情報は、第３及びさらなる増幅器／フィルタの所望の調整を容易にするために、受信したシグナリングに含めてもよい。
【０１２２】
ダイプレクサ７９０は、ＵＥ７０２内のアップリンク及びダウンリンクのシグナリングの分割を容易にするために含まれてもよく、ネットワーク側の信号７０２の有線通信媒体３４とのインターフェースを容易にする。ＲＦスプリッタ７９２は、ダウンリンク信号を２つに分離するように構成されてもよい。ダウンリンクの増幅器７９４、７９６、７９８、８００及び／又はフィルタ８０２、８０４、８０６、８０８は、異なる電力レベルでのシグナリングに対応する処理を容易にするために制御することができ、例えば、第１の増幅器７９４の増幅は第２の増幅器７９８と異なっていてもよく、フィルタ８０２、８０４、８０６、８０８はｈ１１、ｈ２２又は他の選択された周波数の周波数範囲の通過を制御するために使用されてもよい。例えば第１及び第２の増幅器７９４、７９８の増幅は、シグナリング周波数及び信号が信号プロセッサ３０及び／又はリモートアンテナユニット４０、４２から移動するときに通る経路に応じて設定されてもよい。媒体３４において、ＵＥ７００に信号ｈ１１を搬送するために使用されるチャネル周波数は、増幅器８０２、８０４の対応する制御で補償することができる信号ｈ２２を搬送するチャネル周波数より弱めてもよい。経路毎の増幅を制御する能力は、有線通信媒体３４内の損失、減衰、及び／又は対応する経路の他のシグナリング特性を考慮した対応するシグナリングの傾斜を設定し、ＵＥ７００によってさらに処理されたときに信号がほぼ平坦であるようにするのに有益であってもよい。増幅器７９４，７９６，７９８，８００及び／又はフィルタ８０２，８０４，８０６，８０８は、下流の同期、サイドローブ、不要な隣接チャネルのエネルギーの除去を容易にし、及び／又は信号の歪み及び／又は対応するシグナリングが通過する特定のデータ経路の他の特性を補償するために、制御可能である。
【０１２３】
ＵＥ７００は、ベースバンドプロセッサ７０８、ＲＦＩＣ７１０及びフロントエンド７１２の中に配置された複数の構成要素を含むように示されている。アップリンクシグナリングのために利用されるベースバンドプロセッサ７０８の構成要素は、図２、図４及び図５において上述したものと同様であってもよいし、ダウンリンクシグナリングのために利用されるものは、図２、図４、図５に上述したものと同等の逆のものであってもよい。しかしながら、これらの構成要素は、本明細書で考慮する動作を容易にするために、ベースバンドプロセッサが他の構成要素及び構成要素の配置を含むことができるという例示の目的のために示されている。ＲＦＩＣ７１０は、アップコンバージョン又はダウンコンバージョンのように、希望する周波数に受信及び送信信号の変換を容易にするための構成部品を含んでいる。ＲＦＩＣ７１０の動作は、周波数の直交性を調整し、そこから送信された周波数ダイバース、ダウンリンク信号７０２を変換するのに必要な他の周波数調整を行うことを容易にし、ベースバンド又はベースバンドプロセッサ７０８アップリンク伝送から受信した受信した他の入力信号の変調を容易にするために、上流の信号プロセッサ３０と協働してもよい。ＲＦＩＣ７１０は、１つ以上のダウンリンク周波数変換ユニット８１０と１つ以上のアップリンク周波数変換ユニット８１２を有する周波数変換デバイスとみなしてもよい。
【０１２４】
アップリンク及びダウンリンク周波数変換ユニット８１０、８１２は、それぞれが発振器と、合成器及びＡＤＣ又はＤＡＣと動作可能な位相シフタ、フィルタ及び／又はＲＦミキサを含み、それぞれが独立して制御可能であることに限り、一般的に同様であってもよい。構成要素の個々の制御は、非周波数ダイバース信号を周波数ダイバース信号に変換し、周波数ダイバース信号は非周波ダイバースを処理することを可能にするために有益であってもよく、例えば、本明細書で考慮される周波数動作を容易にするために送信されたシグナリングの同相及び直交帯域の処理を容易にする。アップリンク及びダウンリンク周波数変換ユニット８１０、８１２は、４×４のＭＩＭＯを有効にするなどの追加の信号処理を容易にするために、少なくとも、追加のユニットがアップリンク及びダウンリンク経路のいずれか又は両方にモジュールとして本質的に追加することができる限り、モジュラー型コンポーネントとして例示的な目的のために考慮してもよい。ＲＦＩＣ７１０内に含まれたアップリンク及びダウンリンク周波数変換ユニットの数８１０、８１２はフロントエンド７１２の入力及び出力の数に基づいてもよく、すなわち、１つのダウンリンク周波数変換ユニット８１０がＲＦＩＣ７１０へのフロントエンドのそれぞれの出力のために必要とされてもよく、１つのアップリンク周波数変換部８１２がＲＦＩＣ７１０からフロントエンド７１２への各入力のために必要とされてもよい。
【０１２５】
フロントエンド７１２は、ネットワーク側のシグナリング７０２（アップリンク及びダウンリンクのシグナリング）を有線ネットワーク３４又はネットワークに接続された他のもの（無線ネットワークへのインターフェースについては後述する）にインターフェースすることを容易にするように構成されてもよい。フロントエンド７１２は、信号プロセッサ３０から送信された各信号部分に分離、フィルタリング、増幅、及びその他の調整を可能にするのに十分な機能（ダウンリンクシグナリング）、及び有線通信媒体３４へのシグナリング駆動を容易にするための同様の機能（アップリンクシグナリング）で構成されてもよい。ベースバンドプロセッサ７０８及びＲＦＩＣ７１０と同様にアップリンク及びダウンリンクのシグナリングの所望の処理を容易にするために、増幅器、フィルタ及び／又は他の構成要素は、個々に制御可能であってもよく、例えば、ＭＡＰ伝送情報又は有線ネットワークを介して搬送される他のデータ及び／又はその開示の全体が参照により本明細書に援用されるネットワークにわたる信号の伝送を容易にするように動作可能な方法及びシステムという題名の米国特許出願第１２／９５４０７９号に記載され、そこに提供される他の命令に基づいている。ＵＥ７００は、位置及び他の関連情報を傍受するように構成されてもよく、アンテナ照明パラメータ、又は信号処理を容易にするために十分な他の含まれる命令を計算する。フロントエンド７１２でアップリンク及びダウンリンクシグナリング経路を個別に処理する機能は、システム１０に展開された標準的又は一般的なフロントエンド７１２に信号を送り、その後で、ノイズ、減衰及びシステム１０の対応する部分の他のシグナリング経路特性を補償するように個別に調整されることを可能にするために有益であってもよく、例えば、終端局２２でのフロントエンド７１２は、各位置での有線通信媒体３４の対応する部分の信号特性によって、他の場所でのフロントエンド７１２と異なるように制御してもよい。
【０１２６】
図１６は、本発明の非限定的な一態様による４×４のＭＩＭＯ、有線ＵＥ８５０を示している。ＵＥ８５０は、少なくとも、ベースバンドプロセッサからの信号の入力及び出力が単一の信号プロセッサ２５０を介したアップリンク及びダウンリンク伝送の間に第１の信号（ｈ１１）、第２の信号（ｈ２２）、第３の信号（ｈ３３）及び第４の信号（ｈ４４）に処理されてもよい点において、４×４、ＭＩＭＯ信号プロセッサとみなしてもよい。信号プロセッサ８５０は、図１５に示されるシグナリングプロセッサ１５０と同様に構成されてもよく、特に、増幅器、フィルタ、コンバイナ、デジタルアナログ変換器及び発振器／シンセサイザの使用に関してそうである（参照符号は省略しているが、構成要素の動作は、上述のように制御することができ、関連した動作は、当業者に知られている対応する回路の指定に応じて理解することができる）。信号プロセッサ８５０は、同様に、ベースバンドプロセッサ８５２、ＲＦＩＣ８５４及びフロントエンド８５６で構成されてもよい。ベースバンドプロセッサはベースバンドプロセッサ７０８に類似していてもよいし、ＲＦＩＣ８５４はＲＦＩＣ７１０に類似していてもよいが、追加のアップリンク及びダウンリンクチャネルの周波数処理を容易にするために追加のアップリンク及びダウンリンクの変換ユニット８１０、８１２を含むことを除く。対応するアップリンク及びダウンリンクの変換ユニットは、Ｆ１、Ｆ２、Ｆ３、Ｆ４、Ｆ５、Ｆ６、Ｆ７及びＦ８として参照され、それぞれが独立して制御可能な発振器及び上述のように動作する関連する構成要素を含んでいる。
【０１２７】
フロントエンド８５６は、追加のアップリンク及びダウンリンクのシグナリングの処理を容易にするために、追加のフィルタ、増幅器等を有するフロントエンド７１２に同様に構成されてもよい。フロントエンド８５６は、ＲＦＩＣへの４つのダウンリンク出力及びＲＦＩＣ８５４からの４つのアップリンクの入力であって、１つはアップリンク及びダウンリンク信号ｈ１１、ｈ２２、ｈ３３及びｈ４４のそれぞれのためであるものを容易にするために、そのような構成要素を含むことが示されている。ＲＦスプリッタ８５２は、着信（下流）シグナリングの同等の部分ｈ１１、ｈ２２、ｈ３３、ｈ４４の分離を容易にするために、ダウンリンクに含まれていてもよい。（アップリンクでのＳＩＳＯ構成を示している図１５とは異なり、この例ではアップリンクに４×４のＭＩＭＯを示している。）ＲＦＩＣ８５６は、上述のようにネットワーク側シグナリング７０２及びデバイス側シグナリング７０６のインターフェースを容易にするように構成されてもよい。ＵＥ８５０は、２×２のＭＩＭＯのダウンリンク及びＳＩＳＯのアップリンクシグナリングをＵＥ７００に関連付けることを容易にするために、ＵＥ７００の代わりに任意に使用されてもよく、すなわち、ＵＥ８５０はＵＥ７００の代わりに使用してもよい。いうまでもなく、対応する制御は、そのように使用されるとＵＥ８５０の使用されていない部分を「オフ」するのを容易にするために実施されてもよく、及び／又は使用されていない部分は追加の信号処理をサポートするために使用されてもよく、例えば、あたかもＵＥ７００で動作しているようにシグナリングの同時の処理を倍にするか又は容易にする。
【０１２８】
図１７は、本発明の非限定的な一態様によるユニバーサルフロントエンド８８０を示している。フロントエンド８８０は、ＲＦＩＣ側のシグナリング８８４とのインターフェースのための有線及び／又は無線ネットワーク側のシグナリング８８２の処理機能によって、ユニバーサルとみなしてもよい。図示したフロントエンド８８０の構成は、ＲＦＩＣ側シグナリング８８４の図１５に示したＲＦＩＣ７１０とのインターフェース、すなわち、ＲＦＩＣ７１０への２つのダウンリンク出力及びＲＦＩＣ７１０から１つのアップリンクの入力を容易にするように構成されたことが示されている。フロントエンド８８０は、ネットワーク側無線シグナリング８８２及び同軸又はネットワーク側有線シグナリング８８２と交換するように構成された他の有線インターフェース８９０の交換を容易にするように構成された第１のアンテナポート８８６及び第２のアンテナポート８８８を含むことが示されている。この構成では、フロントエンド８８０は、上述したベースバンドプロセッサ及びＲＦＩＣと協調して使用してもよく、無線終端局の１つとの無線シグナリング及び有線終端局の１つとの有線シグナリングのインターフェースを容易にする。フロントエンド８８０は、複数の増幅器及びフィルタを含むことが示され、複数の周波数帯域Ａ、Ｂ、Ｃ、Ｄの利得及び周波数フィルタの調整を容易にする。周波数帯域Ａ、Ｂ、Ｃ、Ｄは、ライセンスされた無線スペクトルに対応してもよく（図３参照）、それを介して無線シグナリングがフロントエンド８８０と交換されてもよい。
【０１２９】
複数の周波数帯域Ａ、Ｂ、Ｃ、Ｄは、例えば非限定的な目的で、様々な周波数帯域において無線シグナリングの交換を容易にするために十分な機能を有するフロントエンド８８０の一態様を実証するために示されている。周波数帯域Ａ、Ｂ、Ｃ、Ｄは、有線通信媒体３４に関連付けられているもの以外の周波数を占めてもよいが、周波数帯域が異なる必要はない。第１及び第２の帯域スイッチ８９２、８９４は、シグナリングを特定の周波数でフロントエンド８８０内の様々な信号経路に導くことを容易にし、及び／又は無線／有線の切り替えの統合を可能にするために含められてもよい。示されているように、第１の複数のダウンリンク経路８９８は第１及び第２のアンテナポート８８６、８８８からＲＦＩＣへのダウンリンク無線シグナリングの処理及び通信を容易にするように使用され、第２の複数のダウンリンク経路９００はＲＦＩＣへのダウンリンク有線シグナリングの処理及び通信を容易にするように使用され、アップリンク経路９０４はインターフェース８９０へのアップリンク有線シグナリングの処理及び通信を容易にするために使用され、複数のアップリンクシグナリング経路９０６は第２のアンテナポート８９８へのアップリンク無線シグナリングのコンピュータ指示の処理を容易にするために使用されてもよい。スプリッタ９０８は、ダウンリンクの有線シグナリングを分離する、すなわち、有線シグナリングの各部分をＲＦＩＣに出力される別個の信号（ｈ１１、ｈ２２）に分離することを容易にしてもよい。増幅器及びフィルタ、バンドスイッチ８９２、８９４は独立して別個に制御可能であり、周波数及び／又は進行方向に応じてフロントエンド８８８の特定の部分に信号が導かれ、及び対応する増幅器及びフィルタを同様に制御してもよく、上記の方法のように横断される媒体に応じてシグナリング処理を容易にする。
【０１３０】
インターフェース８９０を介して交換される有線信号は、図２に記載した方法に従って有線シグナリングを容易にすることに関連付けられたものに対応してもよい。第１及び第２のアンテナポート８８６、８８８を介して交換される無線信号は、図４、図５及び６に記載した方法に従って無線シグナリングを容易することに関連付けられたものに対応してもよい。図示の無線シグナリングは２×２ＭＩＭＯシグナリングに対応し、２つのアンテナポートはダウンリンク無線信号をフロントエンド８８０に別個のアンテナポートから送信し、例えば、２つのポートが終端局の１つ（リモートアンテナユニット）４０、４２に含まれ、又は別個のポートが終端局４０、４２のそれぞれに含まれる。上述したように、無線シグナリングは、単一の信号部分（例えば、ｈ１１）が信号アンテナポートから送信され、第１及び第２のアンテナポート８８６の両方で有効に受信される（例えば、ｇ１１は第１のポート８８６で受信され、ｇ１２は第２のポートで受信される）ように送信されてもよい。２×２のダウンリンクＭＩＭＯにおいてｈ１１＝ｇ２１＋ｇ１１であり、４×４ダウンリンクＭＩＭＯにおいてｈ１１＝ｇ１１＋ｇ２１＋ｇ３１＋ｇ４１である。同様に、２×２のダウンリンクＭＩＭＯにおいてｈ２２＝ｇ１２＋ｇ２２であり、４×４のダウンリンクＭＩＭＯにおいてｈ２２＝ｇ１２＋ｇ２２＋ｇ３２＋ｇ４２である。フロントエンド８８０は、ＲＦＩＣへの処理のためにダウンリンク無線信号（ｇ１１等）の処理を容易にするように構成されてもよく、ビーム形成などの無線シグナリングを容易にするための同様の処理を含み、例えば、ｇ´１１、ｇ´２２当の処理である。フロントエンド８８０は、アップリンク無線シグナリングも容易にしてもよく、アップリンク無線シグナリングのために使用している第２アンテナポート８８８のみによってＳＩＳＯとして示されている。
【０１３１】
図１８は、本発明の非限定的な一態様による４×４ＭＩＭＯフロントエンド９２０を示している。フロントエンド９２０は、少なくとも、前述のバンドスイッチ、増幅器、フィルタなどを用いて無線シグナリングのための複数の周波数帯域（Ａ、Ｂ）及び有線シグナリングのための任意の周波数帯をサポートすることに限り、フロントエンド８８０と同様に動作してもよい。フロントエンド９２０は、図１６に示されたＲＦＩＣ８５４とのシグナリングのインターフェースを容易にするように構成されてもよく、これは、それに関連付けられた４つのアップリンク及びダウンリンクの入力及び出力ポートのためである。フロントエンド９２０は、より限定されたＵＥ、すなわち２つのバンドのサポートのみを必要とし又は可能にするものの使用を容易にするために、デュアルバンド無線信号を容易にするように構成されることが示されている。フロントエンド８８０とは異なり、フロントエンド９２０は４つのアンテナポートを介した４×４、無線アップリンクシグナリングをサポートしてもよい（有効な無線シグナリング（ｇ１１等）は、それぞれの矢印で対応するアップリンク及びダウンリンク無線シグナリングについて図示されている）。フロントエンド９２０は、個々に制御可能な複数のスイッチ９２２、９２４、９２６、９２８、９３０、９３２、９３４、９３６を含んでもよく、（ポート１、２、３、４とラベルされた）アンテナポート及び同軸又は（ラベルされた）有線ポートの適切な間の無線及び有線シグナリングを選択的に導くことを容易にする。
【０１３２】
図１９は、本発明の非限定的な一態様によるユニバーサル４×４ＭＩＭＯフロントエンド９６０を示している。フロントエンド９６０は、フロントエンド９２０と同様であり、４バンド（Ａ、Ｂ、Ｃ、Ｄ）の無線シグナリングを容易にするように追加の構成要素を含むことが示されている。フロントエンド９６０はユニバーサルであってもよく、今までは、そこに信号プロセッサ３０から及び／又は無線でそこにリモートアンテナユニット（信号部分ｈ１１、ｈ２２、ｈ３３、ｈ４４はアンテナポートのそれぞれで有効に受信されてもよい（信号ｇ１１、ｇ１２等））の１つから送信された信号部分（ｈ１１、ｈ２２、ｈ３３、ｈ４４）の有線及び／又は無線による受信を容易にするために十分な機能を有している。フロントエンド９２０と同様に、フロントエンド９６０は無線専用デバイスとして動作してもよく、例えば、有線が除去され、及び／又は対応するスイッチは無線シグナリング経路に関連する接続を容易にするように駆動される。任意に、フロントエンド９２０及びフロントエンド９６０は、専用の無線フロントエンドとして構成するために有線シグナリング経路及び関連する構成要素を除去させてもよい。
【０１３３】
図２０は、本発明の非限定的な一態様により、シグナリングを容易にするためにＵＥを制御する方法のフローチャートを示している。この方法は、非一時的なコンピュータ可読媒体、コンピュータプログラム製品、又はコンピュータ読取可能な命令、コード、ソフトウェア、ロジックなどを有する他の構築物において実施することができる。命令は、無線シグナリングを配信容易にするために本発明によって考慮される方法で信号プロセッサ及び／又は他のデバイス／構成要素の制御を容易にするため、本明細書で記載されるＵＥ及び／又は他の１つ以上のデバイス／構成要素のプロセッサ又は論理的に実行可能なデバイスで実行可能であってもよい。この方法は、無線及び／又は有線通信媒体を長距離伝送される無線シグナリング、又は対応する中間シグナリングの一部に少なくとも関する例示的な非限定的な目的のためにもっぱら記載され、例えばケーブル又はハイブリッドファイバ同軸（ＨＦＣ）ネットワークであるが、必ずしも限定されない。長距離又は中間グナリングは、最終的な無線シグナリング伝送よりも大きな距離にわたって有線伝送を提供するのに十分なＵＥで実行される処理又は他の制御を容易してもよく、それによって、有線伝送に伴う経済性を低減し、無線デバイスとの最終的な相互作用も容易にする。
【０１３４】
ブロック１００２は、ケーブルＵＥ（ｃＵＥ）と注記されるＵＥが有線通信媒体３４又は無線通信媒体１１０に接続されているかどうかを決定することに関する。接続は、ＵＥが、クレードル、ドッキングステーション又は有線通信媒体３４へのインターフェースを有する他の取り外し可能な容器（図示せず）内にあるかどうかに基づいて決定してもよく、これは、本発明の１つの非限定的な態様が場所、接続又は使用に基づいて有線及び無線のパーソナリティ間を自動的切り替える機能を有するＵＥを考慮するからである。ブロック１００４は、有線パーソナリティ、すなわち、有線シグナリングを容易にするために十分な能力に最適化されたか又は有するＵＥを決定することに関する。ＵＥが携帯電話又は専用の無線デバイスである場合には、有線パーソナリティの使用は、無線シグナリングに戻す変換を有することなくシステムを介してＵＥとの有線通信を可能にするために有益であってもよく、例えば、電話に関連した無線信号は、受信ＵＥにライセンスされた無線信号又はスペクトルに戻す変換を使用することなくシステム１０を介して受信ＵＥに受信及び送信してもよい。もちろん、本発明は、この使用の場合に限定されず、様々な理由について望ましい有線パーソナリティを考慮し、例えば、ＵＥエネルギー寿命を節約するために無線シグナリング関連の構成要素の無効化を可能にし、無線オペレータから無線課金のコストを低減させ、及び／又はＵＥが処理できないか又は同時に処理できない他の無線シグナリングの処理に使用する無線シグナリング関連の構成要素を解放する。
【０１３５】
ブロック１００６は、ＵＥの走査、ダウンリンク（ＤＬ）シグナリング、ＭＡＰ情報及び有線通信媒体３４を介して搬送される他のシグナリングを分析することに関し、上述の様々に制御可能なＵＥ構成要素の状態について自動的に制御し、プログラムし、又は実施することを容易にする。走査及び分析は、標準的なキャリア間隔に対する連続ＯＦＤＭが、ＵＥで有線シグナリングを容易にするために使用されるかどうか（任意に、アップリンク及びダウンリンクを含む）を決定することを含んでもよい。ブロック１０１０は制御セクション及びパイロットを分析し、ＭＩＭＯの順序、チャネル集約タイプを決定し、各ＭＩＭＯレイヤを同定し、例えば、２×２、４×４又は他のＭＩＭＯ順序が使用されているかを決定する。ブロック１０１２は、ＵＥは複数のｅＮｏｄｅＢによって到達可能である場合、及び／又は単一のプロセッサ３０が複数のｅＮｏｄｅＢを有効に構成してシステム１０にサービスを提供する場合、各ケーブルのｅＮｏｄｅＢ（例えば、信号プロセッサ３０）伝送領域を同定することに関する。ブロック１０１４は、ｃＵＥが第１（次）のｅＮｏｄｅＢ又は他で登録されているか決定することに関し、例えば、前のブロックで集められたパラメータ及びその他の情報が使用のためであるかどうか、又はそのような情報はより関連性の高い情報が決定されるまで処理を継続されるべきであるかどうかを決定する。ブロック１０１６は、ＲＦＩＣ内の局部発振器（ＬＯ）周波数パラメータ及び／又は他のパラメータ（アンプの設定、帯域切り替えなど）を調整するためにＤＬの情報を使用することに関する。周波数パラメータは、ＵＥ及び／又は特定の有線シグナリングを容易にするために動作する１以上のユニット内で動作可能な各アップリンク及び／又はダウンリンク周波数変換ユニットに個別に調整されてもよい。
【０１３６】
ブロック１０１８は、ＤＬ情報からＵＬパラメータ（ＬＯ周波数、増幅器の設定、バンド切り替え等）を決定し、ＲＦＩＣにＵＬ、ＬＯのパラメータを調整することによるような対応する調整を容易にすることに関する。ブロック１０２０は、ｅＮｏｄｅＢ（例えば、信号プロセッサ３０）での接続及び登録に関する。ＵＥは、登録したｅＮｏｄｅＢの有線シグナリングの受信を容易にする機能及び／又は有線シグナリングの送信を容易にする機能を通知してもよく、例えば、電話を容易することに関連付けられたシグナリングが導かれるアップリンク及びダウンリンクを容易にするために必要なパラメータの受け入れを示す。ブロック１００２は、追加の無線及び／又は有線シグナリングが望ましいかどうか、及び／又はＵＥがクレードルから除去され、又はユーザが設定を切り替える場合のように無線パーソナリティに切り替えられたかどうかを再評価するために、登録に従い戻ってもよい。ブロック１０２２は、無線パーソナリティ、すなわち、無線シグナリングを容易するのに十分な機能に最適化されたか又は有するＵＥを決定することに関する。ＵＥが携帯電話又は他の専用の無線デバイスである場合には、無線パーソナリティの使用は、有線信号などの信号の少なくとも一部の伝送に従うＵＥとの無線通信を可能にするために有益であってもよい。
【０１３７】
ブロック１０２４は、ＤＬスペクトルを介して走査し、無線シグナリングについて登録することに関し、例えば、ハンドシェイク又は無線終端局との他の動作を実行することにより、対応する無線通信媒体へのアクセスを得て、無線シグナリングのためのプレゼンス及び可用性をアナウンスする。ブロック１０２６は、そこへのシグナリングをサポートする動作をするｅＮｏｄｅＢが、ＵＥとの無線シグナリングを容易にするために、ビーム形成機能を有する終端局に依拠することを意図するかどうかを決定することに関する。ブロック１０２８は、ビーム形成を有効にすることを決定し、ＲＦリモートアンテナの場所を収集し、ｅＮｏｄｅＢをＵＥの位置で提供することに関する。位置情報は、ＵＤとの無線シグナリングを容易にするのに適した１つ以上のリモートアンテナを決定するために使用されてもよく、例えば、強化されたＭＩＭＯを提供するのに適した距離が離れたリモートアンテナユニットである。ブロック１０３０は、アンテナ照明パラメータを計算し、ＵＥのＲＦＩＣを遅延、利得、及びＵＬ／ＤＬの通信パラメータで構成し、すなわち、ビーム形成シグナリングを容易にするためにＲＦＩＣ構成要素の様々な制御可能な状態を設定することに関する。ブロック１０３２は、独自の機能におけるＲＦリモートで環境が許せば１０２４ＱＡＭへの切り替えに関する。ブロック１０３４は、考慮する無線シグナリングを容易にするためにＵＥの動作に関する。
【０１３８】
サポートされているように、本発明の非限定的な態様は、ＭＩＭＯのために生成された各データ回路を独立した周波数チャネルに配置して同軸ケーブル媒体におけるデータ経路で直交性を維持するという柔軟性を備えたデータ伝送を実施するように構成されたケーブルＵＥに関する。ＵＥは、無線対応と同様に残るベースバンドプロセッサユニットを含んでもよく、又は高い変調次数と短いサイクリックプレフィックス長のサポートを有し、ＨＦＣネットワークのより良い環境を活用してもよい。ＲＦＩＣでは、異なるデータ経路のための周波数独立性は、別々の独立した局部発振器及び周波数シンセサイザを追加することによって達成されてもよい。有線環境で意図される高次の変調をサポートするために、サンプルあたりのビット数の多いＡＤＣ及びＤＡＣ構成要素を使用してもよい。ケーブル実装（ケーブルＵＥ）において、アンテナは必要なくてもよく、アップリンク結合及びダウンリンク信号分配に加えて適切な増幅のみが必要である。ダイプレクサは、アップリンクのデータ経路からのダウンリンクを分離するために使用してもよい。データ経路の独立した周波数選択の自由度は、キャリア集約を組み込むために活用することができる。
【０１３９】
本発明の非限定的な一態様は、有線／無線ユニバーサルＵＥに関する（図９−１１）。このＵＥ／ケーブルＵＥデュアル機能の実装では、無線と有線の目的のために同じエンドバイスの使用を可能にする。この実装を活用する使用例は、それが有線ネットワークに接続されたクレードルに置かれたときに有線モデム（ｃＵＥ）となるＬＴＥ無線ハンドセットである。この実装では、図１５に示された同じ「Ｕｎｉｖｅｓａｌ」ＲＦＩＣを使用し、図１５に示した従来の無線実装のために示されているフロントエンドに依然として有意な類似性を有して変更されたフロントエンドを使用している。図１７中のフロントエンドは、ＲＦＩＣに接続した下流及び上流有線データ経路に加えていくつかの追加のスイッチング経路を有している。有線経路に示されたパワーアンプは、無線アンプより小さい利得を必要とするが、これは、ＨＦＣネットワークが既に増幅ネットワークであるからである。それから、ＬＴＥは１つの帯域から他に切り替えるためのハンドオフ機構を最適化した。この「ユニバーサルＵＥ」は、無線と有線との間の切り替えのためにこれらのハンドオフのメカニズムを活用している。
【０１４０】
例示的な実施形態が上述されているが、これらの実施形態は本発明のすべての可能な形態を説明することを意図するものではない。むしろ、本明細書で使用される記載は、限定ではなく説明のためであり、様々な変更が、本発明の精神及び範囲から逸脱することなくなされ得ることが理解される。また、様々な実施態様の特徴は、本発明のさらなる実施形態を形成してもよい。
【図１】
2019118117.tif 000008
【図２ａ】
2019118117.tif 000009
【図２ｂ】
2019118117.tif 000010
【図３】
2019118117.tif 000011
【図４ａ】
2019118117.tif 000012
【図４ｂ】
2019118117.tif 000013
【図５ａ】
2019118117.tif 000014
【図５ｂ】
2019118117.tif 000015
【図６ａ】
2019118117.tif 000016
【図６ｂ】
2019118117.tif 000017
【図７】
2019118117.tif 000018
【図８−１】
2019118117.tif 000019
【図８−２】
2019118117.tif 000020
【図９】
2019118117.tif 000021
【図１０−１】
2019118117.tif 000022
【図１０−２】
2019118117.tif 000023
【図１１】
2019118117.tif 000024
【図１２】
2019118117.tif 000025
【図１３−１】
2019118117.tif 000026
【図１３−２】
2019118117.tif 000027
【図１４】
2019118117.tif 000028
【図１５−１】
2019118117.tif 000029
【図１５−２】
2019118117.tif 000030
【図１６−１】
2019118117.tif 000031
【図１６−２】
2019118117.tif 000032
【図１７】
2019118117.tif 000033
【図１８】
2019118117.tif 000034
【図１９−１】
2019118117.tif 000035
【図１９−２】
2019118117.tif 000036
【図２０】
2019118117.tif 000037
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
マルチ入力マルチ出力（ＭＩＭＯ）ユーザ機器（ＵＥ）であって、
少なくとも第１の信号部分、第２の信号部分、第３の信号部分及び第４の信号部分を処理するように構成されたフロントエンドと、
第１の周波数の前記第１の信号部分、第２の周波数の前記第２の信号部分、第３の周波数の前記第３の信号部分、及び第４の周波数の前記第４の信号部分を共通の第５の周波数に変換するように構成された無線周波数集積回路（ＲＦＩＣ）と、
前記第１、第２、第３及び第４の信号部分を出力信号に組み合わせるように構成されたベースバンドプロセッサと
を含むユーザ機器。
【請求項２】
前記フロントエンドは、前記第１、第２、第３、及び第４の信号部分を有線通信媒体を介して搬送された周波数ダイバース信号として受信するための有線インターフェースを含む請求項１に記載のユーザ機器。
【請求項３】
前記フロントエンドは、無線通信媒体を介して搬送された空間ダイバース信号として前記第１、第２、第３及び第４の信号部分を受信するために第１のポート、第２のポート、第３のポート及び第４のポートを含む複数の無線ポートを含み、前記ポートのそれぞれはそこに無線送信された前記第１、第２、第３及び第４の信号部分の有効部分を受信する請求項１に記載のユーザ機器。
【請求項４】
前記フロントエンドは、有線通信媒体を介して搬送されたときに周波数ダイバース信号として前記第１、第２、第３及び第４の信号部分を受信するための有線インターフェースを含み、
前記フロントエンドは、無線通信媒体を介して搬送されたときに空間ダイバース信号として前記第１、第２、第３及び第４の信号部分を受信するために第１のポート、第２のポート、第３のポート及び第４のポートを含む複数の無線ポートを含み、前記ポートのそれぞれはそこに無線送信された前記第１、第２、第３及び第４の信号部分の有効部分を受信する請求項１に記載のユーザ機器。
【請求項５】
前記フロントエンドは、前記第１、第２、第３、及び第４の信号部分が前記有線インターフェースで受信されたか又は前記無線ポートで受信されたかに応じて、前記フロントエンドを通る信号経路を有線経路から無線経路に切り替えるように動作可能な１つ以上のスイッチを含む請求項４に記載のユーザ機器。
【請求項６】
前記スイッチは、クレードルへの接続が決定されたときに前記有線経路に切り替え、クレードルへの接続が決定されなかったときに前記無線経路に切り替えるように自動的に動作可能である請求項５に記載のユーザ機器。
【請求項７】
前記フロントエンドは、前記第１、第２、第３、及び第４の信号部分のそれぞれについての前記ＲＦＩＣへの出力を含む請求項１に記載のユーザ機器。
【請求項８】
前記ＲＦＩＣは、前記出力のそれぞれについて周波数変換ユニットを含み、前記周波数変換ユニットのそれぞれは前記第１、第２、第３及び第４の信号部分の前記第５の周波数への周波数変換を容易にするために独立に制御可能な局部発振器を含む請求項７に記載のユーザ機器。
【請求項９】
無線及び有線シグナリングを容易にするために有線ネットワークで動作可能な多入力多出力（ＭＩＭＯ）ユーザ機器（ＵＥ）であって、
有線信号を有線ネットワークとインターフェースするための有線インターフェース及び無線信号を前記有線ネットワークとインターフェースするための無線インターフェースを有するフロントエンドであって、前記インターフェースされた無線及び有線信号のための無線及び有線信号経路を含むフロントエンドと、
前記有線及び無線信号経路のために周波数変換信号を生成するように構成された無線周波数集積回路（ＲＦＩＣ）と、
周波数変換された信号をそこに接続された装置とインターフェースするように構成されたベースバンドプロセッサと
を含むユーザ機器。
【請求項１０】
前記無線インターフェースは、複数の無線ポートを含む請求項９に記載のユーザ機器。
【請求項１１】
前記フロントエンドは、前記無線ポートのそれぞれについて周波数帯域スイッチを含み、各周波数帯域スイッチは対応する周波数帯域内の無線信号とインターフェースを容易にするために少なくとも第１及び第２の周波数帯域の間で動作可能である請求項１０のユーザ機器。
【請求項１２】
前記フロントエンドは、前記有線及び無線シグナリング経路を通過するアップリンク信号及びダウンリンク信号とそれぞれインターフェースするために少なくとも１つのアップリンクポート及び少なくとも１つのダウンリンクポートを含む請求項９に記載のユーザ機器。
【請求項１３】
前記フロントエンドは、各アップリンクポート及び各ダウンリンクポートに関連付けられたスイッチを含み、前記スイッチは無線位置と有線位置との間で動作可能であり、前記無線位置は前記アップリンクポート及びダウンリンクポートの対応する１つを前記無線経路の１つに接続し、前記有線位置は前記アップリンクポート及びダウンリンクポートの対応する１つを前記有線経路の１つに接続する請求項１２に記載のユーザ機器。
【請求項１４】
前記フロントエンドは、クレードルへの接続が決定されたときに前記スイッチを自動的に前記有線位置に設定し、前記クレードルへの接続が決定されなかったときに前記スイッチを前記無線位置に自動的に設定するように動作可能である請求項１３に記載のユーザ機器。
【請求項１５】
前記ＲＦＩＣは、前記ポートのそれぞれについて周波数変換ユニットを含み、前記周波数変換ユニットのそれぞれは周波数変換を容易にするために独立に制御可能な局部発振器を含む請求項１２に記載のユーザ機器。
【請求項１６】
有線ネットワークの有線通信媒体を介して送信された周波数ダイバース有線信号から生成されたダウンリンク空間ダイバース無線シグナリングの処理を容易にするための有線ネットワークで動作可能な多入力多出力（ＭＩＭＯ）ユーザ機器（ＵＥ）であって、
空間ダイバース無線信号を受信するための複数の無線ポートを有するフロントエンドと、
受信した受信無線信号の関数として前記フロントエンドから出力された信号を共通の周波数に周波数変換するように構成された無線周波数集積回路（ＲＦＩＣ）と、
前記周波数変換された信号をそこに接続された装置とインターフェースするように構成されたベースバンドプロセッサと
を含むユーザ機器。
【請求項１７】
前記フロントエンドは、前記無線ポートのそれぞれについて周波数帯域スイッチを含み、各周波数帯域スイッチは対応する周波数帯域内の無線信号とインターフェースを容易にするために少なくとも第１及び第２の周波数帯域の間で動作可能である請求項１６のユーザ機器。
【請求項１８】
前記フロントエンドは、前記無線ポート信号のそれぞれに関連する信号を前記ＲＦＩＣとそれぞれインターフェースするための少なくとも１つの出力を含む請求項１６に記載のユーザ機器。
【請求項１９】
前記ＲＦＩＣは、前記出力のそれぞれについて周波数変換ユニットを含み、前記周波数変換ユニットのそれぞれは周波数変換を容易にするために独立に制御可能な局部発振器を含む請求項１８に記載のユーザ機器。
【請求項２０】
前記フロントエンドは、前記無線ポートのそれぞれについてダイプレックスフィルタを含み、前記ダイプレックスフィルタは前記受信した無線信号を前記ＲＦＩＣに導き、前記ＲＦＩＣから受信されたアップリンク無線信号を導いて対応するポートから送信することを可能にする請求項１９に記載のユーザ機器。
【外国語明細書】
2019118117000001.pdf